(57)【要約】【課題】ハンドル回動部の回動位置を元の回動位置に調整しやすくできる遊技機を提供すること。【解決手段】遊技球の発射強度が所望の発射強度となる回動位置にハンドル回動部５４０の回動位置が調整された後に、ハンドル回動部５４０の回動位置が初期位置へ復帰された場合であっても、遊技者は、連動回動部６００の目印６００ｃにハンドル回動部５４０の目印５４０ｄを一致させることで、ハンドル回動部５４０の回動位置を元の回動位置（初期位置へ復帰される前の回動位置）に調整できる。よって、ハンドル回動部５４０の回動位置を元の回動位置へ調整しやすくできる。【選択図】図６
2014104223.tif 000002
【特許請求の範囲】
【請求項１】
遊技者によって回動操作されるハンドル回動部を備え、そのハンドル回動部の回動操作量に応じて遊技球の発射強度が調整される遊技機において、
前記ハンドル回動部の回動位置が、所定の部材を基準として遊技者が認識可能に形成されることを特徴とする遊技機。
【請求項２】
前記ハンドル回動部の回動に連動して回動可能に形成される連動回動部と、その連動回動部がハンドル回動部に連動して回動されることを解除する連動解除手段と、を備えることを特徴とする請求項１記載の遊技機。
【請求項３】
前記ハンドル回動部と連動回動部との間の相対位置を示す目印が、前記ハンドル回動部および連動回動部のそれぞれに配設されることを特徴とする請求項２記載の遊技機。
【発明の詳細な説明】
【技術分野】
【０００１】
本発明は、パチンコ機などの遊技機に関するものである。
【背景技術】
【０００２】
パチンコ機等の遊技機において、ハンドルベースにハンドル回動部が回動可能に取り付けられ、そのハンドル回動部の回動操作量に応じて、球の発射強度を調整するものがある。また、ハンドル回動部の回動操作により、所望の発射強度が得られた場合には、その発射強度を維持して、遊技者の疲れを軽減するべく、ハンドル回動部の回動を固定する構造のものがある。
【先行技術文献】
【特許文献】
【０００３】
【特許文献１】特開２０１２−００５７５９号公報
【発明の概要】
【発明が解決しようとする課題】
【０００４】
ハンドル回動部は、付勢ばねによる付勢力が付与されており、遊技者が手を離すと、ハンドル回動部が初期位置へ復帰される。そのため、例えば、遊技を中断した場合には、ハンドル回動部の回動位置を元の回動位置に調整することが困難である。
【０００５】
本発明は、上記例示した問題点を解決するためになされたものであり、ハンドル回動部の回動位置を元の回動位置に調整しやすくできる遊技機を提供することを目的とする。
【課題を解決するための手段】
【０００６】
この目的を達成するために請求項１記載の遊技機は、遊技者によって回動操作されるハンドル回動部を備え、そのハンドル回動部の回動操作量に応じて遊技球の発射強度が調整されるものであり、前記ハンドル回動部の回動位置が、所定の部材を基準として遊技者が認識可能に形成される。
【０００７】
請求項２記載の遊技機は、請求項１記載の遊技機において、前記ハンドル回動部の回動に連動して回動可能に形成される連動回動部と、その連動回動部がハンドル回動部に連動して回動されることを解除する連動解除手段と、を備える。
【０００８】
請求項３記載の遊技機は、請求項２記載の遊技機において、前記ハンドル回動部と連動回動部との間の相対位置を示す目印が、前記ハンドル回動部および連動回動部のそれぞれに配設される。
【発明の効果】
【０００９】
請求項１記載の遊技機によれば、ハンドル回動部の回動位置を、所定の部材を基準として遊技者に認識させることができる。よって、遊技球の発射強度が所望の発射強度となる回動位置にハンドル回動部の回動位置が調整された後に、例えば、遊技を中断するために、ハンドル回動部の回動位置が初期位置へ復帰された場合、或いは、例えば、右打ちをするために、ハンドル回動部の回動位置が最大回動位置へ変更された場合であっても、遊技者は、所定の部材を基準とするハンドル回動部の回動位置の認識に基づいて、ハンドル回動部の回動位置を元の回動位置（例えば、遊技を中断する前や右打ちする前の回動位置）に調整できる。よって、ハンドル回動部の回動位置を元の回動位置へ調整する操作を、正確かつ迅速に行うことができる。
【００１０】
請求項２記載の遊技機によれば、請求項１記載の遊技機の奏する効果に加え、連動回動部がハンドル回動部に連動して回動されることを連動解除手段により解除することができる。即ち、連動回動部の回動がハンドル回動部の回動に連動することを連動解除手段により解除することで、連動回動部を、ハンドル回動部の回動から切り離して、その切り離された際の回動位置に留まらせることができる。これにより、遊技球の発射強度が所望の発射強度となる回動位置にハンドル回動部の回動位置が設定された状態において、連動解除手段による解除を行うことで、連動回動部を所定の回動位置に留まらせておき、ハンドル回動部を元の回動位置へ調整する際の基準とすることができる。よって、ハンドル回動部の回動位置を元の回動位置へ調整する際に、その調整操作を正確かつ迅速に行うことができる。
【００１１】
請求項３記載の遊技機によれば、請求項２記載の遊技機の奏する効果に加え、ハンドル回動部および連動回動部にそれぞれ目印が形成されるので、ハンドル回動部の回動位置を元の回動位置へ調整する際には、互いの目印を基準とすることができる。よって、その分、ハンドル回動部の元の回動位置への調整操作を正確かつ迅速に行うことができる。
【図面の簡単な説明】
【００１２】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】（ａ）は操作ハンドルの上面図であり、（ｂ）は操作ハンドルの正面図である。
【図６】図５（ａ）の矢印ＶＩ方向視における操作ハンドルの側面図である。
【図７】ハンドル取付台およびハンドルベースの正面斜視図である。
【図８】ハンドル回動部の背面斜視図である。
【図９】（ａ）は、切替支持軸の斜視図であり、（ｂ）は、切替支持軸の軸心を含む平面で切断した切替支持軸の断面図である。
【図１０】（ａ）は、前カバーの背面斜視図であり、（ｂ）は、案内溝の正面図である。
【図１１】ボタン部材の背面斜視図である。
【図１２】移動挿入体と軸体との連結構造を図示するボタン部材の分解斜視図である。
【図１３】ハンドルベースの背面斜視図である。
【図１４】ハンドル取付台の分解状態における斜視図である。
【図１５】（ａ）はハンドル取付台の組み立て状態における斜視図であり、（ｂ）は第１本体の内側面図である。
【図１６】ハンドル取付台およびハンドルベースの背面斜視図である。
【図１７】ハンドル規制部材が装着された状態におけるハンドルベースの正面斜視図である。
【図１８】ハンドル規制部材が取り外された状態におけるハンドルベースの正面斜視図である。
【図１９】（ａ）及び（ｂ）は、ハンドル規制部材の斜視図である。
【図２０】変位操作される前の状態における操作ハンドルの部分断面側面図である。
【図２１】変位操作された後の状態における操作ハンドルの部分断面側面図である。
【図２２】操作ハンドルの部分断面側面図である。
【図２３】操作ハンドルの部分断面側面図である。
【図２４】操作ハンドルの部分断面側面図である。
【図２５】操作ハンドルの模式図である。
【図２６】操作ハンドルの模式図である。
【図２７】（ａ）は、第２実施形態における操作ハンドルの上面図であり、（ｂ）は、操作ハンドルの正面図である。
【図２８】ハンドル取付台およびハンドルベースの正面斜視図である。
【図２９】（ａ）は、連動回動部の側面図であり、（ｂ）は、連動回動部の正面図であり、（ｃ）は、図２９（ｂ）のＸＸＸＩｃ−ＸＸＸＩｃ線における連動回動部の断面図であり、（ｄ）は、図２９（ｂ）のＸＸＸＩｄ−ＸＸＸＩｄ線における連動回動部の断面図である。
【図３０】ハンドルベースに取り付けられた状態における連動回動部の正面斜視図である。
【図３１】（ａ）は、ハンドル回動部の背面斜視図であり、（ｂ）は、前カバーの背面斜視図である。
【図３２】（ａ）は、ボタン部材の正面図であり、（ｂ）は、ボタン部材の側面図であり、（ｃ）は、ボタン部材の背面図である。
【図３３】（ａ）は、伝達部材の上面図であり、（ｂ）は、伝達部材の側面図であり、（ｃ）は、伝達部材の正面図である。
【図３４】操作ハンドルの部分断面図である。
【図３５】操作ハンドルの部分断面図である。
【図３６】操作ハンドルの部分断面図である。
【図３７】操作ハンドルの部分断面図である。
【図３８】（ａ）は、第３実施形態における操作ハンドルの上面図であり、（ｂ）は、操作ハンドルの正面図である。
【図３９】（ａ）は、外殻部材の背面図であり、（ｂ）は、外殻部材の側面図である。
【図４０】（ａ）から（ｃ）は、進退部材の断面図である。
【図４１】（ａ）は、押下ボタン部材の上面図であり、（ｂ）は、押下ボタン部材の側面図であり、（ｃ）は、係合針部材の上面図であり、（ｄ）は、係合針部材の側面図である。
【図４２】操作ハンドルの側面図である。
【図４３】操作ハンドルの側面図である。
【図４４】操作ハンドルの上面図である。
【図４５】第４実施形態における操作ハンドルの上面図である。
【図４６】第５実施形態における操作ハンドルの側面図である。
【図４７】ハンドル取付台およびハンドルベースの正面斜視図である。
【図４８】（ａ）は、連動回動部の正面図であり、（ｂ）は、図４８（ａ）のＬｂ−Ｌｂ線における連動回動部の断面図である。
【図４９】ハンドル取付台およびハンドルベースの正面斜視図である。
【図５０】ハンドル取付台およびハンドルベースの正面斜視図である。
【図５１】（ａ）及び（ｂ）は、ハンドル規制部材の斜視図である。
【図５２】操作ハンドルの部分断面図である。
【図５３】操作ハンドルの部分断面図である。
【図５４】操作ハンドルの部分断面図である。
【図５５】（ａ）は、ハンドル規制部材の下面斜視図であり、（ｂ）は、操作ハンドルの部分断面図である。
【図５６】（ａ）は、第６実施形態における操作ハンドルの上面図であり、（ｂ）は、操作ハンドルの側面図である。
【図５７】外殻部材の外面およびハンドルベースの外面を平面に展開した外殻部材およびハンドルベースの平面展開図である。
【図５８】（ａ）は、第７実施形態における操作ハンドルの上面図であり、（ｂ）は、操作ハンドルの正面図である。
【図５９】（ａ）は、連動回動部の正面図であり、（ｂ）は、図５９（ａ）のＶＩＸｂ−ＶＩＸｂ線における連動回動部の断面図であり、（ｃ）は、図５９（ｂ）の矢印ＶＩＸｃ方向視における連動回動部の側面図である。
【図６０】（ａ）及び（ｂ）は、操作ハンドルの部分断面模式図である。
【発明を実施するための形態】
【００１３】
以下、本発明の実施形態について、添付図面を参照して説明する。まず、図１から図を参照し、第１実施形態として、本発明をパチンコ遊技機（以下、単に「パチンコ機」という）１０に適用した場合の一実施形態について説明する。図１は、第１実施形態におけるパチンコ機１０の正面図であり、図２はパチンコ機１０の遊技盤１３の正面図であり、図３はパチンコ機１０の背面図である。
【００１４】
図１に示すように、パチンコ機１０は、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために正面視（図１参照）左側の上下２カ所に金属製のヒンジ１８が取り付けられ、そのヒンジ１８が設けられた側を開閉の軸として内枠１２が正面手前側へ開閉可能に支持されている。
【００１５】
内枠１２には、多数の釘や入賞口６３，６４等を有する遊技盤１３（図２参照）が裏面側から着脱可能に装着される。この遊技盤１３の前面を球（遊技球）が流下することにより弾球遊技が行われる。なお、内枠１２には、球を遊技盤１３の前面領域に発射する球発射ユニット１１２ａ（図４参照）やその球発射ユニット１１２ａから発射された球を遊技盤１３の前面領域まで誘導する発射レール（図示せず）等が取り付けられている。
【００１６】
内枠１２の前面側には、その前面上側を覆う前面枠１４と、その下側を覆う下皿ユニット１５とが設けられている。前面枠１４及び下皿ユニット１５を支持するために正面視（図１参照）左側の上下２カ所に金属製のヒンジ１９が取り付けられ、そのヒンジ１９が設けられた側を開閉の軸として前面枠１４及び下皿ユニット１５が正面手前側へ開閉可能に支持されている。なお、内枠１２の施錠と前面枠１４の施錠とは、シリンダ錠２０の鍵穴２１に専用の鍵を差し込んで所定の操作を行うことでそれぞれ解除される。
【００１７】
前面枠１４は、装飾用の樹脂部品や電気部品等を組み付けたものであり、その略中央部には略楕円形状に開口形成された窓部１４ｃが設けられている。前面枠１４の裏面側には２枚の板ガラスを有するガラスユニット１６が配設され、そのガラスユニット１６を介して遊技盤１３の前面がパチンコ機１０の正面側に視認可能となっている。
【００１８】
前面枠１４には、球を貯留する上皿１７が前方へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａへと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００１９】
前面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、前面枠１４の正面視（図１参照）左上部には、ＬＥＤ等の発光手段が内蔵され賞球の払い出し中とエラー発生時とを表示可能な表示ランプ３４が設けられている。
【００２０】
また、右側の電飾部３２下側には、前面枠１４の裏面側を視認できるように裏面側より透明樹脂を取り付けて小窓３５が形成され、遊技盤１３前面の貼着スペースＫ１（図２参照）に貼付される証紙等はパチンコ機１０の前面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００２１】
窓部１４ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２２】
上皿１７の下側に位置する下皿ユニット１５には、その中央部に上皿１７に貯留しきれなかった球を貯留するための下皿５０が上面を開放した略箱状に形成されている。下皿５０の右側には、球を遊技盤１３の前面へ打ち込むために遊技者によって操作される操作ハンドル５１が配設される。
【００２３】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の前面へ球が打ち込まれる。また、操作ハンドル５１が遊技者により操作されていない状態においては、タッチセンサ５１ａおよび発射停止スイッチ５１ｂがオフとなっている。
【００２４】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿５３が取り付けられている。
【００２５】
図２に示すように、遊技盤１３は、正面視略正方形状に切削加工した木製のベース板６０に、球案内用の多数の釘（図示せず）や風車の他、レール６１，６２、一般入賞口６３、第１入球口６４、第２入球口６４０、第１可変入賞装置６５、第２可変入賞装置６５０、第１スルーゲート６７、第２スルーゲート６７０、可変表示装置ユニット８０等を組み付けて構成され、その周縁部が内枠１２（図１参照）の裏面側に取り付けられる。一般入賞口６３、第１入球口６４、第２入球口６４０、第１可変入賞装置６５、第２可変入賞装置６５０、可変表示装置ユニット８０は、ルータ加工によってベース板６０に形成された貫通穴に配設され、遊技盤１３の前面側から木ネジ等により固定されている。
【００２６】
遊技盤１３の前面中央部分は、前面枠１４の窓部１４ｃ（図１参照）を通じて内枠１２の前面側から視認することができる。以下に、主に図２を参照して、遊技盤１３の構成について説明する。
【００２７】
遊技盤１３の前面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１３の前面外周が囲まれ、遊技盤１３とガラスユニット１６（図１参照）とにより前後が囲まれることにより、遊技盤１３の前面には、球の挙動により遊技が行われる遊技領域が形成される。遊技領域は、遊技盤１３の前面であって２本のレール６１，６２と円弧部材７０とにより区画して形成される略円形状の領域（入賞口等が配設され、発射された球が流下する領域）である。
【００２８】
２本のレール６１，６２は、球発射ユニット１１２ａ（図４参照）から発射された球を遊技盤１３上部へ案内するために設けられたものである。内レール６１の先端部分（図２の左上部）には戻り球防止部材６８が取り付けられ、一旦、遊技盤１３の上部へ案内された球が再度球案内通路内に戻ってしまうといった事態が防止される。外レール６２の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。また、内レール６１の右下側の先端部と外レール６２の右上側の先端部との間には、レール間を繋ぐ円弧を内面側に設けて形成された樹脂製の円弧部材７０がベース板６０に打ち込んで固定されている。
【００２９】
遊技領域の正面視右側上部（図２の右側上部）には、２つの第１図柄表示装置３７Ａ，３７Ｂが配設されている。第１図柄表示装置３７Ａには、発光手段である複数のＬＥＤ３７Ａａと７セグメント表示器３７Ａｂとが設けられている。他方の第１図柄表示装置３７Ｂもまた同様に、発光手段である複数のＬＥＤ３７Ｂａと７セグメント表示器３７Ｂｂとが設けられている。
【００３０】
第１図柄表示装置３７Ａ，３７Ｂは、主制御装置１１０で行われる各制御に応じた表示がなされるものであり、主にパチンコ機１０の遊技状態の表示が行われる。本実施形態では、これらの第１図柄表示装置３７Ａ，３７Ｂは、球が、第１入球口６４へ入賞したか、第２入球口６４０へ入賞したかに応じて使い分けられるように構成されている。具体的には、球が、第１入球口６４へ入賞した場合には、第１図柄表示装置３７Ａが作動し、一方で、球が、第２入球口６４０へ入賞した場合には、第１図柄表示装置３７Ｂが作動するように構成されている。
【００３１】
複数のＬＥＤ３７Ａａ，３７Ｂａは、いずれも、パチンコ機１０が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すものである。７セグメント表示装置３７Ａｂ，３７Ｂｂは、いずれも、大当たり中のラウンド数やエラー表示を行うものである。なお、ＬＥＤ３７Ａａ，３７Ｂａは、それぞれのＬＥＤの発光色（例えば、赤、緑、青）が異なるよう構成され、その発光色の組み合わせにより、少ないＬＥＤでパチンコ機１０の各種遊技状態を示唆することができる。
【００３２】
尚、本パチンコ機１０では、第１入球口６４及び第２入球口６４０へ入球があったことを契機として抽選が行われる。パチンコ機１０は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意されている。ＬＥＤ３７Ａａ，３７Ｂａには、変動終了後の停止図柄として抽選の結果が大当たりであるか否かが示されるだけでなく、大当たりである場合はその大当たり種別に応じた図柄が示される。
【００３３】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００３４】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入球口６４０へ球が入球し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入球口６４０へ球が入球し易い遊技の状態のことをいう。一方、パチンコ機１０が通常中とは、確変中でも時短中でもない遊技の状態（大当たり確率も第２図柄の当たり確率もアップしていない状態）である。
【００３５】
確変中や時短中は、第２図柄の当たり確率がアップするだけではなく、第２入球口６４０に付随する電動役物６４０ａが開放される時間も変更され、通常中と比して長い時間が設定される。電動役物６４０ａが開放された状態（開放状態）にある場合は、その電動役物６４０ａが閉鎖された状態（閉鎖状態）にある場合と比して、第２入球口６４０へ球が入球しやすい状態となる。よって、確変中や時短中は、第２入球口６４０へ球が入球し易い状態となり、大当たり抽選が行われる回数を増やすことができる。
【００３６】
なお、確変中や時短中において、第２入球口６４０に付随する電動役物６４０ａの開放時間を変更するのではなく、または、その開放時間を変更することに加えて、１回の当たりで電動役物６４０ａが開放する回数を通常中よりも増やす変更を行うものとしてもよい。また、確変中や時短中において、第２図柄の当たり確率は変更せず、第２入球口６４０に付随する電動役物６４０ａが開放される時間および１回の当たりで電動役物６４０ａが開放する回数の少なくとも一方を変更するものとしてもよい。また、確変中や時短中において、第２入球口６４０に付随する電動役物６４０ａが開放される時間や、１回の当たりで電動役物６４０ａを開放する回数はせず、第２図柄の当たり確率だけを、通常中と比してアップするよう変更するものであってもよい。
【００３７】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入球口６４及び第２入球口６４０への入球（始動入賞）をトリガとして、第１図柄表示装置３７Ａ，３７Ｂにおける変動表示と同期させながら、第３図柄の変動表示を行う液晶ディスプレイ（以下単に「表示装置」と略す）で構成された第３図柄表示装置８１と、第１スルーゲート６７及び第２スルーゲート６７０の球の通過をトリガとして第２図柄を変動表示するＬＥＤで構成される第２図柄表示装置８３とが設けられている。また、可変表示装置ユニット８０には、第３図柄表示装置８１の外周を囲むようにして、センターフレーム８６が配設されている。
【００３８】
第３図柄表示装置８１は８インチサイズの大型の液晶ディスプレイで構成されるものであり、表示制御装置１１４（図４参照）によって表示内容が制御されることにより、例えば上、中及び下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７で行われるのに対して、その第１図柄表示装置３７の表示に応じた装飾的な表示を行うものである。なお、表示装置に代えて、例えばリール等を用いて第３図柄表示装置８１を構成するようにしても良い。
【００３９】
第２図柄表示装置８３は、球が第１スルーゲート６７及び第２スルーゲート６７０を通過する毎に表示図柄（第２図柄）としての「○」の図柄と「×」の図柄とを所定時間交互に点灯させる変動表示を行うものである。パチンコ機１０では、球が第１スルーゲート６７又は第２スルーゲート６７０を通過したことが検出されと、当たり抽選が行われる。その当たり抽選の結果、当たりであれば、第２図柄表示装置８３において、第２図柄の変動表示後に「○」の図柄が停止表示される。また、当たり抽選の結果、外れであれば、第２図柄表示装置８３において、第３図柄の変動表示後に「×」の図柄が停止表示される。
【００４０】
パチンコ機１０は、第２図柄表示装置８３における変動表示が所定図柄（本実施形態においては「○」の図柄）で停止した場合に、第２入球口６４０に付随された電動役物６４０ａが所定時間だけ作動状態となる（開放される）よう構成されている。
【００４１】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入球口６４０の電動役物６４０ａが開放状態となる機会を遊技者に多く与えることができる。よって、確変中および時短中は、第２入球口６４０へ球が入球しやすい状態とすることができる。
【００４２】
なお、確変中または時短中において、当たり確率を高める、１回に当たりに対する電動役物６４０ａの開放時間や開放回数を増やすなど、その他の方法によっても、確変中または時短中に第２入球口６４０へ球が入球しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する電動役物６４０ａの開放時間や開放回数を遊技状態にかかわらず一定にしてもよい。
【００４３】
第１スルーゲート６７は、可変表示装置ユニット８０の左方において遊技盤に組み付けられ、遊技盤に発射された球のうち、遊技盤の左方を流下する球の一部が通過可能に構成されている。また、第２スルーゲート６７０は、可変表示装置ユニット８０の右方において遊技盤に組み付けられ、遊技盤に発射された球のうち、遊技盤の右方を流下する球の一部が通過可能に構成されている。第１スルーゲート６７又は第２スルーゲート６７０を球が通過すると、第２図柄の当たり抽選が行われる。当たり抽選の後、第２図柄表示装置８３にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００４４】
球の第１スルーゲート６７及び第２スルーゲート６７０の通過回数は、合計で最大４回まで保留され、その保留球数が上述した第１図柄表示装置３７により表示されると共に第２図柄保留ランプ８４においても点灯表示される。第２図柄保留ランプ８４は、最大保留数分の４つ設けられ、第３図柄表示装置８１の下方に左右対称に配設されている。
【００４５】
なお、第２図柄の変動表示は、本実施形態のように、第２図柄表示装置８３において複数のランプの点灯と非点灯を切り換えることにより行うものの他、第１図柄表示装置３７及び第３図柄表示装置８１の一部を使用して行うようにしても良い。同様に、第２図柄保留ランプ８４の点灯を第３図柄表示装置８１の一部で行うようにしても良い。また、第１スルーゲート６７及び第２スルーゲート６７０の球の通過に対する最大保留球数は４回に限定されるものでなく、３回以下、又は、５回以上の回数（例えば、８回）に設定しても良い。また、第１図柄表示装置３７により保留球数が示されるので、第２図柄保留ランプ８４により点灯表示を行わないものとしてもよい。
【００４６】
可変表示装置ユニット８０の下方には、球が入球し得る第１入球口６４が配設されている。この第１入球口６４へ球が入球すると遊技盤１３の裏面側に設けられる第１入球口スイッチ（図示せず）がオンとなり、その第１入球口スイッチのオンに起因して主制御装置１１０（図４参照）で大当たりの抽選がなされ、その抽選結果に応じた表示が第１図柄表示装置３７ＡのＬＥＤ３７Ａａで示される。
【００４７】
一方、可変表示装置ユニット８０の正面視右方には、球が入球し得る第２入球口６４０が配設されている。この第２入球口６４０へ球が入球すると遊技盤１３の裏面側に設けられる第２入球口スイッチ（図示せず）がオンとなり、その第２入球口スイッチのオンに起因して主制御装置１１０（図４参照）で大当たりの抽選がなされ、その抽選結果に応じた表示が第１図柄表示装置３７ＢのＬＥＤ３７Ｂａで示される。
【００４８】
また、第１入球口６４および第２入球口６４０は、それぞれ、球が入球すると５個の球が賞球として払い出される入賞口の１つにもなっている。なお、本実施形態においては、第１入球口６４へ球が入球した場合に払い出される賞球数と第２入球口６４０へ球が入球した場合に払い出される賞球数とを同じに構成したが、第１入球口６４へ球が入球した場合に払い出される賞球数と第２入球口６４０へ球が入球した場合に払い出される賞球数とを異なる数、例えば、第１入球口６４へ球が入球した場合に払い出される賞球数を３個とし、第２入球口６４０へ球が入球した場合に払い出される賞球数を５個として構成してもよい。
【００４９】
第２入球口６４０には電動役物６４０ａが付随されている。この電動役物６４０ａは開閉可能に構成されており、通常は電動役物６４０ａが閉鎖状態（縮小状態）となって、球が第２入球口６４０へ入球しにくい状態となっている。一方、第１スルーゲート６７及び第２スルーゲート６７０への球の通過を契機として行われる第２図柄の変動表示の結果、「○」の図柄が第２図柄表示装置８３に表示された場合、電動役物６４０ａが開放状態（拡大状態）となり、球が第２入球口６４０へ入球しやすい状態となる。
【００５０】
上述した通り、確変中および時短中は、通常中と比して第２図柄の当たり確率が高く、また、第２図柄の変動表示にかかる時間も短いので、第２図柄の変動表示において「○」の図柄が表示され易くなって、電動役物６４０ａが開放状態（拡大状態）となる回数が増える。更に、確変中および時短中は、電動役物６４０ａが開放される時間も、通常中より長くなる。よって、確変中および時短中は、通常時と比して、第２入球口６４０へ球が入球しやすい状態を作ることができる。
【００５１】
ここで、第１入球口６４に球が入球した場合と第２入球口６４０へ球が入球した場合とで、大当たりとなる確率は、低確率状態であっても高確率状態でも同一である。しかしながら、大当たりとなった場合に選定される大当たりの種別として１５Ｒ確変大当たりとなる確率は、第２入球口６４０へ球が入球した場合のほうが第１入球口６４へ球が入球した場合よりも高く設定されている。一方、第１入球口６４は、第２入球口６４０にあるような電動役物は有しておらず、球が常時入球可能な状態となっている。
【００５２】
よって、通常中においては、第２入球口６４０に付随する電動役物が閉鎖状態にある場合が多く、第２入球口６４０に入球しづらいので、電動役物のない第１入球口６４へ向けて、可変表示装置ユニット８０の左方を球が通過するように球を発射し（所謂「左打ち」）、第１入球口６４への入球によって大当たり抽選の機会を多く得て、大当たりとなることを狙った方が、遊技者にとって有利となる。
【００５３】
一方、確変中や時短中は、第２入球口６４０に付随する電動役物が開放状態となりやすく、第２入球口６４０に入球しやすい状態であるので、第２入球口６４０へ向けて、可変表示装置８０の右方を球が通過するように球を発射し（所謂「右打ち」）、第２入球口６４０への入球によって１５Ｒ確変大当たりとなることを狙った方が、遊技者にとって有利となる。
【００５４】
このように、本実施形態のパチンコ機１０は、パチンコ機１０の遊技状態（確変中であるか、時短中であるか、通常中であるか）に応じて、遊技者に対し、球の発射の仕方を「左打ち」と「右打ち」とに変えさせることができる。よって、遊技者に対して、球の打ち方に変化をもたらすことができるので、遊技を楽しませることができる。
【００５５】
第１入球口６４の下方には第１可変入賞装置６５が配設されており、その略中央部分に横長矩形状の特定入賞口（大開放口）６５ａが設けられている。パチンコ機１０においては、第１入球口６４への入球に起因して行われた大当たり抽選が大当たりとなると、所定時間（変動時間）が経過した後に、大当たりの停止図柄となるよう第１図柄表示装置３７ＡのＬＥＤ３７Ａａを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００５６】
また、第２入球口６４０の下方には第２可変入賞装置６５０が配設されており、その略中央部分に横長矩形状の特定入賞口（大開放口）６５０ａが設けられている。パチンコ機１０においては、第２入球口６４０への入球に起因して行われた大当たり抽選が大当たりとなると、所定時間（変動時間）が経過した後に、大当たりの停止図柄となるよう第１図柄表示装置３７ＢのＬＥＤ３７Ｂａを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５０ａが、所定時間（例えば、３０秒経過するまで、或いは、球が１０個入賞するまで）開放される。
【００５７】
この特定入賞口６５ａ，６５０ａは、いずれも所定時間が経過すると閉鎖され、その閉鎖後、再度、その特定入賞口６５ａ，６５０ａが所定時間開放される。この特定入賞口６５ａ，６５０ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００５８】
第１可変入賞装置６５及び第２可変入賞装置６５０は、具体的には、特定入賞口６５ａ又は特定入賞口６５０ａを覆う横長矩形状の開閉板と、その開閉板の下辺を軸として前方側に開閉駆動するための大開放口ソレノイド（図示せず）とをいずれも備えている。特定入賞口６５ａ，６５０ａは、通常時は、球が入賞できないか又は入賞し難い閉状態になっている。大当たりの際には大開放口ソレノイドを駆動して開閉板を前面下側に傾倒し、球が特定入賞口６５ａに入賞しやすい開状態を一時的に形成し、その開状態と通常時の閉状態との状態を交互に繰り返すように作動する。
【００５９】
なお、上記した形態に特別遊技状態は限定されるものではない。特定入賞口６５ａ，６５０ａとは別に開閉される大開放口を遊技領域に設け、第１図柄表示装置３７Ａ，３７Ｂにおいて大当たりに対応したＬＥＤ３７Ａａ，ＬＥＤ３７Ｂａが点灯した場合に、特定入賞口６５ａ，６５０ａが所定時間開放され、その特定入賞口６５ａ，６５０ａの開放中に、球が特定入賞口６５ａ，６５０ａ内へ入賞することを契機として特定入賞口６５ａ，６５０ａとは別に設けられた大開放口が所定時間、所定回数開放される遊技状態を特別遊技状態として形成するようにしても良い。
【００６０】
遊技盤１３の下側における左右の隅部には、証紙や識別ラベル等を貼着するための貼着スペースＫ１，Ｋ２が設けられ、貼着スペースＫ１に貼られた証紙等は、前面枠１４の小窓３５（図１参照）を通じて視認することができる。
【００６１】
更に、遊技盤１３には、アウト口６６が設けられている。いずれの入賞口６３，６４，６５ａ，６４０，６５０ａにも入球しなかった球はアウト口６６を通って図示しない球排出路へと案内される。遊技盤１３には、球の落下方向を適宜分散、調整等するために多数の釘が植設されているとともに、風車等の各種部材（役物）が配設されている。
【００６２】
図３に示すように、パチンコ機１０の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００６３】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００６４】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００６５】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００６６】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００６７】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００６８】
次に、図４を参照して、本パチンコ機１０の電気的構成について説明する。図４は、パチンコ機１０の電気的構成を示すブロック図である。
【００６９】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７および第３図柄表示装置８１における表示の設定、第２図柄表示装置８３における表示結果の抽選といったパチンコ機１０の主要な処理を実行する。
【００７０】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００７１】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００７２】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００７３】
主制御装置１１０のＭＰＵ２０１には、アドレスバス及びデータバスで構成されるバスライン２０４を介して入出力ポート２０５が接続されている。入出力ポート２０５には、払出制御装置１１１、音声ランプ制御装置１１３、第１図柄表示装置３７、第２図柄表示装置８３、第２図柄保留ランプ８４、特定入賞口６５ａ，６５０ａの開閉板の下辺を軸として前方側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００７４】
また、入出力ポート２０５には、図示しないスイッチ群やセンサ群などからなる各種スイッチ２０８や、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００７５】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００７６】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００７７】
払出制御装置１１１のＭＰＵ２１１には、アドレスバス及びデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００７８】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【００７９】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００８０】
音声ランプ制御装置１１３のＭＰＵ２２１には、アドレスバス及びデータバスで構成されるバスライン２２４を介して入出力ポート２２５が接続されている。入出力ポート２２５には、主制御装置１１０、表示制御装置１１４、音声出力装置２２６、ランプ表示装置２２７、枠ボタン２２などがそれぞれ接続されている。
【００８１】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた背面画像を第３図柄表示装置８１に表示させるべく、変更後のステージに関する情報を含めた背面画像変更コマンドを表示制御装置１１４へ送信する。ここで、背面画像とは、第３図柄表示装置８１に表示させる主要な画像である第３図柄の背面側に表示される画像のことである。表示制御装置１１４は、この音声ランプ制御装置１１３から送信されるコマンドに従って、第３図柄表示装置８１に各種の画像を表示する。
【００８２】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【００８３】
表示制御装置１１４は、音声ランプ制御装置１１３及び第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【００８４】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【００８５】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図示せず）を正常に実行し完了することができる。
【００８６】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００８７】
次いで、図５から図を参照して、操作ハンドル５１の詳細構成について説明する。
【００８８】
図５（ａ）は操作ハンドル５１の上面図であり、図５（ｂ）は操作ハンドル５１の正面図である。また、図６は、図５（ａ）の矢印ＶＩ方向視における操作ハンドル５１の側面図である。なお、図５（ａ）及び図６では、下皿ユニット１５の前面が二点鎖線により模式的に図示される。
【００８９】
図５及び図６に示すように、操作ハンドル５１は、ハンドル取付台５２０と、ハンドルベース５３０と、ハンドル回動部５４０と、前カバー５５０と、ボタン部材５７０と、連動回動部６００と、を備えて構成され、パチンコ機１０（図１参照）の前面から水平姿勢で突出される。
【００９０】
ハンドル取付台５２０は、その背面（図５（ａ）左側）が下皿ユニット１５の前面に固着され、ハンドルベース５３０は、ハンドル取付台５２０の前面（図５（ａ）右側）に配設される。これら両部材５２０，５３０は、一方が他方に軸支され、その軸支された部分を中心として、ハンドル取付台５２０に対し、ハンドルベース５３０が、上下方向に変位可能に連結される（図２０及び図２１参照）。
【００９１】
ハンドルベース５３０には、発射停止スイッチ操作部４４０が配設される。発射停止スイッチ操作部４４０は、ハンドルベース４６０の内部に設けられた発射停止スイッチ５１ｂ（図７参照）のオン・オフを切り換えるためのレバーであり、ハンドルベース５３０の左側面（図５（ｂ）左側）から突出した状態で配設される。遊技者は、発射停止スイッチ操作部４４０を押下することにより、ハンドル回動部５４０の回動操作量（回動位置）にかかわらず、遊技球の発射を停止することができる。
【００９２】
ハンドル回動部５４０は、ハンドルベース５３０の前面（図５（ａ）右側）に回動可能に取り付けられる。遊技者は、ハンドル回動部５４０を、操作ハンドル５１の正面視（図５（ｂ）参照）において、右回り（時計回り）方向に回動操作することにより、遊技球の発射強度を増大させることが可能である。
【００９３】
また、ハンドル回動部５４０は、遊技者の回動操作が解除されると、ハンドル付勢ばね５３７（図７参照）の付勢力により、その回動位置が初期位置へ復帰される。この場合、ハンドル回動部５４０によれば、ハンドル取付台５２０に対してハンドルベース５３０を、軸支された部分を中心として変位させることで（図２１参照）、ハンドル回動部５４０の回動位置を任意の回動位置で固定可能に構成される。即ち、球の発射強度を任意の強度で固定できる。かかるハンドル回動部５４０の固定構造については、後述する。
【００９４】
なお、ハンドル回動部５４０には、遊技者が指を掛けるための３つの指掛け部５４０ａ，５４０ｂ，５４０ｃが形成される。また、ハンドル回動部５４０の外周面には、指掛け部５４０ａに隣接する位置に、目印５４０ｄが表示される。目印５４０ｄは、ハンドル回動部５４０と連動回動部６００（目印６００ｃ）との間の相対位置を示すための直線状の表示である。
【００９５】
なお、目印５４０ｄは、本実施形態では、塗装により表示されるが、シールの貼着により表示するものであっても良い。また、ハンドル回動部５４０の外周面の一部に突部または凹部を突設または凹設して、かかる突部または凹部を目印５４０ｄとしても良い。
【００９６】
ハンドルベース５３０には、連動回動部６００が配設される。連動回動部６００は、ハンドル回動部５４０の回動位置を記憶するための部材であり、ハンドルベース５３０の外周面から先端（目印６００ｃ）を突出させた状態で配設される。連動回動部６００は、通常の状態では、ハンドル回動部５４０の回動に連動して回動される一方、ボタン部材５７０が押し込み操作されると（図２３参照）、ハンドル回動部５４０から切り離され（非連動とされ）、ハンドルベース５３０に固定される。即ち、ボタン部材５７０を押し込み操作した時点でのハンドル回動部５４０の回動位置が連動回動部６００の回動位置として記憶される。
【００９７】
よって、遊技者は、遊技球の発射強度が所望の発射強度となる回動位置（例えば、第１入球口６４へ遊技球を入球させるのに適した左打ち時の回動位置）にハンドル回動部５４０の回動位置を調整できた際に、ボタン部材５７０を操作して、連動回動部６００の回動位置を固定しておくことで、例えば、休憩を取るために、ハンドル回動部５４０の回動位置を初期位置へ復帰させ遊技を中断した後や、右打ちをするために、ハンドル回動部５４０の回動位置を最大回動位置まで回動させた後に、ハンドル回動部５４０の回動位置を元の回動位置（即ち、遊技を中断する前や右打ちする前の回動位置であって、左打ちに適した回動位置）に調整する場合には、連動回動部６００が固定されている回動位置を基準として、ハンドル回動部５４０を回動させる（即ち、ハンドル回動部５４０の目印５４０ｄを連動回動部６００の目印６００ｃに一致させる）ことで、ハンドル回動部５４０の回動位置を元の回動位置に正確かつ迅速に調整する（元の回動位置を正確かつ迅速に再現する）ことができる。
【００９８】
前カバー５５０は、前方（図５（ａ）及び図６右方向）へ凸となる半球状に形成され、ハンドル回動部５４０の前面に取り付けられる。前カバー５５０の頂部には、正面視円形の開口５５０ａが形成され、その開口５５０ａからボタン部材５７０が突出（露出）される。ボタン部材５７０は、前カバー５５０と同心の半球状に形成され、図５及び図６に示す初期位置（押し込み操作される前の状態）では、前カバー５５０と一体となって１の半球体を形成する一方、押し込み操作されると、前カバー５５０の内部へ向けて没入される（図２３参照）。
【００９９】
次いで、図７を参照して、ハンドルベース５３０について説明する。図７はハンドル取付台５２０及びハンドルベース５３０の正面斜視図であり、ハンドル回動部５４０及び前カバー５５０が取り外された状態における操作ハンドル５１の正面斜視図に対応する。
【０１００】
図７に示すように、ハンドルベース５３０は、正面視が円形の筒状に形成される外周壁５３１と、その外周壁５３１の一方（背面）の開口を塞ぐ底壁５３２とを備え、これら両部材５３１，５３２によって、内部が背面側に窪んだ（即ち、前面側が開放された）容器形状に形成される。底壁５３２には、ガイド支柱５３３ａ〜５３３ｃと、内周壁５３４と、軸受部５３５とが背面から前面へ向けて立設される。
【０１０１】
ガイド支柱５３３ａ〜５３３ｃは、その立設先端に前カバー５５０が締結固定される部位であり、締結ねじが挿通可能な（即ち、底壁５３２側および立設先端の両端に開口を有する貫通孔が貫通形成された）中空の筒形状に形成される。ガイド支柱５３３ａ〜５３３ｃの貫通孔に底壁５３２側から挿通された締結ねじが、前カバー５５０のねじ台座５５２ａ〜５５２ｃ（図１０参照）にそれぞれ締結されることで、ハンドルベース５３０の前面に前カバー５５０が固着される。
【０１０２】
内周壁５３４は、正面視円形の筒状に形成され、外周壁５３１との間に一定の間隔を隔てつつ、その外周壁５３１の内周側に同心に配設される。内周壁５３４は、周方向の２ヶ所で分断されており、それら２ヶ所の分断された部位（切り欠き部５３４ａ，５３４ｂ）には、一方に発射停止スイッチ操作部４４０が、他方にハンドル規制部材７００が、それぞれ配設される。
【０１０３】
また、外周壁５３１及び内周壁５３４には、底壁５３２からの立設高さが低くされた領域である逃げ部５３１ｃ，５３４ｃが形成される。逃げ部５３１ｃ，５３４ｃの形成により確保された空間を利用して、連動回動部６００が回動可能とされる。なお、逃げ部５３１ｃ，５３４ｃは、切り欠き部５３４ａに隣接する位置に形成されると共に、その形成範囲は、本実施形態では中心角が約９０度の範囲とされる。
【０１０４】
即ち、ハンドル回動部５４０の回動範囲と同一の中心角の大きさに設定される。これにより、ハンドル回動部５４０の回動範囲の全領域を連動回動部６００が回動可能とされ、ハンドル回動部５４０の回動量（操作量）に関わらず、ハンドル回動部５４０との相対位置を連動回動部６００により示すことができる。
【０１０５】
軸受部５３５は、ハンドル回動部５４０及び連動回動部６００を回動可能に保持（軸支）するための切替支持軸８１０（図８参照）が回動可能に挿入される筒状の部位である。軸受部５３５の側方には、従動ギヤ５３６が配設される。従動ギヤ５３６は、ハンドル回動部５４０の主動ギヤ５４４（図８参照）が歯合されるギヤであり、可変抵抗器（図示せず）の抵抗軸ＶＲａに固着される。よって、従動ギヤ５３６が回動されると、その回動量（回動位置）に応じて、可変抵抗器ＶＲの抵抗値が変化される。
【０１０６】
従動ギヤ５３６には、ねじりばねとして形成されるハンドル付勢ばね５３７から、正面視右回り（時計回り）方向へ付勢力が付与され、その付勢力により初期位置（ストッパ部５３６ａが軸受部５３５の外周突起５３５ｂに当接され回動が規制される位置）に復帰される。なお、可変抵抗器は底壁５３２に固着される。
【０１０７】
軸受部５３５の側方であって、従動ギヤ５３６の反対側には、発射停止スイッチ５１ｂが固着される。発射停止スイッチ５１ｂの側方には、揺動可能な揺動片５１ｂ１が突出され、その揺動片５１ｂ１が、発射停止スイッチ操作部４４０により押下されることで、発射停止スイッチ５１ｂがオン・オフされる。
【０１０８】
連動回動軸６００は、軸受部５３５に切替支持軸８１０（図９参照）を介して回動可能に軸支される円筒状の軸支部分６００ａと、その軸支部分６００ａの外周面から径方向外方へ向けて延設される角柱状の延設本体６００ｂと、その延設本体６００ｂの延設先端に取着される三角板状の目印６００ｃとを備え、目印６００ｃがハンドルベース５３０の外周面側に視認可能に配設される。なお、連動回動部６００には、ねじりばねとして形成される連動部付勢ばね６０１から、正面視左回り（反時計回り）方向へ付勢力が付与され、その付勢力により初期位置に復帰される。
【０１０９】
次いで、図８を参照して、ハンドル回動部５４０について説明する。図８は、ハンドル回動部５４０の背面斜視図である。
【０１１０】
図８に示すように、ハンドル回動部５４０は、ハンドルベース５３０の前面を覆う正面視円形の円板状に形成される円板部５４１と、その円板部５４１の外周縁部から背面側へ向けて立設され正面視が円形の筒状に形成される外周壁５４２と、円板部５４１の中央において背面へ向けて突設する姿勢で配設される切替支持軸８１０と、その切替支持軸８１０の基部において円板部５４１に固着される主動ギヤ５４４と、円板部５４１を板厚方向に貫通して形成されるガイド孔５４５ａ，５４５ｂとを備える。
【０１１１】
ハンドル回動部５４０は、切替支持軸８１０がハンドルベース５３０の軸受部５３５（図７参照）に挿入されることで、ハンドルベース５３０に対して回動可能に保持（軸支）され（図２２参照）、この場合、主動ギヤ５４４が、ハンドルベース５３０の従動ギヤ５３６に歯合される。よって、ハンドル回動部５４０が回動操作されると、主動ギヤ５４４を介して従動ギヤ５３６が回動され、その従動ギヤ５３６の回動による抵抗軸ＶＲａの回動が可変抵抗器の抵抗を変化させるので、可変抵抗器の抵抗値（即ち、ハンドル回動部５４０の回動操作量）に応じて、球の発射強度を調整できる。
【０１１２】
なお、本実施形態では、軸受部５３５と抵抗軸ＶＲａとの軸方向が互いに平行とされると共にその軸方向に対し従動ギヤ５３６の歯（歯溝）が平行に延設される（図７参照）。また、ハンドル回動部５４０の回動軸５４３の軸方向に対し主動ギヤ５４４の歯（歯溝）が平行に延設される。
【０１１３】
ガイド孔５４５ａ，５４５ｂは、ガイド支柱５３３ａ〜５３３ｃを挿通させるために開口された孔であり、それぞれハンドル回動部５４０の外縁に沿って湾曲する長穴形状（即ち、回動軸５４３を中心とする円環形状を位相が１８０°異なる２ヶ所で分断した形状）に形成される。ガイド孔５４５ａにはガイド支柱５３３ａが挿通され、ガイド孔５４５ｂにはガイド支柱５３３ｂ，５３３ｃが挿通される。
【０１１４】
よって、ガイド支柱５３３ａ及びガイド支柱５３３ｂ，５３３ｃは、ハンドル回動部５４０の回動に伴って、ガイド孔５４５ａ及びガイド孔５４５ｂの中をそれぞれ案内される。そのため、ハンドル回動部５４０の回動可能な範囲は、ガイド孔５４５ａ，５４５ｂの中をガイド支柱５３３ａ〜５３３ｃが相対的に移動可能な範囲に制限される。詳細には、２本の支柱（ガイド支柱５３３ｂ，５３３ｃ）が挿通されるガイド孔５４５ｂによりハンドル回動部５４０の回動範囲が規定され、その回動範囲は、本実施形態では、略９０度（１／４周）となる。
【０１１５】
次いで、図９を参照して、切替支持軸８１０について説明する。図９（ａ）は、切替支持軸８１０の斜視図であり、図９（ｂ）は、切替支持軸８１０の軸心を含む平面で切断した切替支持軸８１０の断面図である。なお、図９（ｂ）では、ハンドル回動部５４０に装着された状態が図示される。
【０１１６】
図９（ａ）及び図９（ｂ）に示すように、切替支持軸８１０は、軸心Ｏを有する円板状の円形基板８１１と、その円形基板８１１の背面から立設されると共に円形基板８１１と同心の円筒状に形成される円筒部８１２とを備え、これら円形基板８１１及び円筒部８１２が樹脂材料から一体に形成される。
【０１１７】
ここで、ハンドル回動部５４０は、図９（ｂ）に示すように、円板部５４１の中央部分に、蓋部材５４１ａを締結固定し、これら円板部５４１と蓋部材５４１ａとの間に、切替支持軸８１０の円形基板８１１を遊嵌する構造に形成される。よって、切替支持軸８１０は、ハンドル回動部５４０に対して、相対的に回動可能な状態で支持される。
【０１１８】
円筒部８１２には、第１変形許容部８１２ａ、第２変形許容部８１２ｂ及び第３変形許容部８１２ｃが軸心Ｏ方向に沿って等間隔に形成される。第１変形許容部８１２ａは、円筒部８１２の外周面を窪ませると共に内周面を膨らませることで軸心Ｏ側へ突出すると共に円筒部８１２の外周面側が開放された半球の容器形状に形成される４個の半球状部Ｒと、それら各半球状部Ｒの窪み側（円筒部８１２の外周側）の中央にそれぞれ突設される突起Ｔとを備える。
【０１１９】
なお、半球状部Ｒは、周方向４ヶ所に等間隔に配設される。また、第２変形許容部８１２ｂ及び第３変形許容部８１２ｃは、第１変形許容部８１２ａと同一の構成であるので、その説明は省略する。
【０１２０】
円筒部８１２は、ハンドル回動部５４０が回動操作される際のハンドル回動部５４０と連動回動部６００との連動／非連動の切り替え、ハンドル回動部５４０から連動回動部６００が非連動とされた連動回動部６００のハンドルベース５３０への固定、及び、ハンドルベース５３０に対する連動回動部６００の固定／非固定の切り替えを可能とするための部材である。
【０１２１】
具体的には、円筒部８１２の内周側には、後述するように、ボタン部材５７０の挿入移動体５７４が挿入される（図２２から図２４参照）。各変形許容部８１２ａ〜８１２ｃにおいて、４個の半球状部Ｒの軸心Ｏ側の頂部を連ねる仮想円の内径は、ボタン部材５７０の挿入移動体５７４における外径よりも小さな寸法に設定される。そのため、ボタン部材５７０の挿入移動体５７４が円筒部８１２の内周側に挿入されると、挿入移動体５７４の外周面によって半球状部Ｒが径方向外方へ向けて押し出され、突起Ｔが円筒部８１２の外周面よりも径方向外方へ突出される。その結果、円筒部８１２の外周側に回動可能に軸支される部材の内周面を突起Ｔが押圧し、突起Ｔに内周面を押圧された部材と円筒部８１２とが一体化（即ち、回動が連動可能と）される。
【０１２２】
なお、第１変形許容部８１２ａは、ハンドル回動部５４０（円板部５４１及び主動ギヤ５４４の内周面）に対応する位置に形成され、第２変形許容部８１２ｂは、連動回動部６００（軸支部分６００ａの内周面）に対応する位置に形成され、第３変形許容部８１２ｃは、ハンドルベース５３０（軸受部５３５の内周面）に対応する位置に形成される（図２２から図２４参照）。
【０１２３】
次いで、図１０を参照して、前カバー５５０について説明する。図１０（ａ）は、前カバー５５０の背面斜視図であり、図１０（ｂ）は、案内溝５５３の正面図である。
【０１２４】
図１０（ａ）に示すように、前カバー５５０は、内部が前面側に窪んだ（即ち、背面側が開放された）半球の容器形状に形成され、その頂部には、正面視円形の穴である開口５５０ａが開口形成されると共に、内壁面には、ねじ台座５５２ａ〜５５２ｃが背面へ向けて立設される。ねじ台座５５２ａ〜５５２ｃには、ガイド支柱５３３ａ〜５３３ｃがそれぞれ締結固定される。また、前カバー５５０の内壁面には、開口５５０ａと同じ内径を有する筒状の筒状案内部５５４が回動軸方向に沿って延設される。筒状案内部５５４は、その内周面によりボタン部材５７０の操作部５７１を回動軸方向へ沿って案内する。
【０１２５】
なお、前カバー５５０とハンドル回動部５４０との間には、ねじりばねとして形成されるハンドル付勢ばね（図示せず）が配設される。このハンドル付勢ばねは、ハンドル回動部５４０を正面視において左回り（反時計回り）へ付勢する。この付勢方向は、上述した従動ギヤ５３６を付勢するハンドル付勢ばね５３７が（図７参照）、従動ギヤ５３６及び主動ギヤ５４４を介して、ハンドル回動部５４０を付勢する付勢方向と一致する。よって、遊技者がハンドル回動部５４０から手を離すと、ハンドル回動部５４０は、前カバー５５０とハンドル回動部５４０との間に配設される図示しないハンドル付勢ばねと、従動ギヤ５３６を付勢するハンドル付勢ばね５３６との二つのばねの付勢力によって、初期位置へ復帰される。
【０１２６】
前カバー５５０の内壁面には、べース部５５１が配設され、そのベース部５５１の平坦面に案内溝５５３が凹設される。案内溝５５３は、ボタン部材５７０を、第１位置または第２位置の２位置で保持可能な押しボタンスイッチとして機能させるための公知の「ハートカム方式」における溝である。即ち、案内溝５５３は、図１０（ｂ）に示すように、正面視ハート形状をなす周回経路として形成されると共に、その経路中には複数の段差が方向性を有して形成される。
【０１２７】
ボタン部材５７０は、その押し込み操作に伴って、案内ピン片５７５（図１１参照）が案内溝５５３に沿って移動することで、第１位置または第２位置のいずれかで保持される。また、第２位置から第１位置へ復帰する過程では、遊技者により押し込まれた状態に維持されている間のみボタン部材５７０が第３位置に保持される。
【０１２８】
次いで、図１１及び図１２を参照して、ボタン部材５７０について説明する。図１１は、ボタン部材５７０の背面斜視図であり、図１２は、移動挿入体５７４と軸体５７３との連結構造を図示するボタン部材５７０の分解斜視図である。
【０１２９】
図１１及び図１２に示すように、ボタン部材５７０は、球体の一部を切断した形状に形成されると共に前カバー５５０の開口５５０ａから突出され遊技者によって押し込み操作される操作部５７１と、その操作部５７１の背面に形成される背面ベース５７２と、その背面ベース５７２から延設される軸体５７３と、その軸体５７３の延設先端に回動可能に取着されると共に円柱状に形成される挿入移動体５７４と、背面ベース５７２の外面に配設される案内ピン片５７５とを備えて構成され、操作部５７１、背面ベース５７２及び軸体５７３が同心に配設されると共に樹脂材料から一体に形成される。
【０１３０】
軸体５７３は、断面円形の軸状部５７３ａと、その軸状部５７３ａの先端に配設されると共に軸状部５７３ａよりも大径の球状に形成される球状部５７３ｂとを備える。移動挿入体５７４は、軸心を含む平面で円柱形状を２分割してなる２つの部材を貼り合わせて形成される。これら２つの部材には、軸体５７３の球状部５７３ｂを受け入れる空間となる球受入部５７４ｂと、軸体５７３の軸状部５７３ａを受け入れると共に球状部５７３ｂが通過不能な空間となる軸受入部５７４ａとが形成される。これにより、挿入移動体５７４は、軸体５７３に対して、軸心まわりに回動可能、かつ、軸心方向に移動不能な状態で装着される。
【０１３１】
案内ピン片５７５は、前カバー５５０のベース部５５１に形成される案内溝５５３（図１０参照）に案内される部材であり、金属材料からなる断面円形の棒状体を折り曲げて形成される。案内ピン片５７５は、背面ベース５７２に回動可能に埋設される基端部分と、その基端部分からボタン部材５７０の軸心方向（即ち、押し込み操作の方向）へ延設される本体部分と、その本体部分の先端側をボタン部材５７０の径方向外方へ向けて９０度折り曲げて形成される先端部分とからなり、その先端部分が案内溝５５３に９０度の角度で接する。
【０１３２】
案内ピン片５７５は、上述したように、ボタン部材５７０の押し込み操作に合わせて、案内溝５５３（図１０参照）を移動する。ここで、図１０（ｂ）に戻って、案内ピン片５７５が案内溝５５３に案内されることで、ボタン部材５７０が第１位置または第２位置に保持される構造を説明する。
【０１３３】
図１０（ｂ）に示すように、案内ピン片５７５が位置Ｐ１に位置する状態では、ボタン部材５７０は第１位置に位置する。この状態では、案内ピン片５７５は、ボタン付勢ばね５９０（図２２〜図２４参照）の付勢力により、案内溝５５３の壁部５５３ａに押し付けられ、位置Ｐ１に維持される。
【０１３４】
第１位置にあるボタン部材５７０が押し込み操作されると、案内ピン片５７５が案内溝５３５の形状に沿って案内され（経路Ｌ１）、第１の段差の終端５５３ｂを乗り越えた後、壁部５５３ｃに突き当たる。これにより、ボタン部材５７０の押し込み操作が不能となる。よって、遊技者がボタン部材５７０から手を離し、押し込み方向への操作力が解除される。
【０１３５】
これにより、案内ピン片５７５は、ボタン付勢ばね５９０の付勢力により、案内溝５３５の形状に沿って案内され（経路Ｌ２）、第２の段差の終端５５３ｄを乗り越えた後、壁部５５３ｃに突き当たることで、位置Ｐ２に位置される。その結果、ボタン部材５７０が第２位置に設定（保持）される。
【０１３６】
第２位置にあるボタン部材５７０が押し込み操作されると、案内ピン片５７５が案内溝５３５の形状に沿って案内され（経路Ｌ３）、第３の段差の終端５５３ｆを乗り越えた後、壁部５５３ｇに突き当たる（位置Ｐ３）。これにより、ボタン部材５７０の押し込み操作が不能となる。よって、遊技者がボタン部材５７０から手を離し、押し込み方向への操作力が解除される。
【０１３７】
これにより、案内ピン片５７５は、ボタン付勢ばね５９０の付勢力により、案内溝５３５の形状に沿って案内され（経路Ｌ４）、第４の段差の終端５５３ｈを乗り越えた後、壁部５５３ａに突き当たることで、位置Ｐ１に位置される。その結果、ボタン部材５７０が第１位置に設定（保持）される。即ち、案内ピン片５７５が案内溝５５３（ハート形状の周回経路）を１周することで、ボタン部材５７０が第１位置に復帰される。
【０１３８】
なお、第２位置にあるボタン部材５７０が押し込み操作され、案内ピン片５７５が壁部５５３ｇに突き当てられ、位置Ｐ３にある状態が、ボタン部材５７０の第３位置とされる。即ち、第３位置は、第２位置にあるボタン部材５７０が、押し込み可能な位置（位置Ｐ３）まで遊技者により押し込まれている間（即ち、案内ピン片５７５が壁部５５３ｇに突き当てられている状態が維持されている間）だけ形成される。
【０１３９】
この場合、挿入移動体５７４は、第１位置では第１変形許容部８１２ａ及び第２変形許容部８１２ｂのみを変形させる位置に、第２位置では第２形許容部８１２ｂ及び第３変形許容部８１２ｃのみを変形させる位置に、第３位置では第３変形許容部８１２ｃのみを変形させる位置に、それぞれ配置される（図２４から図２６参照）。
【０１４０】
次いで、図１３を参照して、ボス部材５６０について説明する。図１３は、ハンドルベース５３０の背面斜視図である。なお、図１３では、可変抵抗器や発射停止スイッチ操作部４４０などが取り外された状態が図示されると共に、軸５６３と軸受５２３との位置関係が二点鎖線を用いて模式的に図示される。
【０１４１】
図１３に示すように、ボス部材５６０は、ハンドル取付台５２０に対してハンドルベース５３０を、軸支された部分を中心として、変位可能に連結するための部材であり、ハンドルベース５３０の背面から突設される。即ち、後述するように、ハンドル取付台５２０には軸受５２３が形成されると共に、ボス部材５６０には軸５６３が形成され、軸受５２３に軸５６３が回動可能に軸支されることで、その軸支された部分を中心（支点）として、ハンドル取付台５２０に対してハンドルベース５３０が変位可能とされる。なお、軸支された部分を中心（支点）とするハンドルベース５３０のハンドル取付台５２０に対する変位を「揺動」または「回動」と表現しても良い。
【０１４２】
ボス部材５６０は、ハンドルベース５３０の背面（底壁５３２）に締結固定される平板状の基部５６１と、その基部５６１から背面へ向けて突出され断面円形の棒状に形成される突出部５６２と、その突出部５６２の外側面から左右へ向けて一対が張り出される軸状の軸５６３と、突出部５６２の突出先端における下面に配設されるハーネスガイド５６４とを主に備えて構成される。
【０１４３】
突出部５６２の上面には、基部５６１（軸５６３）から離間する（即ち、ハーネスガイド５６４側へ向かう）に従って下降傾斜される傾斜面５６２ａが形成される。ここで、ボス部材５６０の突出部５６２は、ハンドル取付台５２０に対するハンドルベース５３０の軸支部分（軸５６３及び軸受５２３）を中心とする変位に伴い、軸５６３よりも突出先端側（ハーネスガイド５６４側）の部位が上方へ向けて変位される部位であるため（図１６及び図１７参照）、上方に位置する他の部材（即ち、ハンドル取付台５２０内に配設されるスイッチ、ＩＣ装置、ハーネス、或いは、ハンドル取付台５２０に一体に形成される補強リブ５２６など）との干渉を避ける必要がある。
【０１４４】
この場合、他の部材の配設位置を上方へ移動させるのでは、その分、ハンドル取付台５２０の大型化を招くところ、突出部５６２の上面に傾斜面５６２ａを形成することで、ハンドル取付台５２０の小型化を図りつつ、他の部材と突出部５６２との干渉を回避できる。特に、傾斜面５６２ａが上述のように軸５６３から離間するに従って下降傾斜する傾斜面として形成されることで、変位量が大きい突出先端側ほど逃げ量を大きくして、他の部材との干渉を効果的に回避しつつ、変位量が小さい軸５６３側では突出部５６２の切除量を最小として、突出部５６２の剛性を確保することができる。
【０１４５】
突出部５６２の突出先端には、ベース付勢ばねＳＰ（図１６参照）を保持するための一対のガイド壁５６２ｂが立設される。このように、一対のガイド壁５６２ａの間でベース付勢ばねＳＰを保持する構造とすることで、構造を簡素化して、部品コストの削減を図ることができると共に、ベース付勢ばねＳＰを組み付ける際の組み付け性の向上を図ることができる。なお、ガイド壁５６２ｂの対向間に位置する突出部５６２の上面は、背面視において円弧状に湾曲して形成され、ベース付勢ばねＳＰをスムーズに弾性変形させることができる。
【０１４６】
ハーネスガイド５６４は、電気的な配線をガイドするための部材であり、背面視において枠状に形成される。ハンドルベース５３０内から底壁５３２の開口を介してハンドル取付台５２０内に入り込む配線（発射停止スイッチ５１ｂの配線など）やハンドル取付台５２０内に存在する配線（可変抵抗器の配線など）を、ハーネスガイド５６４の枠内に収容する（枠内を通過させる）ことで、ハンドルベース５３０が軸支部分（軸５６３及び軸受５２３）を中心として変位される際に、突出部５６２の上面、或いは、ハーネスガイド５６４の下面と、他の部材やハンドル取付台５２０の内壁面との間に配線を挟み込んで、断線させてしまうことを回避することができる。
【０１４７】
なお、突出部５６２の上面からガイド壁５６２ｂを突出させることは、他の部材やハンドル取付台５２０との間で配線を挟み込む可能性を高める。本実施形態では、ハーネスガイド５６４を設け、このハーネスガイド５６４の枠内を通過させることで、配線の挟み込み（断線）を抑制することが可能となっている。これにより、突出部５６２の上面にガイド壁５６２ｂを突出させることが可能となり、ベース付勢ばねＳＰを保持する構造の簡素化とその組み付け性の向上とを図ることができる。
【０１４８】
ハンドルベース５３０の背面（底壁５３２）には、合わせ面部５３２ａが形成される。合わせ面部５３２ａは、ハンドル取付台５２０の上合わせ面部５２７（及び下合わせ面部５２８）が当接される部位であり、ボス部材５６０の基部５６１の周囲を取り囲む縦長の円環状の領域に、全体が面一の平坦面として形成される。
【０１４９】
次いで、図１４及び図１５を参照して、ハンドル取付台５２０について説明する。図１４はハンドル取付台５２０の分解状態における斜視図である。図１５（ａ）はハンドル取付台５２０の組み立て状態における斜視図であり、図１５（ｂ）は第１本体５２０ａの内側面図である。
【０１５０】
図１４及び図１５に示すように、ハンドル取付台５２０は、縦長の筒状体として形成され、第１本体５２０ａと第２本体５２０ｂとに縦に２分割される。これら第１本体５２０ａ及び第２本体５２０ｂの合わせ面には、位置決め突起５２１ａが一方から突設されると共に、その位置決め突起５２１ａを受け入れて位置決めを行うための位置決め孔５２１ｂが他方の対応する位置に凹設される。同様に、締結ねじを挿通させるための挿通孔５２２ａが一方に貫通形成されると共に、その挿通孔５２２ａを挿通された締結ねじが締結されることで第１本体５２０ａ及び第２本体５２０ｂを締結固定するための締結孔５２２ｂが他方の対応する位置に凹設される。
【０１５１】
第１本体５２０ａ及び第２本体５２０ｂの内壁面には、軸受５２３と、係止爪部５２４と、収容凹部５２５と、補強リブ５２６とがそれぞれ形成される。軸受５２３は、ボス部材５６０の軸５６３を回動可能に軸支するための軸受部（凹部）であり、一対が対向して配設される。係止爪部５２４は、ベース付勢ばねＳＰの端部を係止するための部位であり（図１２参照）、背面へ向けて張り出しつつ下方に折れ曲がるフック状に形成される。
【０１５２】
収納凹部５２５及び補強リブ５２６は、第１本体５２０ａ及び第２本体５２０ｂの一方および他方の対向する位置に配設される部位である。即ち、収納凹部５２５は、ＩＣ装置などの部品を収容して保持するための凹部であり、その収容する部品の外形に対応する形状に形成され、補強リブ５２６は、内壁面から収納凹部５２５へ向けて突設され、その突設先端により、収納凹部５２５に収納された部品を押圧することで、ハンドル取付台５２０全体としての剛性を高める。
【０１５３】
第１本体５２０ａ及び第２本体５２０ｂの前面（図１１（ｂ）右側面）には、ハンドルベース５３０の合わせ面部５３２ａ（図９参照）に当接される上合わせ面部５２７及び下合わせ面部５２８が形成される。これら上合わせ面部５２７及び下合わせ面部５２８は、ハンドル取付台５２０の前面側の端面（正面視において縦長の円環状の面）に形成されると共に、それぞれが面一の平坦面として形成される。なお、下合わせ面部５２８は、上合わせ面部５２７から離間するに従って背面へ向けて傾斜される。これにより、ハンドル取付台５２０に対しハンドルベース５３０が軸支部分（軸５６３及び軸受５２３）を中心として変位可能となる（図１６及び図１７参照）。
【０１５４】
第１本体５２０ａの下合わせ面部５２８は、その一部が拡大されて（即ち、第１本体５２０ａの内壁面から径方向内方へ板状体が張り出され）、その拡大部分（張り出し部分）が、ハンドル規制部材７００の被押圧面部７０２ａを押圧するための押圧面部５２８ａとされる。押圧面部５２８ａの背面側には補強部５２８ｂが連設される。補強部５２８ｂは、板状に形成され、押圧面部５２８ａの上端側のみが、第１本体５２０ａの内壁面および段差面５２０ａ１に連結される。これにより、第１本体５２０ａの内壁面と補強部５２８ｂとの間に空間を形成できる分、樹脂材料を抑制して、部品コストの削減を図りつつ、押圧面部５２８ａの剛性を効果的に高めて、耐久性の向上を図ることができる。
【０１５５】
次いで、図１６を参照して、ベース付勢ばねＳＰについて説明する。図１６は、ハンドル取付台５２０及びハンドルベース５３０の背面斜視図である。なお、図１６では、可変抵抗器などが取り外された状態が図示されると共に、その他の部品の配線の図示が省略される。
【０１５６】
図１６に示すように、ベース付勢ばねＳＰは、コイルスプリングとして形成され、弾性的に引張変形（伸張）された状態で、両端の円環状の部分が係止爪部５２４に係止されると共に、コイルスプリングの略中間部分がボス部材５６０の突出部５６２における突出先端（一対のガイド壁５６２ｂの対向間）に架け渡される。
【０１５７】
これにより、ボス部材５６０は、ベース付勢部材ＳＰの弾性回復力により、軸５６３を中心として、突出部５６２における突出先端が係止爪部５２４へ近接する方向（下方）へ付勢される。その結果、ハンドル取付台５２０に対し、ハンドルベース５３０が上方へ変位される（図２０参照）。
【０１５８】
ハンドル取付台５２０は、背面が開放して形成されるので、かかる背面の開放部分からハンドル取付台５２０の内部空間を露出させることができる。これにより、ベース付勢ばねＳＰの両端を係止爪部５２４に係止させると共に、その中間部分を一対のガイド壁５６２ｂの対向間に架設する作業を、ハンドル取付台５２０の背面の開放部分から行うことができるので、その取付作業の作業性の向上を図ることができる。
【０１５９】
なお、ハンドルベース５３０が上方へ変位された（跳ね上げられた）状態では、ハンドルベース５３０の合わせ面部５３２ａに、ハンドル取付台５２０の上合わせ面部５２７が当接された状態となる。即ち、ハンドル取付台５２０及びハンドルベース５３０の対向面（合わせ面）には、平坦面状に形成された合わせ面部（上合わせ面部５２７及び合わせ面部５３２ａ）が形成され、これら合わせ面部が、ハンドルベース５３０の変位位置が初期位置（第１位置）に配設された状態で、ベース付勢ばねＳＰの付勢力により密着される。この密着により、初期位置において、ハンドル取付台５２０に対しハンドルベース５３０をがたつかせることなく、安定した状態に維持することができる。その結果、例えば、ハンドル回動部５４０を回動操作する際の操作性の向上を図ることができる。
【０１６０】
また、ハンドルベース５３０の変位位置が初期位置に配設された状態では、互いに密着される合わせ面（上合わせ面部５２７及び合わせ面部５３２ａ）がハンドル取付台５２０及びハンドルベース５３０の上方（上面）に位置するので、合わせ面が開放された場合に（図１７参照）、遊技者が不用意に落下させた異物や埃、ゴミなどの異物がハンドル取付台５２０の内部に入り込むことを抑制できる。特に、ハンドルベース５３０は、ベース付勢ばねＳＰの付勢力によって初期位置（第１位置）に復帰され、その初期位置にある期間が長いため、合わせ面（上合わせ面部５２７及び合わせ面部５３２ａ）を上方に配設する構成が有効となる。
【０１６１】
次いで、図１７から図１９を参照して、ハンドル規制部材７００について説明する。図１７はハンドル規制部材７００が装着された状態におけるハンドルベース５３０の正面斜視図であり、図１８は、ハンドル規制部材７００が取り外された状態におけるハンドルベース５３０の正面斜視図である。なお、図１７及び図１８では、可変抵抗器や発射停止スイッチ操作部４４０などが取り外された状態が図示される。
【０１６２】
図１７及び図１８に示すように、ハンドルベース５３０には、内周壁５３４に形成された切り欠き部５３４ｂにハンドル規制部材７００が装着される。なお、ハンドルベース５３０の底壁５３２には、前面から背面（詳細には合わせ面部５３２ａ）に貫通する正面視円形の貫通孔５３２ｂが形成される。なお、貫通孔５３２ｂ及び切り欠き部５３４ｂは、ハンドル回動部５４０の回動軸と平行とされる。
【０１６３】
ハンドル規制部材７００は、ハンドル回動部５４０が初期位置へ復帰することを規制する（即ち、ハンドル回動部５４０の回動操作量（回動位置）を固定する）ための樹脂材料製の部材であり、ハンドル取付台５２０に対しハンドルベース５３０が軸支部分（軸５６３及び軸受５２３）を中心として変位された場合に、ハンドル取付台５２０（押圧面部５２８ａ）により前面へ向けて押し出され、ハンドル回動部５４０の円板部５４１を押圧することで、ハンドル回動部の回動を規制するように構成される（図２１参照）。ここで、図１９を参照して、ハンドル規制部材７００について説明する。
【０１６４】
図１９（ａ）及び図１９（ｂ）は、ハンドル規制部材７００の斜視図である。ハンドル規制部材７００は、本体部７０１と、その本体部７０１の背面から突出されるロッド部７０２と、本体部７０１の両側から突出される一対の腕部７０３とを主に備えて構成される。
【０１６５】
本体部７０１は、板状に形成される部位であり、少なくとも上面（図１９（ｂ）上側面）が凹状に湾曲して形成される。これにより、ハンドルベース５３０に装着された場合には、ハンドルベース５３０の内部空間を確保して、他の部品の取り付けの自由度を高めることができると共に、取り付け作業時の作業性の向上を図ることができる。
【０１６６】
本体部７０１の左右両側の側面には、スライド案内溝７０１ａが凹設される。スライド案内溝７０１ａは、断面コ字状の直線状の凹溝であり、ロッド部７０２の突設方向に平行に延設される。このスライド案内溝７０１ａには、ハンドル規制部材７００がハンドルベース５３０に装着された状態において、ハンドルベース５３０の内周壁５３４（切り欠き部５３４ｂの両側部分）が内嵌される。即ち、本体部７０１の底面側から突出する部分と腕部７０３の基部との対向間に、ハンドルベース５３０の内周壁５３４が挟み込まれる。これにより、本体部７０１（ハンドル規制部材７００）は、ロッド部７０２の延設方向への移動（スライド）のみが許容され、ハンドルベース５３０における周方向への移動が規制される。
【０１６７】
本体部７０１の前面には、平坦面状の当接面部７０１ｂが形成される。当接面部７０１ｂは、ハンドル回動部５４０の円板部５４１の背面に当接される部位であり（図２１参照）、ハンドル回動部５４０の回動軸に垂直（即ち、本体部７０１の移動（スライド）方向に平行）に形成される。
【０１６８】
ロッド部７０２は、本体部７０１の背面から突設される断面円形の棒状体であり、ハンドルベース５３０の底壁５３２における貫通孔５３２ｂに挿通可能に形成される。ロッド部７０２の突設先端には、半球状の被押圧面部７０２ａが形成される。なお、ロッド部７０２の本体部７０１の背面からの突設長さは、底壁５３２の厚みよりも大きくされ、ハンドル規制部材７００がハンドルベース５３０に装着された状態では、ロッド部７０２の被押圧面部７０２ａが、底壁５３２の背面（合わせ面部５３２ａ）から突出される（図２０参照）。
【０１６９】
なお、ロッド部７０２の被押圧面部７０２ａが半球状に形成されるので、ハンドル取付台５２０に対してハンドルベース５３０が軸支部分（軸５６３及び軸受５２３）を中心として変位され、ハンドル取付台５２０の押圧面部５２８ａにより被押圧面部７０２ａが押圧される場合には（図２０及び図２１参照）、ハンドル規制部材７００を、安定して移動（スライド）させることができる。即ち、本実施形態では、ハンドル取付台５２０の押圧面部５２８ａが軸５６３を中心として移動する一方、ハンドル規制部材７００がスライド（直線移動）する構造であり、両者の相対的な位置関係が不定であるところ、ハンドル取付台５２０の押圧面部５２８ａが平面として形成され、ハンドル規制部材７００の被押圧面部７０２ａが押圧面部５２８ａへ向けて膨出する球面として形成されることで、両者の接触位置を、軸支部分（軸５６３及び軸受５２３）を中心とする変位に伴い移動させ、ハンドル規制部材７００をハンドル回動部５４０へ向かう方向へスライドさせるための力成分を連続的に発生させることができる。これにより、ハンドル規制部材７００を詰まらせる（即ち、スライド案内溝７０１ａにハンドルベース５３０の内周壁５３４が噛み込む、或いは、ロッド部７０２が貫通孔５３２ｂに噛み込む）ことを抑制して、安定してスライドさせることができる。
【０１７０】
腕部７０３は、本体部７０１の両側の側面から突設される断面略矩形の棒状体であり、その腕部７０３の底面は、ハンドルベース５３０の内周壁５３４の内周面に対応する曲率で湾曲して形成される。これにより、ハンドル規制部材７００がハンドルベース５３０に装着された（本体部７０１のスライド案内溝７０１ａに内周壁５３４が内嵌された）状態では、かかる腕部７０３の底面を内周壁５３４の内周面に沿って湾曲させた状態とでき、腕部７０３が受止突起５３８から脱落することを抑制できる。また、腕部７０３が、ハンドルベース５３０の周方向に沿って延設されることで、他の部品の配設スペースに影響を与えることを抑制しつつ、腕部７０３をより長くすることができると共に腕部７０３の弾性変形に必要なスペースを確保することができる。
【０１７１】
図１７及び図１８に戻って説明する。ハンドルベース５３０の内周壁５３４には、その内周面から径方向内方へ向けて一対の受止突起５３８が突設される。受止突起５３８は、ハンドル規制部材７００の腕部７０２を拘束して、その移動を規制することで、弾性変形させるための部位であり、ハンドル規制部材７００の腕部７０３の先端部分に対応する位置に配設される。
【０１７２】
ハンドルベース５３０の切り欠き部５３４ｂ（ハンドル規制部材７００をハンドル回動部５４０へ向けてスライド移動可能に保持するスライド保持部）は、前面（ハンドル回動部５４０に対面する側）が開放されて形成される。よって、その開放部分を利用して、ハンドル規制部材７００を切り欠き部５３４ｂに容易に装着することができるので、そのハンドル規制部材７００を装着する作業に関する組み立てコストの削減を図ることができる。
【０１７３】
なお、切り欠き部５３４ｂの開放部分は、ハンドル回動部５４０に対面する側であるから（図２０参照）、ハンドルベース５３０にハンドル回動部５４０が配設されることで、ハンドル規制部材７００が切り欠き部５３４ｂの開放部分から脱落することはない。
【０１７４】
また、ハンドルベース５３０の内周壁５３４には、ハンドル規制部材７００の腕部７０３を受け止める受止突起５３８が突設されるので、ハンドルベース５３０の切り欠き部５３４ｂにその開放部分からハンドル規制部材７００を装着した後、ハンドルベース５３０にハンドル回動部５４０が装着されるまでの間に（即ち、図１７に示す状態にある時に）、ハンドル規制部材７００が切り欠き部５３４ｂの開放部分から脱落することを防止することができるる。よって、組み立て工程での作業性の向上を図ることができる。
【０１７５】
一方、ハンドル規制部材７００の腕部７０３は、樹脂材料からなり、弾性変形可能に形成されるので、ハンドル取付台５２０に対してハンドルベース５３０が軸支部分（軸５６３及び軸受５２３）を中心として変位され、ハンドル規制部材７００が前面（ハンドル回動部５４０）へ向けて押圧される場合には、先端部分が受止突起５３８に拘束される腕部７０２を弾性変形させることで、ハンドル規制部材７００を移動（スライド）させることができる。これにより、ハンドル規制部材７００の当接面部７０１ｂをハンドル回動部５４０の背面（被当接面部）に当接させることができる（図２１参照）。
【０１７６】
また、ハンドル取付台５２０に対するハンドルベース５３０の軸支部分（軸５６３及び軸受５２３）を中心とする変位が解除された場合には、弾性変形された腕部７０２の弾性回復力により、ハンドル規制部材７００を、ハンドル回動部５４０から離間する方向へ移動させ、初期位置へ復帰させることができる（図２０参照）。これにより、ハンドル規制部材７００の当接面部７０１ｂとハンドル回動部５４０の背面（被当接面部）との間に隙間を形成できる。その結果、両者の当接による抵抗に起因してハンドル回動部５４０の回動操作が阻害されることを回避できる。
【０１７７】
ここで、受止突起５３８は、ハンドルベース５３０の内周壁５３４の内周面から径方向内方へ向けて突設されるので、組み立て時における視認性を確保できる。その結果、腕部７０３と受止突起７３８との位置関係（即ち、腕部７０３が受止突起７３８に適正に係合されているか否か）の確認作業を容易として、作業性の向上を図ることができる。
【０１７８】
また、受止突起７３８には、その突設上面に、前面から背面へ向かうに従って（即ち、ハンドル規制部材７００の装着方向に沿って）ハンドルベース５３０の内周壁５３４の内周面から上昇傾斜する傾斜面が形成されるので、切り欠き部５３４ｂにその開放部分からハンドル規制部材７００を装着する際には、受止突起５３８の突設上面に形成される傾斜面に沿ってハンドル規制部材７００の腕部７０３が移動することで、かかる受止突起５３８を腕部７０３に容易に乗り越えさせることができる。即ち、切り欠き部７３８の開放部分からハンドル規制部材７００を押し込むだけでよく、腕部７０３を持ち上げて受止突起７３８を乗り越えさせる作業を別途行う必要がないので、その組み立て作業の作業性の向上を図ることができる。
【０１７９】
次いで、図２０及び図２１を参照して、操作ハンドル５１の動作について説明する。
【０１８０】
図２０は、変位操作される前の状態における操作ハンドル５１の部分断面側面図であり、図２１は、変位操作された後の状態における操作ハンドル５１の部分断面側面図である。なお、図２０及び図２１では、下皿ユニット１５の前面が二点鎖線により模式的に図示されると共に、ハンドル取付台５２０の第２本体５２０ｂが取り外された状態が図示され、また、各部品の配線の図示が省略される。
【０１８１】
図２０に示すように、ハンドル取付台５２０に対しハンドルベース５３０が軸支部分（軸５６３及び軸受５２３）を中心として変位される前の状態（即ち、遊技者によりハンドルベース５３０が下方へ向けて変位操作されていない状態）では、ハンドルベース５３０が水平位置（第１位置）にあり、ハンドル取付台５２０及びハンドルベース５３０の合わせ面は、上合わせ面部５２７が合わせ面部５３２ａに当接される一方、下合わせ面部５２８が合わせ面部５３２ａから離間される。
【０１８２】
図２０に示す状態から、ハンドル取付台５２０に対してハンドルベース５３０が軸支部分（軸５６３及び軸受５２３）を中心として下方へ変位されると、ハンドル規制部材７００のロッド部７０２における被押圧面部７０２ａが、ハンドル取付台５２０の押圧面部５２８ａに押圧され、ハンドル規制部材７００が前面（ハンドル回動部５４０）へ向けてスライド移動される。ハンドルベース５３０が軸支部分（軸５６３及び軸受５２３）を中心として下方へ更に変位されると、下合わせ面部５２８が合わせ面部５３２ａに当接され、図２１に示すように、ハンドル規制部材７００の本体部７０１における当接面部７０１ｂがハンドル回動部５４０の円板部５４１における背面に当接される。
【０１８３】
その結果、ハンドル回動部５４０は、その回動操作量（回動位置）にかかわらず、初期位置への復帰が規制され、回動操作量が固定される。よって、球の発射強度を、現在のハンドル回動部５４０の回動操作量に応じた球の発射強度に固定することができる。
【０１８４】
この場合、ハンドル回動部５４０の回動操作量を固定する従来技術として、次のものがある。例えば、特開２０１２−５７５９号には、本実施形態における前カバー５５０に相当する前カバーベースの頂部（遊技者から見て手前側）に、前方（遊技者側）へ向けて凸な半球状となるボタンを設け、このボタンを遊技者が手の平で奥側へ押し込むことで、ハンドル回動部の回動操作量を固定する技術が開示される。
【０１８５】
しかし、かかる従来技術では、ハンドル回動部の回動操作を行いながら、かつ、ボタンの押し込み操作を行う必要がある。詳細には、手指で握ったハンドル回動部を周方向へ動作させる操作（回動操作）と、手の平をボタン表面に回りこませつつ奥側へ向けて押し込む操作とを並行して行う必要がある。そのため、ハンドル回動部の回動操作量（回動位置）を維持しつつ、ボタンを押し込むには、遊技者に高度な技術が要求される。また、この状態（ハンドル回動部の回動操作量を維持しつつ、ボタンを押し込んだ状態）は、遊技者にとって無理な姿勢となるため、かかる状態を継続する（即ち、球の発射強度を所望の発射強度に固定する）ことが遊技者の負担になる。その結果、ボタンを押し込む際だけでなく、押し込みを維持する際にも、ハンドル回動部の回動操作量（回動位置）がずれ易く、所望の回動操作量に維持することが困難となる。
【０１８６】
なお、このような無理な姿勢であるが故に、ハンドル回動部の回動操作量（回動位置）を維持しつつ、ボタンの押し込みを解除する操作にも高度な技術が要求される。
【０１８７】
これに対し、本実施形態によれば、ハンドルベース５３０の軸支部分（軸５６３及び軸受５２３）を中心とする変位操作は、ハンドルベース５３０とハンドル回動部５４０とを一体的に変位させる動作であるから、遊技者は、ハンドル回動部５４０がどのような回動位置にあったとしても、ハンドル回動部５４０を把持する手指の一部を離すことなく、ハンドルベース５３０の軸支部分（軸５６３及び軸受５２３）を中心とする変位操作を行うことができる。これにより、操作性の向上を図ることができる。また、ハンドルベース５３０の軸支部分（軸５６３及び軸受５２３）を中心とする変位操作を行った後は、その操作状態（ハンドル回動部５４０の回動操作量が所望の回動操作量に固定された状態）を維持することも容易となる。よって、ハンドルベース５３０の操作時およびその操作状態を維持する際に、ハンドル回動部５４０の回動位置に位置ずれが生じることを抑制し、球の発射強度を所望の発射強度に精度良く固定することができる。
【０１８８】
また、このように、軸支部分（軸５６３及び軸受５２３）を中心としてハンドルベース５３０を変位させる構造であれば、遊技者は、ハンドルベース５３０（前カバー５５０）に手のひらを添えると共に、そのまま手の重みを作用させる動作のみで、ハンドルベース５３０を軸支部分（軸５６３及び軸受５２３）を中心として下方へ変位させることができる。即ち、遊技者は、手の重みを作用させるという簡易な動作を行うのみで、球の発射強度を所望の発射強度に固定することができる。
【０１８９】
また、ハンドルベース５３０とハンドル回動部５４０とを一体的に変位させる動作であるから、遊技者は、ハンドル回動部５４０がどのような回動位置にあったとしても、ハンドル回動部５４０を把持する手指の一部を離すことなく、ハンドルベース５３０の軸支部分（軸５６３及び軸受５２３）を中心とする変位操作を行うことができる。これにより、操作性の向上を図ることができる。また、ハンドルベース５３０の軸支部分（軸５６３及び軸受５２３）を中心とする変位操作を行った後は、その操作状態（ハンドル回動部５４０の回動操作量が所望の回動操作量に固定された状態）を維持することも容易となる。よって、ハンドルベース５３０の操作時およびその操作状態を維持する際に、ハンドル回動部５４０の回動位置に位置ずれが生じることを抑制し、球の発射強度を所望の発射強度に精度良く固定することができる。
【０１９０】
また、ハンドル規制部材７００の本体部７０１における当接面部７０１ｂと、ハンドル回動部５４０の円板部５４１における背面（被当接面部）とが互いに平滑面として形成されるので、ハンドル回動部５４０の回動位置を、任意の回動位置で固定可能とすることができる。
【０１９１】
例えば、ハンドル規制部材７００の本体部７０１における当接面部７０１ｂと、ハンドル回動部５４０の円板部５４１における背面（被当接面部）とにそれぞれ鋸歯状の凹凸を設け、それら鋸歯状の凹凸同士を係合させることで、ハンドル回動部５４０の回動位置を固定する構造では、ハンドル回動部５４０の回動位置の固定を強固に行うことができる一方で、鋸歯状の凹凸のピッチ（間隔）が調整幅の最小値となる。そのため、固定可能な回動位置が断続的となり、所望の回動位置に固定できないおそれがある。
【０１９２】
これに対し、本実施形態のように、ハンドル規制部材７００の本体部７０１における当接面部７０１ｂとハンドル回動部５４０の円板部５４１における背面（被当接面部）とが平滑面とされることで、固定可能な回動位置が連続的となるので、任意の回動位置で固定可能として、その調整幅を確保することができる。
【０１９３】
また、当接面部７０１ｂが円板部５４１の背面（被当接面部）に当接された状態とされ、ハンドル回動部５４０の回動操作量が固定されたとしても、これら当接面部７０１ｂ及び被当接面部が平滑面とされていることで、互いの当接面を相対的に滑動させることができるので、ハンドル回動部５４０の回動操作量の固定後であっても、かかるハンドル回動部５４０の回動操作量を微調整することができる。
【０１９４】
ここで、前カバー５５０は、ハンドル回動部５４０の前面側（図２０右側）に配設されるので、遊技者は、ハンドル回動部５４０を手指で把持する際に、前カバー５５０の外面に手の平を添えることができ、かかる前カバー５５０を、ハンドル取付台５２０に対してハンドルベース５３０を軸支部分（軸５６３及び軸受５２３）を中心として変位させる際に力を加える部分（力点）として利用することができる。
【０１９５】
この場合、図２１に示すように、本実施形態では、ハンドル取付台５２０に対しハンドルベース５３０を変位可能に軸支するボス部材５６０の軸５６３（支点）から押圧面部５２８ａ（被押圧面部７０２ａの突出先端（作用点））までの距離Ａが、少なくとも、ボス部材５６０の軸５６３からハンドル回動部５４０の背面までの距離Ｂよりも小さくされる。よって、ボス部材５６０の軸５６３（支点）から前カバー５５０の外面（力点）までの距離は、距離Ａよりも大きくされる。
【０１９６】
即ち、力点から支点までの距離を、支点から作用点までの距離よりも大きくすることができるので、力点となる前カバー５５０の外面に加えられる力が小さくても、その力を増幅させて、作用点となる押圧面部５２８ａによってハンドル規制部材７００（被押圧面部７０２ａ）をより大きな力で押圧することができる。これにより、ハンドル規制部材７００をハンドル回動部５４０に強固に当接させ、ハンドル回動部５４０の回動操作量（回動位置）を確実に固定することができる。
【０１９７】
次いで、図２２から図２４を参照して、ハンドル回動部５４０及び連動回動部６００の連動／非連動がボタン部材５７０の押し込み操作により切り替え可能とされる切り替え構造について説明する。
【０１９８】
図２２から図２４は、操作ハンドル５１の部分断面側面図である。なお、図２２ではボタン部材５７０が第１位置にある状態が、図２３ではボタン部材５７０が第２位置にある状態が、図２４ではボタン部材５７０が第３位置にある状態が、それぞれ図示される。
【０１９９】
上述したように、切替支持軸８１０の円筒部８１２は、第１変形許容部８１２ａが、ハンドル回動部５４０（円板部５４１及び主動ギヤ５４４の内周面）に対応する位置に形成され、第２変形許容部８１２ｂが、連動回動部６００（軸支部分６００ａの内周面）に対応する位置に形成され、第３変形許容部８１２ｃが、ハンドルベース５３０（軸受部５３５の内周面）に対応する位置に形成される。
【０２００】
また、挿入移動体５７４は、第１位置では第１変形許容部８１２ａ及び第２変形許容部８１２ｂのみを変形させる位置に、第２位置では第２形許容部８１２ｂ及び第３変形許容部８１２ｃのみを変形させる位置に、第３位置では第３変形許容部８１２ｃのみを変形させる位置に、それぞれ配置される。
【０２０１】
よって、図２２に示すように、ボタン部材５７０が第１位置にある状態（ボタン部材５７０が押し込み操作されていない初期位置にある状態）では、挿入移動体５７４が、第１変形許容部８１２ａ及び第２変形許容部８１２ｂの突起Ｔのみを径方向外方へ突出させるので、突起Ｔがハンドル回動部５４０及び連動回動部６００の内周面に押圧し、これらハンドル回動部５４０及び連動回動部６００が円筒部８１２を介して一体化される。その結果、連動回動部６００がハンドル回動部５４０の回動に連動して回動可能とされる。
【０２０２】
図２３に示すように、ボタン部材５７０が第２位置にある状態では、挿入移動体５７４が、第２変形許容部８１２ｂ及び第３許容部８１２ｃの突起Ｔのみを径方向外方へ突出させるので、突起Ｔが連動回動部６００及びハンドルベース５３０の内周面を押圧し、これら連動回動部６００及びハンドルベース５３０が円筒部８１２を介して一体化される。その結果、連動回動部６００がハンドルベース５３０に固定される。一方で、第１変形許容部８１２ａは、挿入移動体５７４により変形されず、その第１変形許容部８１２ａの突起Ｔがハンドル回動部５４０の内周面を押圧しないので、ハンドル回動部５４０が連動回動部６００とは独立して回動可能とされる。
【０２０３】
図２４に示すように、ボタン部材５７０第３位置にある状態では、挿入移動体５７４が、第３許容部８１２ｃの突起Ｔのみを径方向外方へ突出させ、突起Ｔがハンドルベース５３０の内周面のみを押圧する。即ち、第３位置では、第２変形許容部８１２ａが挿入移動体５７４により変形されず、その第２変形許容部８１２ｂの突起Ｔが連動回動部６００の内周面を押圧しないので、ハンドルベース５３０に対する連動回動部６００の固定が解除される。よって、連動回動部６００の初期位置への復帰が可能とされる。
【０２０４】
なお、第３位置は、上述したように、第２位置にあるボタン部材５７０を押し込み可能な位置まで押し込むと共に、その押し切った状態を維持する間だけ形成される。即ち、第２位置にあるボタン部材５７０を押し込み可能な位置まで押し込んだ後、その押し込み動作を解除する（手を離す）と、ボタン部材５７０は、第３位置を通過して、第１位置に復帰される。よって、遊技者が不用意にボタン部材５７０の押し込み操作を行ったとしても、所定の回動位置に位置された連動回動部６００が初期位置へ復帰してしまう（或いは、復帰可能な状態となる）ことを抑制できる。
【０２０５】
ここで、ボタン部材５７０が第３位置にある状態では、図２４に示すように、ボタン部材５７０の操作部５７１全体が、前カバー５５０の内部に没入される。即ち、ボタン部材５７０は、挿サブ５７１の頂部（最も前方へ突出する部分）が、前カバー５５０の開口５５０ａの縁部よりも軸方向内方（図２４左方向）に位置される。
【０２０６】
よって、ボタン部材５７０を第２位置から第３位置まで押し込み、連動回動部６００を初期位置へ復帰可能な状態とするためには、かかるボタン部材５７０（操作部５７１）を、前カバー５５０の開口５５０ａの縁部を軸方向に越える位置（前カバー５５０内にボタン部材５７０の操作部５７１全体が入り込む位置）まで押し込む必要がある。
【０２０７】
よって、ボタン部材５７０を第３位置まで押し込む際に、前カバー５５０の開口５５０ａの縁部を押し込み操作の妨げとする（即ち、遊技者の手に開口５５０ａの縁部を当接させる）ことができる。これにより、第２位置にあるボタン部材５７０が第３位置まで不用意に押し込み操作されることを抑制できる。その結果、不用意なボタン部材５７０の押し込み操作により、所定の回動位置に位置された連動回動部が初期位置へ復帰してしまう（或いは、復帰可能な状態となる）ことを抑制できる。
【０２０８】
一方で、ボタン部材５７０が第２位置にある状態では、図２３に示すように、ボタン部材５７０の操作部５７１の一部（前方へ突出する頂部側）が、前カバー５５０の開口５５０ａの縁部よりも前方（図２３右側）へ突出される。よって、第１位置にあるボタン部材５７０（操作部５７１）を第２位置へ押し込み操作する際には、かかるボタン部材５７０を、前カバー５５０の開口５５０ａの縁部を越える位置（即ち、前カバー５５０内にボタン部材５７０の操作部５７１全体が入り込む位置）まで押し込む必要がない。これにより、ボタン部材５７０を押し込む際に、前カバー５５０の開口５５０ａの縁部が遊技者の手の動きの妨げとなることを抑制して、その操作性の向上を図ることができる。
【０２０９】
次いで、図２５及び図２６を参照して、連動回動部６００を利用してハンドル回動部５４０の回動位置を記憶させると共に、その連動回動部６００を基準としてハンドル回動部５４０の回動位置を調整する（元の回動位置へ復帰させる）調整方法について説明する。図２５及び図２６は、操作ハンドル５１の模式図であり、各図において、左側の図が操作ハンドル５１の正面図、右側の図が操作ハンドル５１の側面図に対応する。
【０２１０】
図２５（ａ）に示すように、ボタン部材５７０が第１位置にあり、ハンドル回動部５４０及び連動回動部６００の回動位置が初期位置にある状態から、遊技者によるハンドル回動部５４０の回動操作が行われると、図２５（ｂ）に示すように、連動回動部６００が、ハンドル回動部５４０の回動に連動して回動される。この場合、ハンドル回動部５４０及び連動回動部６００は、それらの目印５４０ｄ及び目印６００ｃの回動位置（位相）が一致した状態で、回動される。
【０２１１】
遊技状態に応じて、ハンドル回動部５４０の回動位置を調整した結果、遊技球の発射強度が所望の発射強度に調整された場合には、図２５（ｃ）に示すように、ボタン部材５７０の押し込み操作により、かかるボタン部材５７０を第２位置に設定する。これにより、連動回動部６００がハンドル回動部５４０から切り離されるので、連動回動部６００の回動位置を所定の回動位置（回動角θ）に固定できると共に、その連動回動部６００とは独立してハンドル回動部５４０のみを回動操作できる。
【０２１２】
即ち、図２６（ａ）に示すように、例えば、休憩を取るために、ハンドル回動部５４０の回動位置を初期位置へ復帰させ、遊技を中断したとしても、連動回動部６００の回動位置は元の回動位置（すなわち、遊技機を中断する前の回動位置（回動角θ））に保持される。同様に、図２６（ｂ）に示すように、例えば、右打ちをするために、ハンドル回動部５４０の回動位置を最大回動位置まで回動させたとしても、連動回動部６００の回動位置は元の回動位置（回動角θ）に保持される。
【０２１３】
よって、ハンドル回動部５４０の回動位置を元の回動位置（即ち、遊技を中断する前や右打ちする前の回動位置（回動角θ））に調整する場合には、連動回動部６００が固定されている回動位置を基準として、ハンドル回動部５４０を回動させる（即ち、ハンドル回動部５４０の目印５４０ｄを連動回動部６００の目印６００ｃに一致させる）ことで、ハンドル回動部５４０の回動位置を元の回動位置に正確かつ迅速に調整する（元の回動位置を正確かつ迅速に再現する）ことができる。
【０２１４】
なお、連動回動部６００の回動位置を初期位置へ復帰させる場合には、図２６（ｃ）に示すように、ボタン部材５７０の押し込み操作により、かかるボタン部材５７０を第３位置に設定する。これにより、連動回動部６００の固定が解除されるので、連動部付勢ばね６０１（図７参照）の付勢力により、連動回動部６００を初期位置に復帰させることができる。
【０２１５】
また、図２６（ｃ）に示す状態からボタン部材５７０の押し込み操作を解除すれば、かかるボタン部材５７０を第１位置に設定する（復帰させる）ことができる。これにより、連動回動部６００が、ハンドル回動部５４０の回動に連動して回動する状態（即ち、図２５（ａ）に示す状態）を形成できる。即ち、上述の動作を繰り返すことで、連動回動部６００を利用して、ハンドル回動部５４０の回動位置を調整することができる。
【０２１６】
次いで、図２７から図を参照して、第２実施形態について説明する。第１実施形態では、連動回動部６００が切替支持軸８１０を介してハンドル回動部５４０に接続（連結）される場合を説明したが、第２実施形態における連動回動部２６００は、ハンドル回動部２５４０に直接接続（連結）される。なお、第１実施形態と同一の部分については同一の符号を付して、その説明を省略する。
【０２１７】
図２７（ａ）は、第２実施形態における操作ハンドル２０５１の上面図であり、図２７（ｂ）は、操作ハンドル２０５１の正面図である。
【０２１８】
図２７に示すように、第２実施形態における操作ハンドル２０５１は、ハンドル取付台５２０と、そのハンドル取付台５２０の前面側に配設されると共に軸支部分（軸５６３及び軸受５２３、いずれも図１３参照）を中心として上下方向に変位可能に連結されるハンドルベース２５３０と、そのハンドルベース２５３０の前面に回動可能に取り付けられるハンドル回動部２５４０と、そのハンドル回動部２５４０の背面およびハンドルベース２５３０の前面の間に回動可能に取り付けられる連動回動部２６００と、ハンドル回動部２５４０の前面に取り付けられる前カバー２５５０と、その前カバー２５５０の頂部から突出されるボタン部材２５７０と、を備えて構成される。
【０２１９】
ハンドル回動部２５４０の背面（連動回動部２６００側の軸方向端面（図２７（ａ）左側））には、正面視三角形状の凹部である目印兼用凹部２５４０ｄが凹設される一方、連動回動部２６００の前面（ハンドル回動部２５４０側の軸方向端面（図２７（ａ）右側））には、正面視三角形状の突部である目印兼用突部２６００ｄが突設される。目印兼用凹部２５４０ｄ及び目印兼用突部２６００ｄは、ハンドル回動部２５４０と連動回動部２６００とを接続するための機能と、ハンドル回動部２５４０と連動回動部２６００との間の相対位置を示すための目印としての機能とを兼用する。
【０２２０】
即ち、目印兼用突部２６００ｄが目印兼用凹部２５４０ｄに受け入れられた（嵌合された）状態では、ハンドル回動部２５４０と連動回動部２６００とが接続され、連動回動部２６００が、ハンドル回動部２５４０の回動に連動して回動可能とされる。
【０２２１】
一方、目印兼用突部２６００ｄが目印兼用凹部２５４０ｄから離間された（嵌合が解除された）状態では、その嵌合が解除された時点（後述するようにボタン部材２５７０を押し込み操作した時点）でのハンドル回動部２５４０の回動位置に、連動回動部２６００が固定（保持）される。よって、この場合には、遊技者は、目印兼用突部２６００ｄに目印兼用凹部２５４０ｄが一致するように、ハンドル回動部２５４０を回動させることで、ハンドル回動部２５４０を元の回動位置（即ち、遊技を中断する前や右打ちする前の回動位置であって、左打ちに適した回動位置）へ正確かつ迅速に調整する（元の回動位置を正確かつ迅速に再現する）ことができる（図３７参照）。
【０２２２】
ここで、目印兼用突部２６００ｄ及び目印兼用凹部２５４０ｄが操作ハンドル２０５１（ハンドル回動部２５４０及び連動回動部２６００）の外面に視認可能に配設され、これら両部２６００ｄ，２５４０ｄがハンドル回動部２５４０と連動回動部２６００との間の相対位置を示す目印として機能させることができる。この場合、目印を、塗料による印刷やシールの貼付により形成する場合には、遊技者が操作する際の擦れや経年により表示が劣化しやすく耐久性が課題となる。これに対し、本実施形態では、目印兼用突部２６００ｄ及び目印兼用凹部２５４０ｄという形状自体を目印として利用できるので、その目印としての機能を長期間にわたって確実に発揮させることができる。
【０２２３】
前カバー２５５０は、前方（図２７（ａ）右方向）へ凸となる半球状に形成され、その頂部に開口する開口５５０ａからボタン部材２５７０（操作部２５７０ａ）が突出（露出）される。ボタン部材２５７０は、図２７に示す第１位置（押し込み操作される前の初期位置）では、前カバー２５５０と一体となって１の半球体を形成する一方、押し込み操作されると、前カバー２５５０の内部へ向けて没入される（図３６参照）。
【０２２４】
なお、前カバー２５５０には、開口５５０ａの外縁からハンドル回動部２５４０へ向けて軸方向に沿って延設されるスリット状の開口２５５４ａが位相を１８０度異ならせた位置に形成され、これら一対の開口２５５４ａには、ボタン部材２５７０の一対のガイド部２５７６がそれぞれ軸方向にスライド移動可能に挿通される
次いで、図２８を参照して、ハンドルベース２５３０について説明する。図２８はハンドル取付台５２０及びハンドルベース２５３０の正面斜視図であり、ハンドル回動部２５４０、前カバー２５５０及び連動回動部２６００が取り外された状態における操作ハンドル２０５１の正面斜視図に対応する。
【０２２５】
図２８に示すように、第２実施形態では、内周壁２５３４に、切り欠き部５３４ａ，５３４ｂ）に加え、切り欠き部２５３４ｄが形成される。この切り欠き部２５３４ｄの形成により確保される空間は、後述する伝達部材２８２０の本体部２８２１を連動回動部２６００に接続するための空間として利用される。ここで、切り欠き部２５３４ｄは、ガイド支柱５３３ｂ及びガイド支柱５３３ｃの対向間に対応する位相位置（内周壁２５３４の周方向位置）に形成される。これにより、伝達部材２８２０を、デッドスペースとなるガイド支柱５３３ｂ，５３３ｃの対向間に配設することができる。
【０２２６】
外周壁２５３１には、底壁５３２からの立設高さが低くされた領域である逃げ部２５３１ｃが形成される。逃げ部２５３１ｃの形成により確保された空間（外周壁２５３１の立設端面とハンドル回動部２５４０の軸方向端面との対向間）を利用して、連動回動部２６００が回動可能に配設される。なお、逃げ部２５３１ｃは、切り欠き部５３４ａに隣接する位置に形成されると共に、その形成範囲は、本実施形態では中心角が約１８０度を超える範囲とされる。
【０２２７】
軸受部２５３５は、ハンドル回動部２５４０を回動可能に保持（軸支）するための部位であり、ハンドル回動部２５４０の回動軸２５４３（図３１参照）が回動可能に挿入される。軸受部２５３５の内周面には、底壁２５３２から前面へ向かって軸方向に延びる断面コ字状の溝２５３５ａが形成される。溝２５３５ａには、ハンドル回動部２５４０の回動軸２５４３に突設される突起部２５４３ａが内嵌され、ハンドル回動部２５４０の挿入時の位相（回動位置）が位置決めされる。
【０２２８】
次いで、図２９及び図３０を参照して、連動回動部２６００について説明する。図２９（ａ）は、連動回動部２６００の側面図であり、図２９（ｂ）は、連動回動部２６００の正面図であり、図２９（ｃ）は、図２９（ｂ）のＸＸＸＩｃ−ＸＸＸＩｃ線における連動回動部２６００の断面図であり、図２９（ｄ）は、図２９（ｂ）のＸＸＸＩｄ−ＸＸＸＩｄ線における連動回動部２６００の断面図である。また、図３０は、ハンドルベース２５３０に取り付けられた状態における連動回動部２６００の正面斜視図である。
【０２２９】
図２９及び図３０に示すように、連動回動部２６００は、円環形状を分断した正面視湾曲形状に形成される湾曲本体２６００ａと、その湾曲本体２６００ａの正面から突設される一対の目印兼用突部２６００ｄとを備える。
【０２３０】
湾曲本体２６００ａには、その湾曲本体２６００ａの背面（図２９（ｂ）紙面奥側面、図２９（ｃ）右側面）から軸方向に沿って延設される延設壁部２６００ａ１と、湾曲本体２６００ａの内周面（図２９（ｂ）及び図２９（ｃ）下側面）から径方向内方へ向けて延設される被接続部２６００ａ２とが形成される。
【０２３１】
延設壁部２６００ａ１は、湾曲本体２６００ａの湾曲に沿って形成（即ち、湾曲本体２６００ａと同心の筒状に形成）され、その内径寸法が外周壁２５３１の外径寸法と略同一の値または若干大きな値に設定される。被接続部２６００ａ２は、径方向内方へ張り出すフランジ状に形成される。
【０２３２】
このように形成される連動回動部２６００は、外周壁２５３１の逃げ部２５３１ｃにより形成される空間に配設されると、図３０に示すように、延設壁部２６００ａ１の内周面を外周壁２５３１の外周面に対面させると共に、被接続部２６００ａ２を内周壁２５３４へ向けて張り出させ、目印兼用突部２６００ｄを正面側へ突出させた姿勢となる。
【０２３３】
次いで、図３１（ａ）及び図３１（ｂ）を参照して、ハンドル回動部２５４０及びカバー部材２５５０について説明する。図３１（ａ）は、ハンドル回動部２５４０の背面斜視図であり、図３１（ｂ）は、前カバー２５５０の背面斜視図である。
【０２３４】
図３１（ａ）に示すように、第２実施形態におけるハンドル回動部２５４０は、円板部５４１の中央において背面へ向けて突設される回動軸２５４３を備え、その回動軸２５４３の外周面には、ハンドルベース２５３０における軸受部２５３５の溝２５３５ａ（図３０参照）に内嵌される突起部２５４３ａが突設される。
【０２３５】
ここで、第２実施形態におけるハンドル回動部２５４０は、そのガイド孔５４５ｂに、ガイド支柱５３３ｂ，５３３ｃに加え、伝達部材２８２０（図３３参照）も挿通させる必要がある。そのため、ハンドル回動部２５４０のガイド孔５４５ｂ（開口）は、ハンドル回動部２５４０が回動する際に２本のガイド支柱５３３ｂ，５３３ｃ（支持棒）を逃がすために周方向に沿って長穴状に延設される。
【０２３６】
この場合、２本のガイド支柱５３３ｂ，５３３ｃに対し周方向外側に伝達部材２８２０を並設させると、その伝達部材２８２０の配設スペースの分、ガイド孔５４５ｂを周方向に長くする必要が生じる。これに対し、本実施形態では、伝達部材２８２０が、デッドスペースとなる２本のガイド支柱５３３ｂ，５３３ｃの周方向における対向間に配設されるので（図３０参照）、ガイド孔５４５ｂを周方向に沿って長くすることを不要とできる。
【０２３７】
図３１（ｂ）に示すように、第２実施形態における前カバー２５５０には、上述したように、頂部に開口５５０ａが形成されると共に、その開口５５０ａに連なる一対の開口２５５０ｂが位相を１８０度異ならせて形成される。また、筒状案内部５５４には、開口５５０ａに連なると共に一対の開口２５５０ｂと同位相となる位置に配置され軸方向に延設される一対のスリット状の開口２５５４ａが形成される。ボタン部材２５７０のガイド部２５７６は、開口２５５４ａ及び開口２５５０ｂによって、軸方向に沿ってスライド移動可能に案内される。
【０２３８】
次いで、図３２を参照して、ボタン部材２５７０について説明する。図３２（ａ）は、ボタン部材２５７０の正面図であり、図３２（ｂ）は、ボタン部材２５７０の側面図であり、図３２（ｃ）は、ボタン部材２５７０の背面図である。
【０２３９】
図３２に示すように、第２実施形態におけるボタン部材２５７０は、操作部５７１と、その操作部５７１の背面に形成される円柱状の背面ベース５７２と、背面ベース５７２の外面に配設される案内ピン片５７５と、操作部５７１の背面に形成される板状の一対のガイド部２５７６とを備える。
【０２４０】
一対のガイド部２５７６は、軸心に対して平行な姿勢で配設されると共に互いに位相を１８０度異ならせた位置に形成される。これら一対のガイド部２５７６が、前カバー２５５０の筒状案内部５５４における開口２５５４ａ（図２３（ｂ）参照）に挿通され、その開口２５５４ａに沿ってスライド移動の方向が規制されることで、ボタン部材２５７０が回動軸方向に沿って案内される。
【０２４１】
この場合、ボタン部材２５７０が回動軸方向に沿って案内されると（即ち、押し込み操作されると）、第１実施形態の場合と同様に、案内ピン片５７５が案内溝５５３（図３１（ｂ）参照）を移動することで、ボタン部材２５７０が第１位置または第２位置のいずれかに設定（保持）される。第２実施形態では、後述するように、ボタン部材２５７０が第１位置に設定されると、ハンドル回動部２５４０の目印兼用凹部２５４０ｄに連動回動部２６００の目印兼用突部２６００ｄが嵌合され（図３４及び図３５参照）、連動回動部２６００が、ハンドル回動部２５４０の回動に連動して回動可能とされ、ボタン部材２５７０が第２位置に設定されると、ハンドル回動部２５４０の目印兼用凹部２５４０ｄから連動回動部２６００の目印兼用突部２６００ｄが離間され、それら目印兼用凹部２５４０ｄ及び目印兼用突部２６００ｄの嵌合が解除される（図３６及び図３７参照）。その結果、連動回動部２６００がハンドル回動部２５４０から切り離され、ハンドル回動部２５４０が独立して回動可能とされると共に、連動回動部２６００が所定の回動位置（切り離された時点での回動位置）に固定（保持）される。
【０２４２】
なお、一対のガイド部２５７６は、その正面（図３２（ｂ）上側面）が、操作部５７１の正面に滑らかに連なると共に、ボタン部材５７０が第１位置にある状態（押し込み操作されていない状態、図２７参照）において前カバー２５５０の外面と共に球状面を形成する。これにより、前カバー２５７０を手の平で覆いながらハンドル回動部２５４０の回動操作を行う遊技者が違和感を覚えることを抑制できる。
【０２４３】
一対のガイド部２５７６の内の一方のガイド部２５７６には、その背面に結合孔２５７６ａが凹設される。結合孔２５７６ａには、伝達部材２８２０の結合ピン２８２２（図３３参照）が嵌入される。これにより、ガイド部２５７６に伝達部材２８２０が結合される（図３４参照）。
【０２４４】
次いで、図３３を参照して、伝達部材２８２０について説明する。図３３（ａ）は、伝達部材２８２０の上面図であり、図３３（ｂ）は、伝達部材２８２０の側面図であり、図３３（ｃ）は、伝達部材２８２０の正面図である。
【０２４５】
伝達部材２８２０は、ボタン部材２５７０が押し込み操作された際の操作力を連動回動部２６００へ伝達するための部材であり、側面視Ｌ字上に形成される本体部２８２１と、その本体部２８２１の正面から突設される結合ピン２８２２と、本体部２８２１の屈曲部分の上面に形成される２組の把持部２８２３と、を備える。
【０２４６】
結合ピン２８２２は、上述したように、ボタン部材２５７０のガイド部２５７６に凹設された結合孔２５７ａに嵌入される部位であり、かかる嵌入により伝達部材２８２０がボタン部材２５７０に連結（接続）される（図３４参照）。
【０２４７】
把持部２８２３は、所定間隔を隔てつつ対向配置される一対の挟持片２８２３ａ，２８２３ｂからなり、伝達部材２８２０には、これら挟持片２８２３ａ，２８２３ｂの一対を一組とする把持部２８２３が２組形成される。把持部２８２３は、一対の挟持片２８２３ａ，２８２３ｂにより連動回動部２６００の被接続部２６００ａを挟持する部位であり、かかる挟持により伝達部材２８２０が連動回動部２８２０に連結（接続）される（図３４参照）。
【０２４８】
次いで、図３４から図３７を参照して、連動回動部２６００を利用してハンドル回動部２５４０の回動位置を記憶させると共に、その連動回動部２６００を基準としてハンドル回動部２５４０の回動位置を調整する（元の回動位置へ復帰させる）調整方法について説明する。図３４から図３７は、操作ハンドル２０５１の部分断面図である。
【０２４９】
なお、図３４はハンドル回動部２５４０及び連動回動部２６００が初期位置にあり且つボタン部材２５７０が第１位置にある状態が、図３５は図３４に示す状態からハンドル回動部２５４０が連動回動部２６００と共に所定の回動操作量だけ回動操作され且つボタン部材２５７０が第１位置にある状態が、図３６は図３５に示す状態からボタン部材２５７０が第２位置に押し込み操作された状態が、図３７は図３６に示す状態からハンドル回動部２５４０が初期位置へ復帰された状態が、それぞれ図示される。
【０２５０】
図３４に示すように、ボタン部材５７０が第１位置にあり、ハンドル回動部２５４０及び連動回動部６００の回動位置が初期位置にある状態では、目印兼用凹部２０５４ｄ及び目印兼用突部２６００ｄが嵌合されているので、遊技者によるハンドル回動部２５４０の回動操作が行われると、図３５に示すように、連動回動部２６００が、ハンドル回動部２５４０の回動に連動して回動される。即ち、ハンドル回動部２５４０及び連動回動部２６００は、それらの目印である目印兼用凹部２５４０ｄ及び目印兼用突部２６００ｄの回動位置（位相）が一致した状態で、回動される。
【０２５１】
なお、このように、本実施形態では、目印兼用凹部２５４０ｄ及び目印兼用突部２６００ｄが凹凸嵌合（凹部と突部とが係合）するので、例えば、連動回動部２６００がハンドル回動部２５４０の回動に対し、摩擦力により連動して回動される場合と比較して、滑りによる両者の位置ずれをより確実に抑制できる。よって、連動回動部２６００を基準として、ハンドル回動部２５４０を元の回動位置へ調整する際には、より正確な回動位置に調整することができる。
【０２５２】
遊技状態に応じて、ハンドル回動部２５４０の回動位置を調整した結果、遊技球の発射強度が所望の発射強度に調整された場合には、図３６に示すように、ボタン部材２５７０の押し込み操作により、かかるボタン部材２５７０を第２位置に設定する。これにより、目印兼用凹部２５４０ｄから目印兼用突部２６００ｄが離間され、連動回動部２６００がハンドル回動部２５４０から切り離されるので、連動回動部２６００の回動位置を所定の回動位置に固定（保持）できると共に、その連動回動部２６００とは独立してハンドル回動部２５４０のみを回動操作できる。
【０２５３】
即ち、図３７に示すように、例えば、休憩を取るために、ハンドル回動部２５４０の回動位置を初期位置へ復帰させ、遊技を中断したとしても、連動回動部２６００の回動位置は元の回動位置（すなわち、遊技機を中断する前の回動位置、図３５及び図３６参照）に保持される。同様に、例えば、右打ちをするために、ハンドル回動部５４０の回動位置を最大回動位置まで回動させたとしても（図示せず）、連動回動部６００の回動位置は元の回動位置に保持される。
【０２５４】
よって、ハンドル回動部２５４０の回動位置を元の回動位置（即ち、遊技を中断する前や右打ちする前の回動位置、図３５及び図３６参照）に調整する場合には、連動回動部２６００が固定されている回動位置を基準として、ハンドル回動部２５４０を回動させる（即ち、ハンドル回動部２５４０の目印兼用凹部２５４０ｄを連動回動部２６００の目印兼用突部２６００ｄに一致させる、図３６参照）ことで、ハンドル回動部２５４０の回動位置を元の回動位置に正確かつ迅速に調整する（元の回動位置を正確かつ迅速に再現する）ことができる。
【０２５５】
なお、図３７に示すように、ボタン部材５７０が第２位置に設定された状態では、ハンドル回動部２５４０から連動回動部２６００が切り離されており、また、その連動回動部２６００は、伝達部材２８２０の把持部２８２３により把持されているだけなので、把持部２８２３による把持力を超えるだけの回動駆動力を付与すれば、連動回動部２６００を回動させることができる。即ち、第２実施形態では、連動回動部２６００の回動位置を初期位置へ復帰させる場合には、ボタン部材２５７０を第２位置に設定した上で、連動回動部２６００を手動により初期位置まで回動させれば良い。
【０２５６】
次いで、図３８から図４４を参照して、第３実施形態について説明する。第１実施形態では、ハンドル回動部５４０の回動に連動して連動回動部６００の目印６００ｃが周方向に移動する場合を説明したが、第３実施形態における目印３５７１は、ハンドル回動部５４０の回動に連動して軸方向（直線方向）に移動される。なお、上記各実施形態と同一の部分については同一の符号を付して、その説明を省略する。
【０２５７】
図３８（ａ）は、第３実施形態における操作ハンドル３０５１の上面図であり、図３８（ｂ）は、操作ハンドル３０５１の正面図である。
【０２５８】
図３８に示すように、第３実施形態における操作ハンドル３０５１は、ハンドル取付台５２０と、そのハンドル取付台５２０の前面側に配設されると共に軸支部分（軸５６３及び軸受５２３、いずれも図１３参照）を中心に上下方向に変位可能に連結されるハンドルベース５３０と、そのハンドルベース５３０の前面に回動可能に取り付けられるハンドル回動部５４０と、そのハンドル回動部２５４０の前面に取り付けられると共に前方（図３８（ａ）右方向）へ凸となる半球状に形成される前カバー３５５０と、ハンドル取付台５２０の上面に配設されるベース部材３５６０と、そのベース部材３５６０に軸方向（ハンドル回動部５４０の回動軸方向）に沿って進退可能に支持される３本の進退部材３５７０ａ〜３５７０ｃと、それら進退部材３５７０ａ〜３５７０ｃの先端が係合される螺旋状の案内溝３５８１を有すると共にハンドル回動部５４０の背面に固着される外殻部材３５８０と、を備える。
【０２５９】
３本の進退部材３５７０ａ〜３５７０ｃは、基端側がベース部材３５６０に進退可能（スライド移動可能）に支持され、この進退方向は、ハンドル回動部５４０の回動軸に沿う方向（軸方向、図３８（ａ）左右方向）に設定される。各進退部材３５７０ａ〜３５７０ｃの外周面には、目印３５７１が表示される。目印３５７１は、各進退部材３５７０ａ〜３５７０ｃの間の相対位置を示すための直線状の表示である。
【０２６０】
なお、目印３５７１は、各進退部材３５７０ａ〜３５７０ｃの上面のみでなく両側面にもそれぞれ表示される。これにより、遊技者は、各進退部材３５７０ａ〜３５７０ｃの間の相対位置の認識を正確に行うことができる。
【０２６１】
各進退部材３５７０ａ〜３５７０ｃの先端（係合針部材３５７２、図４０参照）は、外殻部材３５８０の案内溝３５８１に係合可能に形成され、かかる先端が外殻部材３５８０の案内溝３５８１に係合された状態では、ハンドル回動部５４０の回動に連動して、各進退部材３５７０ａ〜３５７０ｃがそれぞれ軸方向へ進退移動される。この場合、各進退部材３５７０ａ〜３５７０ｃは、それらの目印３５７１の軸方向（図３８（ａ）左右方向）位置を一致させた状態でそれぞれ進退する。
【０２６２】
進退部材３５７０ａ及び進退部材３５７０ｃの先端（針部３５７２ａ）は、外殻部材３５８０の案内溝３５８１との係合を解除可能に形成され、先端が外殻部材３５８０の案内溝３５８１に非係合とされた状態（係合が解除された状態）では、その係合が解除された時点での進退位置に固定（保持）される。一方、進退部材３５７０ｂの先端は、外殻部材３５８０の案内溝３５８１との係合を解除不能に形成される（即ち、進退部材３５７０ｂはその先端が外殻部材３５８１の案内溝３５８１に常に係合される）。
【０２６３】
遊技者は、遊技球の発射強度が所望の発射強度となる回動位置にハンドル回動部５４０が回動操作された際に、進退部材３５７０ａ又は進退部材３５７０ｃにおいて、その先端の案内溝３５８１への係合を解除しておくことで、その先端の係合が解除された進退部材３５７０ａ又は進退部材３５７０ｃの目印３５７１に、先端が案内溝３５８１に常に係合されている（即ち、ハンドル回動部５４０の回動に常に同期されている）進退部材３５７０ｂの目印３５７１が一致するように、ハンドル回動部５４０の回動位置を調整することで、上記各実施形態の場合と同様に、ハンドル回動部５４０を元の回動位置（即ち、遊技を中断する前や右打ちする前の回動位置）へ正確かつ迅速に調整する（元の回動位置を正確かつ迅速に再現する）ことができる（図４２から図４４参照）。
【０２６４】
本実施形態では、進退部材３５７０ａ〜３５７０ｃの目印３５７１の位置が軸方向（即ち、ハンドル回動部５４０の回動軸方向）に沿って移動されるので、ハンドル回動部５４０の回動操作量（回動位置）に応じて、目印が周方向に沿って移動する構造の場合と比較して、目印３５７１同士の位置関係を認識するための遊技者の視線方向を一定（一方向）とすることができる。同様に、その位置関係は、目印が周方向に沿って移動する構造の場合とは異なり、高さ方向には変化されないので、視認する際の焦点距離の変動を少なくすることができる。その結果、ハンドル回動部５４０の回動位置の認識を容易として、遊技者の負担を軽減できる。
【０２６５】
次いで、図３９を参照して、外殻部材３５８０について説明する。図３９（ａ）は、外殻部材３５８０の背面図であり、図３９（ｂ）は、外殻部材３５８０の側面図である。なお、図３９（ａ）は、外殻部材３５８０の軸方向視に対応し、図３９（ｂ）は、外殻部材３５８０の軸直角方向視に対応する。
【０２６６】
図３９（ａ）に示すように、外殻部材３５８０は、ハンドル回動部５４０と同心の円筒部材をその軸方向視において周方向に約３等分に分断した形状に形成される。この外殻部材３５８０の外周面には、図３９（ｂ）に示すように、その外周面に沿って１条の案内溝３５８１が凹設される。
【０２６７】
案内溝３５８１は、螺旋状に延設される断面Ｖ字の凹溝であり、そのリード角が一定値に設定される。よって、ハンドル回動部５４０が回動操作された際に、各進退部材３５７０ａ〜３５７０ｃが軸方向に進退する距離（軸方向移動距離）は、いずれの進退部材３５７０ａ〜３５７０ｃにおいても同じ距離とされる。
【０２６８】
次いで、図４０及び図４１を参照して、進退部材３５７０ａ〜３５７０ｃの先端構造について説明する。なお、進退部材３５７０ａ及び進退部材３５７０ｃは、目印３５７１の表示位置が異なる点を除き、その他の構成は互いに同一であるので、以下においては、進退部材３５７０ａを代表例として説明する。
【０２６９】
また、進退部材３５７０ｂは、係合針部材３５７２及び押下ボタン部材３５７３が省略されると共に、針部３５７２ａに相当する部材が下面に固定される点を除き、その他の構成は進退部材３５７０ａ，３５７０ｃと同一であるので、その説明を省略する。
【０２７０】
図４０は、進退部材３５７０ａの断面図であり、図４０（ａ）は係合針部材３５７２が突出位置にある状態が、図４０（ｂ）は押下ボタン３５７３が押下された状態が、図４０（ｃ）は係合針部材３５７２が後退位置にある状態が、それぞれ図示される。
【０２７１】
図４０に示すように、進退部材３５７０ａの先端には、係合針部材３５７２及び押下ボタン部材３５７３が組み付けられる。進退部材３５７０ａは、上面から突出される押下ボタン部材３５７３が押下操作される毎に、係合針部材３５７２の先端（針部３５７２ａ）が突出され案内溝３５８１に係合可能となる突出位置（図４０（ａ）参照）と、係合針部材３５７２の先端が後退され案内溝３５８１との係合が解除される後退位置（図４０（ｃ）参照）との２位置に切り替えられる。ここで、図４１を参照して、係合針部材３５７２及び押下ボタン部材３５７３について説明する。
【０２７２】
図４１（ａ）は、押下ボタン部材３５７３の上面図であり、図４１（ｂ）は、押下ボタン部材３５７３の側面図であり、図４１（ｃ）は、係合針部材３５７２の上面図であり、図４１（ｄ）は、係合針部材３５７２の側面図である。
【０２７３】
図４１（ａ）及び図４１（ｂ）に示すように、押下ボタン部材３５７３は、円柱状のボタン部３５７３ａと、そのボタン部３５７３ａの下端においてフランジ状に張り出し形成されるフランジ部３５７３ｂと、そのフランジ部３５７３ｂの下面縁部から下方へ垂設される板状に形成される一対の垂下体３５７３ｃと、フランジ部３５７３ｂの下面中央から下方へ突出される円柱状の突起部３５７３ｄと、を備え、これらが一体に形成される。
【０２７４】
図４１（ｃ）及び図４１（ｄ）に示すように、係合針部材３５７２は、円柱状の針部３５７２ａと、その針部３５７２ａの上端においてフランジ状に張り出し形成されるフランジ部３５７２ｂと、そのフランジ部３５７２ｂの上面中央から上方へ突出される円柱状の突起部３５７２ｃと、を備え、これらが一体に形成される。
【０２７５】
係合針部材３５７２のフランジ部３５７２ｂは、その外縁に一対の切り欠きが形成される。これら一対の切り欠きには、押下ボタン部材３５７３の一対の垂下体３５７３ｃが挿通される（図４０参照）。また、係合針部材３５７２の針部３５７２ａの下端は、先細形状に形成され、案内溝３５８１（図３９参照）に係合可能とされる。
【０２７６】
図４０に戻って説明する。進退部材３５７０ａの先端には、係合針部材３５７２及び押下ボタン部材３５７３を収容するための収容空間が形成され、その収容空間には、係合針部材３５７２の針部３５７２ａがその下端を進退部材３５７０ａの先端下面に出没可能に配設されると共に、押下ボタン部材３５７３がそのボタン部３５７３ａを進退部材３５７０ａの先端上面から突出させて配設される。
【０２７７】
係合針部材３５７２のフランジ部３５７２ｂの下面には、磁石Ａ１が固着されると共に、その磁石Ａ１に対応する位置において磁石Ａ２が収容空間内に固着される。磁石Ａ１と磁石Ａ２とは、互いに磁着可能な磁極の向きで配設される。
【０２７８】
同様に、押下ボタン部材３５７３のフランジ部３５７３ｂの上面には、磁石Ｂ１が固着されると共に、その磁石Ｂ１に対応する位置において磁石Ｂ２が収容空間内に固着される。磁石Ｂ１と磁石Ｂ２とは、互いに磁着可能な磁極の向きで配設される。
【０２７９】
係合針部材３５７２のフランジ部３５７２ｂの下面と収容空間の内壁との間で移動を規制された状態で、コイルスプリングである下側付勢ばねＳ１が配設される。また、係合針部材３５７２のフランジ部３５７２ｂの上面と押下ボタン部材３５７３のフランジ部３５７３ｂの下面との間には、コイルスプリングである上側付勢ばねＳ２が配設される。なお、突出位置（図４０（ａ）参照）では、下側付勢ばねＳ１が弾性的に圧縮された状態とされる。
【０２８０】
図４０に戻って説明する。図４０（ａ）に示すように、突出位置では、磁石Ａ１と磁石Ａ２とが磁着され、その磁着力により、係合針部材３５７２がその先端（針部３５７２ａ）を進退部材３５７０ａの下面から突出させる位置に保持される。これにより、針部３５７２ａが案内溝３５８１に係合されるので、ハンドル回動部５４０が回動されると、針部３５７２ａが案内溝３５８１に沿って相対的に移動されることで、進退部材３５７０ａが軸方向へ進退される。
【０２８１】
図４０（ｂ）に示すように、遊技者によって、押下ボタン部材３５７３のボタン部３５７３ａが下方へ押下されると、押下ボタン部材３５７３のフランジ部３５７３ｂと係合針部材３５７２のフランジ部３５７２ｂとの間の対向間隔が狭くなり、これらの間で上側付勢ばねＳ２が弾性的に圧縮される。同時に、押下ボタン部材３５７３の垂下体３５７３ｃによって下側付勢ばねＳ１が下方へ押下げられ、垂下体３５７３ｃと収容空間の内壁との間で下側付勢ばねＳ１が弾性的に圧縮される。
【０２８２】
押下ボタン部材３５７３のボタン部３５７３ａを下方へ押下する操作が解除されると（即ち、押下ボタン部材３５７３を下方へ押下する遊技者の手がボタン３５７３ａから離されると）、押下ボタン部材３５７３のフランジ部３５７３ｂが上側付勢ばねＳ２の弾性回復力を受け上方へ付勢されると共に、押下ボタン部材３５７３の垂下体３５７３ｃが下側付勢ばねＳ１の弾性回復力を受け上方へ付勢される。
【０２８３】
これにより、押下ボタン部材３５７３が上方へ変位されることで、図４０（ｃ）に示すように、磁石Ｂ１と磁石Ｂ２とが磁着され、その磁着力により、押下ボタン部材３５７３がその上端（ボタン部３５７３ａ）を進退部材３５７０ａの上面から突出させる位置に保持される。
【０２８４】
同時に、押下ボタン部材３５７３が上方へ変位され、その押下ボタン部材３５７３の垂下体３５７３ｃにより弾性的に圧縮されていた下側付勢ばねＳ１が弾性回復されることで、係合針部材３５７２のフランジ部３５７２ｂの下面に下側付勢ばねＳ１が衝突され、磁石Ａ１と磁石Ａ２との磁着が解除される。これにより、係合針部材３５７２が、下側付勢ばねＳ１により持ち上げられ、図４０（ｃ）に示すように、先端（針部３５７２ａ）が進退部材３５７０ａの下面から後退（没入）した位置に保持される。
【０２８５】
次いで、図４２から図４４を参照して、進退部材３５７３ａ〜３５７３ｃを利用してハンドル回動部５４０の回動位置を記憶させると共に、それら進退部材３５７３ａ〜３５７３ｃを基準としてハンドル回動部５４０の回動位置を調整する（元の回動位置へ復帰させる）調整方法について説明する。図４２及び図４３は、操作ハンドル３０５１の側面図であり、図４４は、操作ハンドル３０５１の上面図である。
【０２８６】
なお、図４２（ａ）及び図４４（ａ）はハンドル回動部５４０が初期位置にある状態が、図４２（ｂ）及び図４４（ｂ）は図４２（ａ）及び図４４（ａ）に示す状態からハンドル回動部５４０が所定の回動操作量だけ回動操作された状態が、図４３（ａ）は、図４２（ｂ）及び図４４（ｂ）に示す状態において進退部材３５７０ｃの係合針部材３５７２がが後退位置に設定された状態が、図４３（ｂ）及び図４４（ｃ）は図４３（ａ）に示す状態からハンドル回動部５４０が初期位置へ復帰された状態が、それぞれ図示される。
【０２８７】
図４２（ａ）及び図４４（ａ）に示すように、ハンドル回動部５４０の回動位置が初期位置にあり、進退部材３５７０ａ及び進退部材３５７０ｃの係合針部材３５７２ａが突出位置にある（即ち、それらの針部３５７２ａがそれぞれ案内溝３５８２に係合された）状態では、３本の進退部材３５７０ａ〜３５７０ｃは、それらの目印３５７１の軸方向位置が一致される。
【０２８８】
この状態から遊技者によるハンドル回動部５４０の回動操作が行われると、外殻部材３５８０の回動に伴い、進退部材３５７０ａ〜３５７０ｃの各針部３５７２ａが案内溝３５８１に沿って案内されることで、図４２（ｂ）及び図４４（ｂ）に示すように、目印３５７１の軸方向位置が一致された状態を維持しつつ、進退部材３５７０ａ〜３５７０ｃのそれぞれが軸方向（図４２（ｂ）及び図４４（ｂ）左右方向）に沿って後退移動される。
【０２８９】
遊技状態に応じて、ハンドル回動部５４０の回動位置を調整した結果、遊技球の発射強度が所望の発射強度に調整された場合には、図４３（ａ）に示すように、進退部材３５７０ｃのボタン部３５７３ａの押し込み操作により、かかる進退部材３５７０ｃの係合針部材３５７２を後退位置に設定する（図４０（ｃ）参照）。これにより、進退部材３５７０ｃの針部３５７２ａが案内溝３５８１から離間され、進退部材３５７０ｃが外殻部材３５８０（即ち、ハンドル回動部５４０）から切り離されるので、進退部材３５７０ｃの進退位置（軸方向位置）を所定の進退位置に固定（保持）できると共に、その進退部材３５７０ｃとは独立して他の進退部材３５７０ａ，３５７０ｂをハンドル回動部５４０の回動に連動させて進退移動させることができる。
【０２９０】
即ち、図４３（ｂ）及び図４４（ｃ）に示すように、例えば、休憩を取るために、ハンドル回動部５４０の回動位置を初期位置へ復帰させ、遊技を中断したとしても、進退部材３５７０ｃの進退位置（軸方向位置）は元の回動位置（すなわち、遊技機を中断する前の進退位置、図４２（ｂ）及び図４４（ｂ）参照）に保持される。同様に、例えば、右打ちをするために、ハンドル回動部５４０の回動位置を最大回動位置まで回動させたとしても（図示せず）、進退部材３５７０ｃの進退位置（軸方向位置）は元の進退位置に保持される。
【０２９１】
よって、ハンドル回動部５４０の回動位置を元の回動位置（即ち、遊技を中断する前や右打ちする前の回動位置、図４２（ｂ）及び図４４（ｂ）参照）に調整する場合には、進退部材３５７０ｃが固定されている進退位置を基準として、ハンドル回動部５４０を回動させる（即ち、進退部材３５７０ｂの目印３５７１を、進退部材３５７０ｃの目印３５７１に一致させる）ことで、ハンドル回動部５４０の回動位置を元の回動位置に正確かつ迅速に調整する（元の回動位置を正確かつ迅速に再現する）ことができる。
【０２９２】
ここで、本実施形態では、進退部材３５７０ａ，３５７０ｃに操作ボタン部材３５７３が配設されるので、ハンドル回動部５４０を回動操作する手（右手）とは異なる手（左手）によって操作ボタン部材３５７２を操作することができる。よって、遊技球の発射強度が所望の発射強度となる回動位置にハンドル回動部５４０の回動位置が調整された際には、そのハンドル回動部５４０の回動操作量を維持しつつ（即ち、ハンドル回動部５４０を操作する手（右手）自体やその手指を動かすことなく）、操作ボタン部材３５７３を別の手（左手）で操作できる。これにより、適正な回動位置において進退部材３５７０ａ，３５７０ｃをハンドル回動部５４０から切り離すことができる。
【０２９３】
また、本実施形態では、３本の進退部材３５７０ａ〜３５７０ｃを並設する構成において、それらの内の１本（進退部材３５７０ｂ）には、操作ボタン部材３５７３が配設されない（即ち、ハンドル回動部５４０との連動が解除不能とされる）ので、かかる操作ボタン部材３５７３が配設されない１本（進退部材３５７０ｂ）をハンドル回動部５４０に常時連動させることができる。
【０２９４】
よって、３本の進退部材３５７０ａ〜３５７０ｃの全てに対し、ハンドル回動部５４０との連動を、遊技者が不用意に解除してしまい、ハンドル回動部５４０の回動位置を元の回動位置へ調整することが不能となることを抑制できる。また、操作ボタン部材３５７３が不要となる分、部品点数を削減でき、製品コストの低減を図ることができる。
【０２９５】
この場合、ハンドル回動部５４０に常時連動される進退部材３５７０ｂは、他の２本の進退部材３５７０ａ，３５７０ｃのいずれか又は両者との間で目印３５７１を比較する基準とされるところ、かかる基準となる進退部材３５７０ｂが、並設された３本の内の真ん中に配設されるので（図３８参照）、基準となる進退部材３５７０ｂの目印３５７１と、比較対象となる２本の進退部材３５７０ａ，３５７０ｃの目印３５７１との距離を、いずれの進退部材３５７０ａ，３５７０ｃに対しても、近接させておくことができる。即ち、遊技者は、目印３５７１同士をより近い位置で比較することができるので、ハンドル回動部５４０の回動位置を元の回動位置へ調整（復帰）させる操作をより正確に行うことができる。
【０２９６】
次いで、図４５を参照して、第４実施形態について説明する。第３実施形態では、１条の案内溝３５８１に、３本の進退部材３５７０ａ〜３５７０ｃの先端がそれぞれ係合される場合を説明したが、第４実施形態における外殻部材４５８０には案内溝３５８１が３条凹設され、これら各案内溝３５８１に各進退部材４５７０ａ〜４５７０ｃの先端がそれぞれ係合される。なお、上記各実施形態と同一の部分については同一の符号を付して、その説明を省略する。
【０２９７】
図４５は、第４実施形態における操作ハンドル４０５１の上面図である。図４５に示すように、第４実施形態における外殻部材４５８０には、その外周面に沿って３条の案内溝３５８１が凹設される。これら各案内溝３５８１は、軸方向（ハンドル回動部５４０の回動軸）に沿って等間隔に配設される。
【０２９８】
進退部材４５７０ａ及び進退部材４５７０ｃは、第３実施形態における進退部材３５７０ａ及び進退部材３５７０ｃに対し、目印３５７１が表示される軸方向位置が異なる点のみが異なり、他は同一に構成される。
【０２９９】
この場合、中央の進退部材３５７０ｂは、３条の案内溝３５８１の内の中央の案内溝３５８１にその先端が係合され、進退部材４５７０ａ及び進退部材４５７０ｃは、中央の案内溝３５８１を挟む一側（図４５左側）及び他側（図４５右側）の案内溝３５８１にその先端が係合される。
【０３００】
この場合、ハンドル回動部５４０の回動位置が初期位置にある状態では、進退部材３５７０ｂ及び進退部材４５７０ａ，４５７０ｃは、目印３５７１の軸方向位置が一致されると共に、その目印３５７１の軸方向位置を一致させた状態でそれぞれ進退移動される。
【０３０１】
よって、遊技者は、遊技球の発射強度が所望の発射強度となる回動位置にハンドル回動部５４０が回動操作された際に、進退部材４５７０ａ又は進退部材４５７０ｃにおいて、その先端の案内溝３５８１への係合を解除しておくことで、第３実施形態の場合と同様に、ハンドル回動部５４０を元の回動位置（即ち、遊技を中断する前や右打ちする前の回動位置）へ正確かつ迅速に調整する（元の回動位置を正確かつ迅速に再現する）ことができる。
【０３０２】
なお、第３実施形態では、ハンドル回動部５４０の回動位置が初期位置にある状態で、進退部材３５７０ａ及び進退部材３５７０ｃの先端の軸方向位置が異なる位置となるため、その分、目印３５７１を表示する軸方向位置（先端からの離間距離）を互いに異ならせておく必要がある（図３８（ａ）参照）。即ち、進退部材３５７０ａ及び進退部材３５７０ｃを別部品として準備する必要がある。
【０３０３】
これに対し、第４実施形態では、進退部材４５７０ａ及び進退部材４５７０ｃにおいて、目印３５７１を表示する位置（先端からの離間距離）を互いに同一の位置とすることができる。よって、進退部材４５７０ａ及び進退部材４５７０ｃを共通部品として流用できるので、その分、部品コストの低減を図ることができる。
【０３０４】
次いで、図４６から図５５を参照して、第５実施形態について説明する。第１実施形態では、ボタン部材５７０が押し込み操作された場合に、ハンドル回動部５４０の回動に対する連動回動部６００の連動が解除される（即ち、ハンドル回動部５４０から連動回動部６００が切り離され、連動回動部６００がハンドルベース５３０に固定されると共に、その連動回動部６００とは独立してハンドル回動部５４０が回動可能とされる）構成を説明したが、第５実施形態の連動回動部５６００は、ハンドル取付台５２０に対してハンドルベース５５３０が変位（回動）された場合に、ハンドル回動部５４０に対する連動回動部５６００の連動が解除される。なお、上記各実施形態と同一の部分については同一の符号を付して、その説明を省略する。
【０３０５】
図４６は、第５実施形態における操作ハンドル５０５１の側面図である。図４６に示すように、第５実施形態における操作ハンドル５０５１は、ハンドル取付台５２０と、そのハンドル取付台５２０の前面側に配設されると共に軸支部分（軸５６３及び軸受５２３、いずれも図１３参照）を中心に上下方向に変位可能に連結されるハンドルベース５５３０と、そのハンドルベース５５３０の前面に回動可能に取り付けられるハンドル回動部５４０と、そのハンドル回動部５４０の背面およびハンドルベース５５３０の前面の間に回動可能に取り付けられる連動回動部５６００と、ハンドル回動部５４０の前面に取り付けられる前カバー５５０と、を備えて構成される。
【０３０６】
ハンドル回動部５４０の背面（外周壁５４２の連動回動部５６００側の軸方向端面（図４６左側））には、磁石Ｃ１が埋設される一方（図５２参照）、連動回動部５６００の前面（ハンドル回動部５４０側の軸方向端面（図４６右側））には、磁石Ｃ１に対して異なる磁極を向けた姿勢（即ち、磁着可能な磁極の向き）で磁石Ｃ２が埋設される（図４８参照）。
【０３０７】
よって、ハンドル回動部５４０の背面（外周壁５４１の端面）と連動回動部５６００の前面（コ字状部分５５６００ｂの正面）とが当接され、磁石Ｃ１と磁石Ｃ２との間の磁着力が発揮される状態では（図５２参照）、その磁着力を利用して、ハンドル回動部５４０と連動回動部５６００とが接続され、連動回動部５６００が、ハンドル回動部５４０の回動に連動して回動可能とされる。
【０３０８】
一方、後述するようにハンドル取付台５２０に対しハンドルベース５５３０が軸支部分を中心として上下方向に変位（回動）され、ハンドル回動部５４０の背面から連動回動部５６００が離間されると（図５４参照）、磁石Ｃ１と磁石Ｃ２との間での磁着力の発揮が抑制され、連動回動部５６００がハンドルベース５５３０に固定（保持）される（即ち、ハンドル回動部５４０から連動回動部５６００が切り離され、ハンドル回動部５４０のみが独立して回動可能とされる）。
【０３０９】
よって、遊技者は、上記各実施形態の場合と同様に、連動回動部５６００の目印５６００ｃにハンドル回動部５４０の目印５４０ｄが一致するように、ハンドル回動部５４０を回動させることで、ハンドル回動部５４０を元の回動位置（即ち、遊技を中断する前や右打ちする前の回動位置）へ正確かつ迅速に調整する（元の回動位置を正確かつ迅速に再現する）ことができる。
【０３１０】
次いで、図４７を参照して、ハンドルベース５５３０について説明する。図４７はハンドル取付台５２０及びハンドルベース５５３０の正面斜視図であり、ハンドル回動部５４０、前カバー５５０及び連動回動部５６００が取り外された状態における操作ハンドル５０５１の正面斜視図に対応する。
【０３１１】
図４７に示すように、第５実施形態では、外周壁５５３１には、底壁５３２からの立設高さが低くされた領域である逃げ部５５３１ｃが形成される。逃げ部５５３１ｃの形成により確保された空間（外周壁５５３１の立設端面とハンドル回動部５４０の軸方向端面（背面）との対向間）には、連動回動部５６００のコ字状部分５６００ｂが配設される（図４９及び図５０参照）。
【０３１２】
なお、逃げ部５５３１ｃは、その始端ｍ１がガイド支柱５３３ｂ，５３３ｃの対向間に対応する位置とされ、その始端ｍ１から発射停止スイッチ操作部４４０が配設される位置まで周方向に連続して形成される。この逃げ部５３３１ｃの形成範囲は、本実施形態では中心角が約１８０度を超える範囲とされる。
【０３１３】
次いで、図４８を参照して、連動回動部５６００について説明する。図４８（ａ）は、連動回動部５６００の正面図であり、図４８（ｂ）は、図４８（ａ）のＬｂ−Ｌｂ線における連動回動部５６００の断面図である。
【０３１４】
図４８に示すように、連動回動部５６００は、軸心Ｏを有する円環形状を分断した正面視湾曲形状に形成される湾曲本体２６００ａと、その湾曲本体５６００ａの周方向一側に連設されるコ字状部分５６００ｂと、そのコ字状部分５６００ｂとは反対側となる湾曲本体５６００ａの周方向他側における外面に形成される正面視三角形状の目印５６００ｃと、を備える。
【０３１５】
図４８（ａ）に示すように、湾曲本体５６００ａは、その内径寸法（半径ｒ）が外周壁５５３１の外径寸法と略同一の値または若干大きな値に設定され、外周壁５５３１の外周面に沿って摺動可能とされる。コ字状部分５６００ｂは、湾曲本体５６００ａと同心に形成される。
【０３１６】
図４８（ｂ）に示すように、コ字状部分５６００ｂは、断面コ字状に形成される。コ字状部分５６００ｂの正面側（図４８（ｂ）上側）には、磁石Ｃ２が埋設される。ここで、コ字状部分５６００ｂの始端ｎ１から終端ｎ２までの周方向長さは、ハンドル規制部材５７００の周方向長さ（一方のスライド案内溝７０１ａから他方のスライド案内溝７０１ａまでの幅寸法、即ち、規制部７０４の延設長さ、図５１参照）よりも長くされる。
【０３１７】
コ字状部分５６００ｂの内周側（軸心Ｏ側、図４８（ｂ）左側）には、径方向内方へ向けて張り出すと共に連動回動部５６００の正面側（図４８（ｂ）上側）へ向けて湾曲する突出片５６０１が形成される。突出片５６０１は、ハンドル規制部材５７００の係合片５７０４に係合される部位であり（図５４参照）、樹脂材料から湾曲本体２６００ａ、コ字状部分５６００ｂ及び目印５６００ｃと一体に形成される弾性変形可能な板状の突片である。
【０３１８】
突出片５６０１は、複数が周方向に沿って略等間隔に断続的に配設されることで、全体として櫛の歯状に形成される。これにより、ハンドル規制部材５７００が一方向へスライド移動する際には、係合片５７０４が突出片５６０１を乗り越えやすくできる（図５３参照）。一方で、突出部５６０１は、連動回動部５６００の正面側へ向けて湾曲する（即ち、係合片５７０４の湾曲方向が反対とされる）ので、ハンドル規制部材５７００が他方向へスライド移動する際には、係合片５７０４と突出片５６０１との係合を強固とすることができる（図５４参照）。
【０３１９】
次いで、このように形成された連動回動部５６００のハンドルベース５５３０への装着状態について説明する。図４９及び図５０は、ハンドル取付台５２０及びハンドルベース５５３０の正面斜視図であり、図４７に示す状態に対し、ハンドルベース５５３０に連動回動部５６００が装着された状態が図示される。
【０３２０】
なお、図４９では、ハンドル回動部５４０の回動に連動して連動回動部５６００が初期位置から所定の回動量（図４９の例では略５度）だけ回動された状態が図示され、図５０では、ハンドル回動部５４０の回動に連動して連動回動部５６００が図４９に示す状態から更に回動され、コ字状部分５６００ｂがハンドル規制部材５７００に対面する位置まで移動された状態が図示される。また、図４９及び図５０では、磁石Ｃ２の図示が省略される。
【０３２１】
図４９及び図５０に示すように、連動回動部５６００は、外周壁５５３１の逃げ部５５３１ｃにより形成される空間にコ字状部分５６００ｂが配設される。即ち、外周壁５５３１の逃げ部５５３１ｃに対応する部分が、コ字状部分５６００ｂのコ字形状の内部空間（一対の壁部の対向間）に挿入される。これにより、連動回動部５６００は、湾曲本体５６００ａが外周壁５５３１の外面側に沿って配設され、磁石Ｃ２（図４８参照）が正面側（即ち、ハンドル回動部５４０側）を望むと共に、突出片５６０１が内周壁５３４へ向けて突出され、かつ、目印５６００ｃが外周側（外周壁５５３１の外面側）から視認可能となる姿勢で、ハンドルベース５５３０に装着される。
【０３２２】
連動回動部５６００は、ハンドルベース５３０に対し、回動可能、かつ、軸方向（ハンドル回動部５４０の回動軸）へ移動可能とされる。即ち、連動回動部５６００は、外周壁５５３１（逃げ部５５３１ｃが形成された部分）がコ字状部分５６００ｂに挿入されているので、コ字状部分５６００ｂが外周壁５５３１の周方向に沿って移動することで、連動回動部５６００がハンドルベース５５３０に対して回動される。
【０３２３】
また、コ字状部分５６００ｂの内部空間の凹設深さ（図４８（ｂ）上下方向寸法）は、外周壁５５３１の逃げ部５５３１ｃの逃げ量（逃げ部５５３１ｃの底壁５３２からの立設高さが他の部分における外周壁５５３１の立設高さよりも低くされる量、図４７参照）よりも大きく（深く）される。これにより、連動回動部５６００ハンドルベース５５３０に対して軸方向へ移動可能とされる。
【０３２４】
この場合、連動回動部５６００は、その正面（図４８（ｂ）上側面）をハンドル回動部５４０の背面（図４６左側面）に当接させた状態では、コ字状部分５６００ｂの内部空間への外周壁５５３１（逃げ部５５３１が形成された部分）の挿入が維持され、外周壁５５３１がコ字状部分５６００ｂの内壁に係合されるので、連動回動部５６００はハンドルベース５５３０から径方向外方へ脱落されない。
【０３２５】
また、コ字状部分５６００ｂの凹設深さが逃げ部５５３１の逃げ量よりも大きく（深く）されることで、連動回動部５６００の正面（図４８（ｂ）上側面）は、外周壁５５３１の立設先端面（ハンドル回動部５４０の背面に対面する端面）よりも後方へ後退可能とされる（図５４参照）。
【０３２６】
ここで、連動回動部５６００は、初期位置（始端ｎ１が逃げ部５５３１の始端ｍ１に当接される回動位置）では、終端ｎ２がハンドル規制部材５７００の本体部７０１の下面縁部（規制部５７０４の延設端部）に到達せず、連動回動部５６００の突出片５６０１はハンドル規制部材５７００の係合片５７０４に係合不能な周方向位置に配置とされる（図５６（ａ）参照）。
【０３２７】
一方、連動回動部５６００が初期位置から所定の回動量（例えば、中心角５度が例示されるように、寸法公差を許容する若干の回動量）だけ回動されると、連動回動部５６００の終端ｎ２側における突出片５６０１がハンドル規制部材５７００の係合片５７０４に係合可能な周方向位置に配置される。また、突出片５６０１は、連動回動部５６００の回動位置が最大とされた状態（即ち、回動操作量が最大に達したハンドル回動部５４０に連動して回動された状態）においても、係合片５７０４と係合可能な位置に配置される。
【０３２８】
即ち、初期位置では、ハンドル規制部材５７００がスライド移動されても、突出片５６０１と係合片５７０４とが係合不能とされ、ハンドル規制部材５７００のスライド移動に連動した連動回動部材５６００のスライド移動が発生しない。一方、初期位置から連動回動部５６００（即ち、ハンドル回動部５４０）が所定の回動量だけ回動されると、突出片５６０１が係合片５７０４と係合可能な周方向位置に配置され、ハンドル規制部材５７００がスライド移動されると、そのスライド移動に連動した連動回動部材５６００のスライド移動が発生可能となる。
【０３２９】
次いで、図５１を参照して、ハンドル規制部材５７００について説明する。図５１（ａ）及び図５１（ｂ）は、ハンドル規制部材５７００の斜視図である。
【０３３０】
図５１（ａ）及び図５１（ｂ）に示すように、第５実施形態におけるハンドル規制部材５７００は、本体部７０１の下面（図５１（ａ）下側面）に突設される係合片５７０４を備える。係合片５７０４は、連動回動部５６００の突出片５６０１に係合される部位であり、後述するように、ハンドル規制部材５７００がスライド移動により前進する際には、連動回動部５６００の突出片５６０１を乗り越える一方（図５３参照）、ハンドル規制部材５７００がスライド移動により後退する際には、連動回動部５６００の突出片５６０１と係合して、かかる連動回動部５６００をハンドル規制部材５７００と共にスライド移動（後退）させる（図５４参照）。
【０３３１】
係合片５７０４は、樹脂材料から本体部７０１、ロッド部７０２及び腕部７０３と一体に形成される弾性変形可能な板状体であり、本体部７０１の下面から張り出すと共に、規制部材５７００の背面側（ロッド部７０２側、図５１（ａ）右側）へ向けて湾曲して形成される。なお、係合片５７０４は、腕部７０３の張り出し方向に沿って延設されると共に、その湾曲方向が、連動回動部５６００の突出片５６０１に対して反対方向とされる（図５２参照）。
【０３３２】
次いで、図５２から図５５を参照して、連動回動部５６００を利用してハンドル回動部５４０の回動位置を記憶させると共に、その連動回動部５６００を基準としてハンドル回動部５４０の回動位置を調整する（元の回動位置へ復帰させる）調整方法について説明する。図５２から図５４及び図５５（ｂ）は、操作ハンドル５０５１の部分断面図であり、図５５（ａ）は、ハンドル規制部材５７００の下面斜視図である。
【０３３３】
なお、図５２はハンドル回動部２５４０が連動回動部２６００と共に所定の回動操作量だけ回動操作され且つハンドルベース５５３０が軸支部分（軸５６３及び軸受５２３、いずれも図１３参照）を中心として下方へ変位される前の状態（即ち、遊技者によりハンドルベース５５３０が下方へ向けて変位操作されていない状態であって、図２０に対応する状態）が、図５３は図５２に示す状態からハンドルベース５５３０が軸支部分を中心として下方へ変位された後の状態（即ち、遊技者によりハンドルベース５５３０が下方へ向けて変位操作され、ハンドル回動部５４０の回動がハンドル規制部材５７００により規制された状態であって、図２１に対応する状態）が、図５４は図５３に示す状態からハンドルベース５５３０の下方への変位が解除された状態が、それぞれ図示される。
【０３３４】
また、図５５（ｂ）は図５４に示す状態から連動回動部５６００が初期位置へ復帰された状態が図示され、図５５（ａ）は図５５（ｂ）におけるハンドル規制部材５７００と連動回動部５６００との位置関係が図示される。
【０３３５】
図５２に示すように、ハンドルベース５５３０がハンドル取付台５２０（図４６参照）に対して軸支部分を中心として下方へ変位される前の状態では、ハンドル回動部５４０の背面に連動回動部５６００の前面が磁石Ｃ１，Ｃ２の磁着力を利用して接続されているので、遊技者によるハンドル回動部５４０の回動操作が行われると、連動回動部５６００が、ハンドル回動部５４０の回動に連動して回動される。即ち、ハンドル回動部５４０及び連動回動部５６００は、それらの目印５４０ｄ及び目印５６００ｃの回動位置（位相）が一致した状態で、回動される（図４６参照）。
【０３３６】
遊技状態に応じて、ハンドル回動部５４０の回動位置を調整した結果、遊技球の発射強度が所望の発射強度に調整された場合には、図５３に示すように、ハンドルベース５５３０をハンドル取付台５２０に対して軸支部分を中心として下方へ変位させる。
【０３３７】
これにより、ハンドル規制部材５７００のロッド部７０２（被押圧面部７０２ａ）がハンドル取付台５２０の押圧面部５２８ａに押圧され、かかる押圧によりスライド移動されたハンドル規制部材５７００の当接面部７０１ｂがハンドル回動部５４０の円板部５４１に当接され、ハンドル回動部５４０の回動が規制される（即ち、ハンドル回動部５４０の初期位置への復帰が規制され、その回動操作量が固定される）。
【０３３８】
なお、ハンドル規制部材５７００は、その係合片５７０４が連動回動部５６００の突出片５６０１を乗り越えることで、ハンドル回動部５４０へ向けてスライド移動される。この場合、係合片５７０４及び突出片５６０１が共に板状に形成されと共に突出片５６０１が櫛の歯状に形成され、また、これら各片５７０４，５６０１の湾曲方向が互いに反対方向とされるので、弾性変形性を確保すると共に、上記乗り越え動作を容易とでき、その結果、ハンドル規制部材５７００のスライド移動をスムーズに行わせることができる。
【０３３９】
図５３に示す状態から、ハンドルベース５３０の軸支部分を中心とする下方への変位が解除されると、図５４に示すように、ハンドル規制部材５７００のスライド移動に伴い弾性変形されていた腕部７０２が弾性回復し、その弾性回復力によりハンドル規制部材５７００がハンドル回動部５４０から離間する方向（初期位置へ復帰する方向、図５２参照）へスライド移動される。
【０３４０】
このハンドル規制部材５７００のスライド移動時には、その係合片５７０４が連動回動部５６００の突出片５６００ｃに係合されることで、図５４に示すように、ハンドル規制部材５７００のスライド移動に連動して、連動回動部材５６００もスライド移動され、ハンドル回動部５４０から離間される。その結果、ハンドル回動部５４０から連動回動部５６００が切り離され、磁石Ｃ１と磁石Ｃ２との間での磁着力の発揮が抑制されるので、連動回動部５６００を所定の回動位置に固定（保持）できると共に、その連動回動部５６００とは独立してハンドル回動部５４０のみを回動操作できる。
【０３４１】
このように、本実施形態では、ハンドルベース５５３０をハンドル取付台５２０に対して軸支部分を中心として下方へ変位させる操作により、ハンドル回動部５４０と連動回動部５６００との連動を解除する動作を実行できるので、かかる解除動作を容易に行うことができる。即ち、遊技者は、ハンドル回動部５４０を手指で把持した状態を維持しつつ、手首を返す動作のみで、ハンドル取付台５２０に対してハンドルベース５５３０を容易に変位させることができる。その結果、上記解除を行うための操作を、ハンドル回動部５４０の回動操作量を維持しつつ（即ち、所望の発射強度に調整された回動位置からずれることを抑制しつつ）、容易に行うことができる。
【０３４２】
特に、本実施形態では、ハンドルベース５５３０をハンドル取付台５２０に対して下方へ変位させる操作を行うと、スライド移動されたハンドル規制部材５７００の当接により、ハンドル回動部５４０の回動を規制することができるので、連動回動部５６００をハンドル回動５４０から切り離す際には、ハンドル回動部５４０が初期位置へ復帰することの規制（即ち、ハンドル回動部５４０の回動の禁止または回動の抑制）も併せて行うことができる。即ち、連動回動部５６００をハンドル回動部５４０から切り離す際には、ハンドル回動部５４０の回動位置の位置ずれを抑制できるので、その分、連動回動部５６００を所定の回動位置に適正に留まらせる（固定する）ことができる。
【０３４３】
なお、ハンドル規制部材５７００は、図５４に示すように、外周壁５５３１の逃げ部５５３１ｃにおける軸方向端面が、コ字状部分５６００ｂの凹部空間における底面に当接され、それらの間に隙間が形成されない位置まで、連動回動部５６００をスライド移動させた状態であっても、その腕部７０３が弾性変形された状態に維持される。よって、その腕部７０３の弾性回復力を利用して、連動回動部５６０を外周壁５５３１（逃げ部５５３１ｃ）の端面に押し付けておくことができ、かかる連動回動部５６００をハンドルベース５５３０に強固に固定（保持）できる。即ち、ハンドル回動部５４０から切り離された連動回動部５６００の位置ずれを防止することができる。
【０３４４】
このように、軸支部分を中心としてハンドルベース５５３０を下方へ変位させることで、図５４に示すように、連動回動部２６００の回動位置を所定の回動位置（即ち、ハンドルベース５５３０を下方へ変位させた時点でのハンドル回動部５４０の回動位置）に固定（保持）できると共に、その連動回動部５６００とは独立してハンドル回動部５４０のみを回動操作できる。
【０３４５】
即ち、図５４に示す状態から、例えば、休憩を取るために、ハンドル回動部５４０の回動位置を初期位置へ復帰させ、遊技を中断したとしても、連動回動部５６００の回動位置は元の回動位置（すなわち、遊技機を中断する前の回動位置）に保持される。同様に、例えば、右打ちをするために、ハンドル回動部５４０の回動位置を最大回動位置まで回動させたとしても、連動回動部５６００の回動位置は元の回動位置に保持される。
【０３４６】
よって、ハンドル回動部５４０の回動位置を元の回動位置（即ち、遊技を中断する前や右打ちする前の回動位置）に調整する場合には、連動回動部５６００が固定されている回動位置を基準として、ハンドル回動部５４０を回動させる（即ち、ハンドル回動部５４０の目印５４０ｄを連動回動部５６００の目印２６００ｃに一致させる、図４６参照）ことで、ハンドル回動部５４０の回動位置を元の回動位置に正確かつ迅速に調整する（元の回動位置を正確かつ迅速に再現する）ことができる。
【０３４７】
なお、図５４に示す状態では、腕部７０３の弾性回復力が連動回動部５６００を外周壁５５３１（逃げ部５５３１ｃ）へ押し付ける押し付け力を超えて、連動回動部５６００へ回動駆動力を付与することで、かかる連動回動部５６００を遊技者の手指により手動で回動させることができる。
【０３４８】
よって、図５４に示す状態から、連動回動部５６００を初期位置へ向かう方向へ遊技者の手指により手動で回動させ、コ字状部分５６００ｂの始端ｎ１を逃げ部５３３１ｃの始端ｍ１（いずれも図４９参照）に当接させることで、図５５に示すように、連動回動部５６００のコ字状部分５６００ｂの終端ｎ２が、ハンドル規制部材５７００の本体部７０１の下面縁部（規制部５７０４の延設端部）を超えた周方向位置に配置され、係合片５７０４と突出片５６０１との係合（図５４参照）が解除されるので、ハンドル規制部材５７００及び連動回動部５６００が初期位置に復帰される。
【０３４９】
以上のように、本実施形態では、ハンドル規制部材５７００（スライド部材）が、ハンドル回動部５４０が初期位置へ復帰することを規制するための機能（回動の禁止または回動の規制の機能）と、連動回動部５６００がハンドル回動部５４０の回動に連動して回動することを解除するための機能（連動回動部５６００のハンドル回動部５４０からの切り離し機能）とを兼用する。よって、部品点数を削減して、その分、製品コストの低減を図ることができる。
【０３５０】
また、このように、ハンドル回動部５４０の回動の禁止または回動の規制と、連動回動部５６００のハンドル回動部５４０からの切り離しとを、共通の部材（ハンドル規制部材５７００）を利用して行うことができるので、これら両動作のタイミングを一致させやすくすることができる。その結果、連動回動部５６００を所定の回動位置に適正に留まらせる（固定する）ことができる。
【０３５１】
次いで、図５６及び図５７を参照して、第６実施形態について説明する。第１実施形態では、ハンドル回動部５４０の回動に連動して回動される連動回動部６００を操作ハンドル５１が備える場合を説明したが、第６実施形態の操作ハンドル５１は、目盛り６５３１を備える。なお、上記各実施形態と同一の部分については同一の符号を付して、その説明を省略する。
【０３５２】
図５６（ａ）は、第６実施形態における操作ハンドル６０５１の上面図であり、図５６（ｂ）は、操作ハンドル６０５１の側面図である。また、図５７は、外殻部材６５８０の外面およびハンドルベース５３０の外面を平面に展開した外殻部材６５８０及びハンドルベース５３０の平面展開図である。
【０３５３】
図５６に示すように、第６実施形態における操作ハンドル６０５１は、ハンドル取付台５２０と、そのハンドル取付台５２０の前面側に上下方向に変位可能に連結されるハンドルベース５３０と、そのハンドルベース５３０の前面に回動可能に取り付けられるハンドル回動部５４０と、そのハンドル回動部５４０の前面に取り付けられる前カバー３５５０と、ハンドル回動部５４０の背面に固着されると共にハンドルベース５３０の外面に対向される外殻部材６５８０と、を備える。
【０３５４】
図５６に示すように、ハンドルベース５３０には、その外周面に目盛り６５３１が表示される。目盛り６５３１は、ハンドル回動部５４０の回動量を遊技者が読み取り可能とするためのものであり、ハンドルベース５３０の軸方向（ハンドル回動部５４０の回動軸の方向、図５６（ａ）左右方向）に沿って配設される複数の目盛り線６５３１ａが集まって形成される。
【０３５５】
外殻部材６５８０は、ハンドル回動部５４０の背面から張り出されると共に、ハンドルベース５３０の外面に沿って湾曲する板状体であり、ハンドル回動部５４０の背面からの張り出し寸法が周方向に沿って変化される。即ち、外殻部材６５８０の張り出し方向の端面６５８０ａは、軸方向（図５６（ａ）左右方向）に対して傾斜する傾斜面として形成される。
【０３５６】
図５７に示すように、目盛り６５３１は、隣り合う目盛り線６５３１ａの間隔である目幅が不等間隔とされる。具体的には、ハンドル回動部５４０に近い側（図５７下側）の領域における目幅に対して、残りの領域（図５７上側）における目幅が大きくされる。
【０３５７】
また、ハンドルベース５３０の外面には、所定の目盛り線６５３１ａに対応する位置に、識別記号６５３２が表示される。本実施形態では、１２本の目盛り線６５３１ａの内の表示幅（図５７左右方向長さ）が長くされた４ヶ所の目盛り線６５３１ａに対応して、「Ａ１〜Ａ４」からなる識別記号６５３２が表示される。
【０３５８】
このように構成される操作ハンドル６０５１によれば、図５７に示す初期位置からハンドル回動部５４０が回動されると、その回動に連動して外殻部材６５８０も初期位置から回動（図５７では右方向へ直線移動）され、その端面６５８０ａが目盛り６５３１を横切る。この場合、端面６５８０ａが傾斜面として形成されるので、ハンドル回動部５４０の回動位置（回動操作量）に応じて、外殻部材６５８０の端面６５８０ａと目盛り６５３１との位置関係を変化させることができる。
【０３５９】
これにより、遊技者は、外殻部材６５８０の端面６５８０ａと目盛り６５３１との位置関係に基づいて、ハンドル回動部５４０の回動位置を元の回動位置（例えば、遊技を中断する前や右打ちする前の回動位置）に調整できる。即ち、遊技球の発射強度が所望の発射強度となるようにハンドル回動部５４０の回動操作量が調整された場合には、外殻部材６５８０の端面６５８０ａの位置として読み取った目盛り線６５３１ａや識別記号６５３２を遊技者が記憶しておくことで、中断していた遊技を再開する場合や右打ちから左打ちへ切り替える際には、その記憶しておいた目盛り線６５３１ａや識別記号６５３２に外殻部材６５８０の端面６５８０ａの位置を一致させることで、ハンドル回動部５４０の回動位置を元の回動位置へ調整する操作を正確かつ迅速に行う（元の回動位置を正確かつ迅速に再現する）ことができる。
【０３６０】
この場合、本実施形態によれば、目盛り６５３１が軸方向（ハンドル回動部５４０の回動軸方向）に沿って表示されるので、ハンドル回動部５４０の回動位置（外殻部材６５８０の端面６５８０ａと目盛り６５３１との位置関係）を容易に認識することができる。
【０３６１】
即ち、例えば、上記第１実施形態の場合のように、目印６００ｃ（図５（ａ）参照）が周方向（ハンドル回動部５４０の回動方向）に沿って移動するものであると、遊技者から見て目印６００ｃが左右に移動され、その移動位置を認識するためには、遊技者はその視線方向を大きく変動させる必要がある。
【０３６２】
また、目印６００ｃは、ハンドルベース５３０の側面に位置する初期位置からハンドルベース５３０の上面に位置する最大発射強度位置まで移動されると、その目印６００ｃの高さ方向（図５（ｂ）上下方向）位置も大きく変化される。そのため、目印６００ｃの移動位置を認識するためには、遊技者はその焦点距離を大きく変動させる必要がある。
【０３６３】
これに対し、本実施形態では、目盛り６５３１が軸方向（即ち、ハンドル回動部５４０の回動軸方向）に沿って表示されるので、ハンドル回動部５４０の回動操作量（回動位置）に関わらず、外殻部材６５８０の端面６５８０ａと目盛り６５３１との位置関係を認識するための遊技者の視線方向を一定（一方向）とすることができる。また、その位置関係は、高さ方向には変化されないので、視認する際の焦点距離の変動を少なくすることができる。その結果、ハンドル回動部５４０の回動位置の認識を容易として、遊技者の負担を軽減できる。
【０３６４】
ここで、目盛り６５３１は、図５６（ａ）及び図５６（ｂ）に示すように、ハンドルベース６５３０の上面の最頂部（図５６（ａ）上下方向中央、図５６（ｂ）最上方）よりも遊技機本体の中央側（図５６（ａ）及び図５６（ｂ）下方）に偏る位置に表示される。これにおり、目盛り６５３１を、操作ハンドル６０５１を操作する遊技者に対して、正面に近づけて配置することができる。その結果、ハンドル回動部５４０の回動位置の認識（即ち、目盛り６５３１の目盛り線６５３１ａや識別記号６５３２の読み取り）を容易として、遊技者の負担を軽減できる。
【０３６５】
外殻部材６５８０の端面６５８０ａは、軸方向（ハンドル回動部５４０の回動軸方向、図５７上下方向）に対する傾斜角度が、始端Ｅ１側（図５７左側）の領域における傾斜角度よりも、終端Ｅ２側（図５７右側）の領域における傾斜角度の方が小さな傾斜角度とされる。即ち、終端Ｅ２側の領域が目盛り６５３１上を移動する際には、始端Ｅ１側の領域が目盛り６５３１上を移動する際と比較して、ハンドル回動部５４０の単位回動量あたりに端面６５８０ａが目盛り６５３１に対して移動する移動量を小さくすることができる。
【０３６６】
その結果、ハンドル回動部５４０を元の回動位置に調整する際の微調整をしやすくすることができる。なお、終端Ｅ２側の領域における傾斜角度を小さくするのは、終端Ｅ２側の領域の方が、始端Ｅ１側の領域よりも、ハンドル回動部５４０を元の回動位置に調整する頻度が高く、ハンドル回動部５４０を回動操作する際の微調整のしやすさが有効となるからである。
【０３６７】
識別記号６５３２は、目盛り６５３１に対して、外殻部材６５８０の端面６５８０ａがハンドル回動部５４０へ向けて下降傾斜する側（図５７右側）に表示される。これにより、外殻部材６５８０によって識別記号６５３２が遮蔽される面積を少なくして、かかる識別記号６５３２の視認性を確保することができる。即ち、端面６５８０ａの位置Ｅ３が目盛り６５３１の中心線に位置する場合（図５７において二点鎖線により図示する状態）、識別記号６５３２が反対側（図５７左側）に表示されていると、かかる識別記号６５３２が外殻部材６５８０に遮蔽されやすくなる。
【０３６８】
次いで、図５８から図６０を参照して、第７実施形態について説明する。第１実施形態では、連動回動部６００が切替支持軸８１０を介してハンドル回動部５４０に接続（連結）される場合を説明したが、第７実施形態における連動回動部７６００は、板ばね部材７８７０を介してハンドル回動部５４０に連結される。なお、上記各実施形態と同一の部分については同一の符号を付して、その説明を省略する。
【０３６９】
図５８（ａ）は、第７実施形態における操作ハンドル７０５１の上面図であり、図５８（ｂ）は、操作ハンドル７０５１の正面図である。
【０３７０】
図５８に示すように、第７実施形態における操作ハンドル７０５１は、ハンドル取付台５２０と、そのハンドル取付台５２０の前面側に配設されると共に軸支部分（軸５６３及び軸受５２３、いずれも図１３参照）を中心として上下方向に変位可能に連結されるハンドルベース７５３０と、そのハンドルベース７５３０の前面に回動可能に取り付けられると共に外面に目印５４０ｄ（図６参照）が形成されるハンドル回動部５４０と、そのハンドル回動部５４０の背面およびハンドルベース７５３０の前面の間に回動可能に取り付けられる連動回動部７６００と、ハンドル回動部５４０の前面に取り付けられる前カバー３５５０と、を備えて構成される。
【０３７１】
連動回動部７６００は、ハンドルベース７５３０の外面に配設され、そのハンドルベース７５３０の外面に沿って回動可能に形成される。ここで、図５９を参照して、連動回動部７６００について説明する。図５９（ａ）は、連動回動部７６００の正面図であり、図５９（ｂ）は、図５９（ａ）のＶＩＸｂ−ＶＩＸｂ線における連動回動部７６００の断面図であり、図５９（ｃ）は、図５９（ｂ）の矢印ＶＩＸｃ方向視における連動回動部７６００の側面図である。
【０３７２】
図５９に示すように、連動回動部７６００は、軸心Ｏを有する円環形状を分断した正面視湾曲形状に形成される湾曲本体７６００ａと、その湾曲本体７６００ａの周方向一端および他端にそれぞれ連設される一対のコ字状部分７６００ｂと、それら一対のコ字状部分７６００ｂの内の一方のコ字状部分７６００ｂの外面に形成される正面視三角形状の目印７６００ｃと、を備える。
【０３７３】
図５９に示すように、湾曲本体７６００ａは、その内径寸法（半径ｒ）が外周壁５３１の外径寸法と略同一の値または若干大きな値に設定され、外周壁５３１の外周面に沿って摺動可能とされる。コ字状部分７６００ｂは、断面コ字状に形成されると共に、湾曲本体７６００ａと同心に形成される。
【０３７４】
コ字状部分７６００ｂは、ハンドルベース７５３０の外周壁５３１の図示しない逃げ部に装着される。即ち、コ字状部分７６００ｂの内部空間に外周壁５３１（逃げ部）の先端が装着されることで、連動回動部７６００は、目印７６００ｃがハンドルベース７５３０の外面において視認可能な姿勢で配設されると共に、ハンドルベース７５３０の外面を回動可能とされる。
【０３７５】
なお、湾曲本体７６００ａの外面には、一対の係合溝７６００ａ１が凹設される。係合溝７６００ａ１は、板ばね部材７８７０の係合突部７８７１を受け入れるための凹溝であり（図６０参照）、それら一対の係合溝７６００ａ１の間隔は、一対の板ばね部材７８７０の間隔に一致される。
【０３７６】
次いで、図６０を参照して、板ばね部材７８７０について説明する。図６０（ａ）及び図６０（ｂ）は、操作ハンドル７０５１の部分断面模式図である。なお、図６０（ａ）は、板ばね部材７８７０が初期位置にある状態が、図６０（ｂ）は、板ばね部材７８７０が遊技者の手指により把持された状態が、それぞれ図示される。
【０３７７】
図６０（ａ）に示すように、板ばね部材７８７０は、金属材料から板ばねとして形成される部材であり、ハンドル回動部５４０の外面から径方向外方（図６０（ａ）上側）へ突設されると共に、先端側が連動回動部７６００へ向けて略水平（図６０（ａ）左右方向）へ延設されることで、連動回動部７６００の湾曲本体７６００ａの外面に対向する形状に形成される。
【０３７８】
板ばね部材７８７０の先端下面（図６０（ａ）下側面）には、連動回動部７６００（湾曲本体７６００ａ）の外面へ向けて係合突部７８７１が突設される。板ばね部材７８７０は、板状の素材からプレス加工により形成され、そのプレス加工において、打ち抜いた素材を湾曲形状に成形する際に係合突部７８７１が凹設される。これにより、工程を兼用して、製造コストを低減できる。
【０３７９】
板ばね部材７８７０は、通常時には、連動回動部７６００の外面との間に隙間を有する姿勢で配設される（図６０（ａ）参照）。遊技者がハンドル回動部５４０を把持する際に、その手指により押下されることで、弾性変形して、その下面を連動回動部７６００（湾曲本体７６００ａ）の外面に当接させる。特に、ハンドル回動部５４０及び連動回動部７６００が初期位置にある状態では、板ばね部材７８７０が弾性変形されると、その係合突部７８７１が連動回動部７６００の係合凹溝７６００ａ１に係合される。
【０３８０】
これにより、連動回動部７６００に対する板ばね部材７８７０の滑りを抑制できる。即ち、連動回動部７６００の外面と板ばね部材７８７０の下面とを面当たりさせる場合と比較して、ハンドル回動部５４０に対する連動回動部７６００の連動を、遊技者の手指を利用する場合であっても、より正確に行う（即ち、同期精度をより高める）ことができる。
【０３８１】
図５８に戻って説明する。遊技者がハンドル回動部５４０を操作する際に、板ばね部材７８７０が把持されると、かかる板ばね部材７８７０を介して、ハンドル回動部５４０と連動回動部２６００と連結される（図６０（ｂ）参照）。即ち、ハンドル回動部５４０の回動に連動して、連動回動部３６００を回動させることができる。
【０３８２】
一方、板ばね部材７８７０の把持が解除されると、その把持が解除された時点でのハンドル回動部５４０の回動位置に、連動回動部７６００が固定（保持）される。よって、遊技者は、上記各実施形態の場合と同様に、ハンドル回動部５４０の目印５４０ｄを目標位置として（即ち、その目印７６００ｃにハンドル回動部５４０の目印５４０ｄが一致されるように）、ハンドル回動部５４０を回動させることで、ハンドル回動部５４０を元の回動位置（即ち、遊技を中断する前や右打ちする前の回動位置）へ正確かつ迅速に調整する（元の回動位置を正確かつ迅速に再現する）ことができる。
【０３８３】
このように、本実施形態では、連動回動部７６００が、ハンドル回動部５４０に対して遊技機本体（下皿ユニット１５）側に並設されるので、遊技者は、ハンドル回動部５４０を回動操作する際に、ハンドル回動部５４０と共に連動回動部５４０も手指により把持することができる。即ち、遊技者の手指が、ハンドル回動部５４０と連動回動部７６００とを連結する機構およびその連結を解除する機構として利用できる。その結果、これらハンドル回動部５４０と連動回動部７６００との連結およびその解除のための構造体を設ける必要がなく、その分、構造の大幅な簡素化を図ることができる。
【０３８４】
更に、本実施形態では、ハンドル回動部５４０と連動回動部７６００とを連結可能な板ばね部材７８７０を備えるので、連動回動部７６００を遊技者の手指により直接把持することで、連動回動部７６００をハンドル回動部５４０に連動させる場合と比較して、ハンドル回動部５４０に対する連動回動部７６００の連動をより正確に行う（同期精度を高める）ことができる。
【０３８５】
この場合、板ばね部材７８７０は、連動回動部７６００の外面に対して近接離間する方向へ弾性変形可能な板ばねとして形成されるので、板ばね部材７８７０を手指で把持することで、かかる板ばね部材７８７０を弾性変形可能として、連動回動部７６００の外面に容易に当接させる（即ち、連動回動部７６００とハンドル回動部５４０とを連結する）ことができる。
【０３８６】
一方、板ばね部材７８７０を把持する手指の力を緩めることで、その板ばね部材７８７０の弾性回復力により、かかる板ばね部材７８７０を連動回動部７６００の外面から確実に離間させ、連動回動部７６００とハンドル回動部５４０との連結を容易に解除することができる。
【０３８７】
このように、ハンドル回動部５４０及び連動回動部７６００を連結するための部材（板ばね部材７８７０）が板ばねとして形成されることで、これらハンドル回動部５４０及び連動回動部７６００の連結動作およびその連結を解除する解除動作を容易に達成可能としつつ、構造を簡素化して、製品コストの低減を図ることができる。
【０３８８】
なお、ハンドル回動部５４０には、径方向外方へ向けて指掛け部５４０ａ〜５４０ｃが周方向に間隔を隔てつつ３ヶ所から突設され、板ばね部材７８７０は、隣り合う指掛け部５４０ａ〜５４０ｃの間にそれぞれ配設される。
【０３８９】
これにより、遊技者は、板ばね部材７８７０に手指を掛けつつ、指掛け部５４０ａ〜５４０ｃも利用できるので、ハンドル回動部５４０を回動させる回動操作の操作性の向上を図ることができる。また、連動回動部７６００の板ばね部材７８７０による連結箇所を確保して、その分、滑りを抑制できると共に、連結箇所を周方向に分散させることができ、その分、連動回動部７６００を安定して回動させることができる。
【０３９０】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０３９１】
上記各実施形態のうちの一の実施形態における一部または全部の構成を、他の実施形態における一部または全部の構成と組み合わせて、或いは、置き換えて、パチンコ機１０を構成しても良い。
【０３９２】
上記第６実施形態における外殻部材６５８０の端面６５８０ａの傾斜方向を逆にしても良い。即ち、上記第６実施形態では、ハンドル回動部５４０が初期位置にある状態では目盛り６５３１の全体が視認可能とされ、ハンドル回動部５４０の回動に伴って目盛り６５３１の視認可能な領域が漸次減少される場合を説明したが、端面６５８０ａの傾斜方向を逆とすることで、ハンドル回動部５４０が初期位置にある状態では目盛り６５３１の全体が外殻部材６５８０に遮蔽され、ハンドル回動部５４０の回動に伴って目盛り６５３１の視認可能な領域が漸次拡大されるようにしても良い。
【０３９３】
上記第７実施形態における板ばね部材７８７０の配設を省略しても良い。即ち、ハンドル回動部５４０及び連動回動部７６００の両者を手で把持して、これらを連動させると共に、ハンドル回動部５４０のみを把持して、連動回動部７６００に対してハンドル回動部５４０を独立して回動させるようにしても良い。
【０３９４】
上記各実施形態では、ハンドル取付台５２０に対してハンドルベース５３０，２５３０，５５３０，７５３０が軸支部分（軸５６３及び軸受５２３）を中心とする変位可能に配設される場合を説明したが、必ずしもこれに限られるものではなく、ハンドル取付台５２０に代えて、遊技機本体（下皿本体１５）に、ハンドルベース５３０，２５３０，５５３０，７５３０を変位（軸支部分を中心とする変位またはスライド移動）可能に配設しても良い。
【０３９５】
上記各実施形態では、ハンドル取付台５２０に対してハンドルベース５３０，２５３０，５５３０，７５３０を、下方へ向けて軸支部分（軸５６３及び軸受５２３）を中心として変位させる場合を説明したが、必ずしもこれに限られるものではなく、ハンドル取付台５２０に対してハンドルベース５３０，２５３０，５５３０，７５３０を、上方へ向けて変位（軸支部分を中心とする変位またはスライド移動）させる構成としても良い。即ち、ハンドル取付台５２０に対してハンドルベース５３０，２５３０，５５３０，７５３０を軸支部分を中心として変位させる前の初期位置を、軸支部分を中心として変位させた後の位置よりも下方としても良い。
【０３９６】
上記各実施形態では、ハンドル取付台５２０に対してハンドルベース５３０，２５３０，５５３０，７５３０を初期位置へ復帰させるベース付勢ばねＳＰ，ＳＰ７がコイルスプリングとして形成される場合を説明したが、必ずしもこれに限られるものではなく、他の形態の付勢手段を採用することは当然可能である。他の付勢手段としては、例えば、金属性の板材からなる板ばね、金属性の線材を巻回してなるねじりばね、或いは、ウレタン状弾性体やゴム状弾性体からなる弾性体などが例示される。
【０３９７】
上記各実施形態では、ハンドル取付台５２０に対してハンドルベース５３０，２５３０，５５３０，７５３０が軸支部分（軸５６３及び軸受５２３）を中心として変位する方向が上下方向である場合を説明したが、必ずしもこれに限られるものではなく、パチンコ機１０の正面視において、上下方向と左右方向とを合成した斜め方向であっても良い。
【０３９８】
上記各実施形態では、ハンドル規制部材７００に一対の腕部７０３を設ける場合を説明したが、必ずしもこれに限られるものではなく、かかる一対の腕部７０３を省略しても良い。材料コストを削減することができる。
【０３９９】
上記各実施形態では、ハンドル規制部材７００の当接面部７０１ｂとハンドル回動部５４０等の円板部５４１等の背面（被当接面部）とが平滑面として形成される場合を説明したが、必ずしもこれに限られるものではなく、例えば、これら当接面部７０１ｂと円板部５４１等の背面とに鋸歯状の凹凸を設けても良い。これら鋸歯状の凹凸同士を係合させることで、ハンドル回動部５４０等の回動位置を固定する構造であれば、ハンドル回動部５４０等の回動位置の固定を滑ることなく強固に行うことができる。
【０４００】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０４０１】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０４０２】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０４０３】
以下に、本発明の遊技機に加えて上述した実施形態に含まれる各種発明の概念を示す。
【０４０４】
遊技者によって回動操作されるハンドル回動部を備え、そのハンドル回動部の回動操作量に応じて遊技球の発射強度が調整される遊技機において、前記ハンドル回動部の回動位置が、所定の部材を基準として遊技者が認識可能に形成されることを特徴とする遊技機１。
【０４０５】
遊技機１によれば、ハンドル回動部の回動位置を、所定の部材を基準として遊技者に認識させることができる。よって、遊技球の発射強度が所望の発射強度となる回動位置にハンドル回動部の回動位置が調整された後に、例えば、遊技を中断するために、ハンドル回動部の回動位置が初期位置へ復帰された場合、或いは、例えば、右打ちをするために、ハンドル回動部の回動位置が最大回動位置へ変更された場合であっても、遊技者は、所定の部材を基準とするハンドル回動部の回動位置の認識に基づいて、ハンドル回動部の回動位置を元の回動位置（例えば、遊技を中断する前や右打ちする前の回動位置）に調整できる。よって、ハンドル回動部の回動位置を元の回動位置へ調整する操作を、正確かつ迅速に行うことができる。
【０４０６】
遊技機１において、前記ハンドル回動部の回動に連動して回動可能に形成される連動回動部と、その連動回動部がハンドル回動部に連動して回動されることを解除する連動解除手段と、を備えることを特徴とする遊技機２。
【０４０７】
遊技機２によれば、遊技機１の奏する効果に加え、連動回動部がハンドル回動部に連動して回動されることを連動解除手段により解除することができる。即ち、連動回動部の回動がハンドル回動部の回動に連動することを連動解除手段により解除することで、連動回動部を、ハンドル回動部の回動から切り離して、その切り離された際の回動位置に留まらせることができる。これにより、遊技球の発射強度が所望の発射強度となる回動位置にハンドル回動部の回動位置が設定された状態において、連動解除手段による解除を行うことで、連動回動部を所定の回動位置に留まらせておき、ハンドル回動部を元の回動位置へ調整する際の基準とすることができる。よって、ハンドル回動部の回動位置を元の回動位置へ調整する際に、その調整操作を正確かつ迅速に行うことができる。
【０４０８】
遊技機２において、前記ハンドル回動部と連動回動部との間の相対位置を示す目印が、前記ハンドル回動部および連動回動部のそれぞれに配設されることを特徴とする遊技機３。
【０４０９】
遊技機３によれば、遊技機２の奏する効果に加え、ハンドル回動部および連動回動部にそれぞれ目印が形成されるので、ハンドル回動部の回動位置を元の回動位置へ調整する際には、互いの目印を基準とすることができる。よって、その分、ハンドル回動部の元の回動位置への調整操作を正確かつ迅速に行うことができる。
【０４１０】
なお、連動回動部がハンドル回転部の回動に連動して回動する状態では、ハンドル回動部の目印と、連動回動部の目印との配設位置が一致することが好ましい。この場合には、ハンドル回動部の回動位置を元の回動位置へ調整する際には、ハンドル回動部の目印を連動回動部の目印に一致させれば良いので、元の回動位置への調整操作を正確かつ迅速に行うことができる。
【０４１１】
遊技機２又は３において、ハンドル回動部または連動回動部の一方は、他方へ向けて突設される突部を備えると共に、ハンドル回動部または連動回動部の他方は、前記突部と係合可能に凹設される凹部を備え、前記突部と凹部とが係合することで、前記連動回動部が前記ハンドル回動部の回動に連動して回動可能とされると共に、前記突部と凹部との係合が前記連動解除手段により解除可能とされることを特徴とする遊技機４。
【０４１２】
遊技機４によれば、遊技機２又は３の奏する効果に加え、突部と凹部とが係合することで、連動回動部がハンドル回動部の回動に連動して回動可能とされるので、例えば、連動回動部がハンドル回動部の回動に対し、摩擦力により連動して回動される場合と比較して、滑りによる両者の位置ずれを抑制できる。よって、連動回動部を基準として、ハンドル回動部を元の回動位置へ調整する際には、より正確な回動位置に調整することができる。
【０４１３】
遊技機４において、前記突部および凹部は、前記ハンドル回動部または連動回動部の外面に視認可能に形成されることを特徴とする遊技機５。
【０４１４】
遊技機５によれば、遊技機４の奏する効果に加え、突部および凹部が外部から視認可能とされるので、これら突部および凹部を、ハンドル回動部と連動回動部との間の相対位置を示す目印として機能させることができる。ここで、目印を、塗料による印刷やシールの貼付により形成する場合には、遊技者が操作する際の擦れや経年により表示が劣化しやすく耐久性が課題となる。これに対し、突部および凹部という形状自体が目印として利用されることで、その目印としての機能を長期間にわたって確実に発揮させることができる。
【０４１５】
遊技機２から５のいずれかにおいて、前記ハンドル回動部および連動回動部を結合する結合部材を備え、その結合部材が前記ハンドル回動部および連動回動部を結合することで、前記連動回動部が前記ハンドル回動部の回動に連動して回動可能とされると共に、前記結合部材による前記ハンドル回動部および連動回動部の結合が前記連動解除手段により解除可能とされることを特徴とする遊技機６。
【０４１６】
遊技機６によれば、遊技機２から５のいずれかの奏する効果に加え、結合部材がハンドル回動部および連動回動部を結合することで、連動回動部がハンドル回動部の回動に連動して回動可能とされるので、例えば、連動回動部がハンドル回動部の回動に対し、摩擦力により連動して回動される場合と比較して、滑りによる両者の位置ずれを抑制できる。よって、連動回動部を基準として、ハンドル回動部を元の回動位置へ調整する際には、より正確な回動位置に調整することができる。
【０４１７】
遊技機６において、前記結合部材は、前記ハンドル回動部および連動回動部の回動軸に沿って移動可能に形成されると共に、前記ハンドル回動部および連動回動部が回動する際の回動中心に配設されることを特徴とする遊技機７。
【０４１８】
遊技機７によれば、遊技機６の奏する効果に加え、結合部材は、ハンドル回動部および連動回動部が回動する際の回動中心に配設されるので、構造を簡素化することができる。即ち、ハンドル回動部および連動回動部は、回動する部材であるため、結合部材を回動中心に配設することで、結合部材がハンドル回動部および連動回動部の回動の妨げとなることを回避するための構造を不要とでき、その分、構造を簡素化できる。
【０４１９】
遊技機２から７のいずれかにおいて、前記ハンドル回動部の前面側に配設される半球状の前カバーを備え、前記連動解除手段は、前記連動回動部が前記ハンドル回動部の回動に連動して回動することを解除するために遊技者により押し込み操作されるボタン部材を備えると共に、そのボタン部材が前記前カバーの頂部に配設されることを特徴とする遊技機８。
【０４２０】
遊技機８によれば、遊技機２から７のいずれかの奏する効果に加え、ハンドル回動部の前面側に半球状の前カバーが配設され、その前カバーの頂部にボタン部材が配設されるので、ハンドル回動部を手指で把持した状態を維持しつつ、手首を返す動作のみで、ボタン部材を手のひらにより容易に押し込み操作することができる。よって、遊技球の発射強度が所望の発射強度となる回動位置にハンドル回動部の回動位置が調整された際には、そのハンドル回動部の回動操作量を維持しつつ（即ち、回動位置がずれることを抑制しつつ）、ボタン部材を押し込み操作できるので、適正な回動位置において、連動回動部をハンドル回動部から切り離すことができる。
【０４２１】
遊技機８において、前記前カバーは、前記ボタン部材を露出させるために頂部に形成される開口を備えると共に、前記ボタン部材が遊技者により押し込み操作され、前記連動回動部が前記ハンドル回動部の回動に連動して回動することが解除された状態では、前記前カバーの開口の縁部から前記ボタン部材の少なくとも一部が突出されていることを特徴とする遊技機９。
【０４２２】
遊技機９によれば、遊技機８の奏する効果に加え、連動回動部がハンドル回動部の回動に連動して回動することを解除するためにボタン部材を押し込み操作する場合には、かかるボタン部材を、前カバーの開口の縁部を越える位置（前カバー内にボタン部材全体が入り込む位置）まで押し込む必要がない。即ち、ボタン部材を押し込む際に、前カバーの開口の縁部が妨げとなることを抑制して、操作性の向上を図ることができる。
【０４２３】
遊技機８又は９において、前記前カバーは、前記ボタン部材を露出させるために頂部に形成される開口を備え、前記ボタン部材は、前記連動回動部が前記ハンドル回動部の回動に連動して回動することを解除する第２の押し込み位置から第３の押し込み位置へ更に押し込み可能に形成され、前記ボタン部材が第３の押し込み位置まで押し込まれることで、少なくとも前記連動回動部が初期位置へ復帰可能とされると共に、前記第３の押し込み位置では、前記前カバーの開口の縁部よりも前記ボタン部材が前記前カバー内に没入されることを特徴とする遊技機１０。
【０４２４】
遊技機１０によれば、遊技機８又は９の奏する効果に加え、ボタン部材を第２の押し込み位置から第３の押し込み位置まで押し込み、連動回動部を初期位置へ復帰可能な状態とするためには、かかるボタン部材を、前カバーの開口の縁部を越えて没入される位置（前カバー内にボタン部材全体が入り込む位置）まで押し込む必要がある。よって、ボタン部材を第３の押し込み位置まで押し込む際に、前カバーの開口の縁部を妨げとすることができるので、第２の押し込み位置にあるボタン部材が第３の押し込み位置まで不用意に押し込み操作されることを抑制できる。その結果、不用意なボタン部材の押し込み操作により、所定の回動位置に位置された連動回動部が初期位置へ復帰してしまう（或いは、復帰可能な状態となる）ことを抑制できる。
【０４２５】
遊技機２から１０のいずれかにおいて、前記ハンドル回動部の前面側に配設される前カバーと、前記ハンドル回動部を回動可能に支持するハンドル取付台と、そのハンドル取付台に前記前カバーを支持すると共に前記ハンドル回動部の回動方向に沿って並設される２本の支持棒と、遊技者によって操作されるボタン部材と、そのボタン部材の動作を前記連動回動部に伝達する伝達部材と、を備え、前記ハンドル回動部は、前記２本の支持棒が挿通される開口を備えると共に、前記２本の支持棒の間に前記伝達部材が配設されることを特徴とする遊技機１１。
【０４２６】
遊技機１１によれば、遊技機２から１０のいずれかの奏する効果に加え、伝達部材を設けた場合でも、ハンドル回動部の開口の周方向長さを抑制できる。即ち、ハンドル回動部の開口は、ハンドル回動部が回動する際に２本の支持棒を逃がすために周方向に沿って延設される。この場合、２本の支持棒に対し周方向外側に伝達部材を並設させると、その伝達部材の配設スペースの分、ハンドル回動部の開口を周方向に長くする必要が生じる。これに対し、遊技機８によれば、デッドスペースとなる２本の支持棒の間の空間に伝達部材が配設されるので、ハンドル回動部の開口を周方向に沿って長くすることを不要とできる。
【０４２７】
遊技機２において、前記ハンドル回動部が回動可能に配設されるハンドルベースと、そのハンドルベースが軸支されると共に遊技機本体に固設されるハンドル取付台とを備え、前記連動解除手段は、前記ハンドル取付台に対して前記ハンドルベースが前記軸支された部分を中心として変位されることで、前記連動回動部がハンドル回動部に連動して回動されることを解除可能に形成されることを特徴とする遊技機１２。
【０４２８】
遊技機１２によれば、遊技機２の奏する効果に加え、ハンドルベースがハンドル取付台に軸支され、その軸支された部分を中心として、ハンドルベースがハンドル取付台（即ち、遊技機本体）に対して変位されることで、連動解除手段による解除が行われるので、かかる解除動作を容易に行うことができる。即ち、遊技者は、ハンドル回動部を手指で把持した状態を維持しつつ、手首を返す動作のみで、ハンドル取付台に対してハンドルベースを容易に変位させることができる。その結果、連動解除手段による解除を行うための操作を、ハンドル回動部の回動操作量を維持しつつ（即ち、回動位置がずれることを抑制しつつ）、容易に行うことができる。
【０４２９】
遊技機１２において、前記ハンドル取付台に対して前記ハンドルベースが前記軸支された部分を中心として変位されることで、前記連動解除手段による解除とは異なる所定の動作が行われることを特徴とする遊技機１３。
【０４３０】
遊技機１３によれば、遊技機１２の奏する効果に加え、所定の動作を行うための操作（ハンドル取付台に対するハンドルベースの変位）を、ハンドル回動部の回動操作量を維持しつつ、容易に行うことができる。また、ハンドル取付台に対してハンドルベースを変位させる一の動作により、所定の動作を行うための操作と、連動解除手段による解除を行うための操作との二種類の操作を行うことができる。なお、所定の動作としては、例えば、遊技球の発射の停止、遊技球の発射強度の変更（増加または減少）、ハンドル回動部の初期位置への復帰の規制（ハンドルリングの回動の禁止または回動の抑制）などが例示される。
【０４３１】
遊技機１３において、前記所定の動作が、ハンドル回動部が初期位置へ復帰することを規制する動作であることを特徴とする遊技機１４。
【０４３２】
遊技機１４によれば、遊技機１３の奏する効果に加え、所定の動作が、ハンドル回動部が初期位置へ復帰することを規制する動作であるので、連動回動部がハンドル回動部の回動に連動して回動されることを解除する際に、ハンドル回動部が初期位置へ復帰することの規制（即ち、ハンドル回動部の回動の禁止または回動の抑制）も併せて行うことができるので、ハンドル回動部の回動位置のずれを抑制できる。その結果、連動回動部を所定の回動位置に適正に留まらせることができる。
【０４３３】
遊技機１４において、前記ハンドルベースにスライド移動可能に配設されるスライド部材を備え、前記軸支された部分を中心として前記ハンドル取付台に対してハンドルベースが変位されることで、前記ハンドル取付台に押圧された前記スライド部材が、前記ハンドル回動部に当接してそのハンドル回動部の初期位置への復帰を規制すると共に、前記連動回動部が前記ハンドル回動部の回動に連動して回動することを解除することを特徴とする遊技機１５。
【０４３４】
遊技機１５によれば、遊技機１４の奏する効果に加え、ハンドル回動部が初期位置へ復帰することを規制（即ち、ハンドル回動部の回動の禁止または回動の抑制）するための機能と、連動回動部がハンドル回動部の回動に連動して回動することを解除するための機能とをスライド部材に兼用させることができる。よって、部品点数を削減して、製品コストの低減を図ることができる。また、ハンドル回動部の回動の禁止または回動の規制と、連動回動部の回動がハンドル回動部の回動に連動することの解除とを、共通の部材（スライド部材）を利用して行うことができるので、これら両動作のタイミングを一致させやすくすることができる。その結果、連動回動部を所定の回動位置に適正に留まらせることができる。
【０４３５】
遊技機１において、前記ハンドル回動部の回動に連動して移動可能に形成される連動軸方向移動部を備え、その連動軸方向移動部の移動方向が前記ハンドル回動部の軸心に沿った方向であることを特徴とする遊技機１６。
【０４３６】
遊技機１６によれば、遊技機１の奏する効果に加え、ハンドル回動部の回動に連動して移動可能に形成される連動軸方向移動部を備えるので、遊技者は、連動軸方向移動部を基準とするハンドル回動部の回動位置の認識に基づいて、ハンドル回動部の回動位置を元の回動位置（例えば、遊技を中断する前や右打ちする前の回動位置）に調整できる。よって、ハンドル回動部の回動位置を元の回動位置へ調整する操作を、正確かつ迅速に行うことができる。
【０４３７】
この場合、連動軸方向移動部の移動方向は、ハンドル回動部の軸心に沿った方向であるので、連動軸方向移動部の移動位置を容易に認識することができる。即ち、ハンドル回動部の回動に連動して移動する部材が、周方向（ハンドル回動部の回動方向）に沿って移動するものであると、その移動する部材の移動位置を認識するためには、遊技者の視線方向の移動量が大きくなる。これに対し、遊技機１６によれば、連動軸方向移動部の移動方向がハンドル回動部の軸心に沿った方向であるので、ハンドル回動部の回動操作量（位相）に関わらず、連動軸方向移動部を認識するための遊技者の視線方向を一定（一方向）とすることができる。その結果、連動軸方向移動部の移動位置の認識を容易として、遊技者の負担を軽減できる。
【０４３８】
遊技機１６において、前記連動軸方向移動部がハンドル回動部の回動に連動して前記ハンドル回動部の軸心に沿って移動されることを解除する連動解除手段を備えることを特徴とする遊技機１７。
【０４３９】
遊技機１７によれば、遊技機１６の奏する効果に加え、連動軸方向移動部がハンドル回動部の回動に連動してハンドル回動部の軸心に沿って移動されることを連動解除手段により解除することができる。即ち、連動軸方向移動部の移動がハンドル回動部の回動に連動することを連動解除手段により解除することで、連動軸方向移動部を、ハンドル回動部の回動から切り離して、その切り離された際の移動位置に留まらせることができる。これにより、遊技球の発射強度が所望の発射強度となる回動位置にハンドル回動部の回動位置が設定された状態において、連動解除手段による解除を行うことで、連動軸方向移動部を所定の移動位置に留まらせておき、ハンドル回動部を元の回動位置へ調整する際の基準とすることができる。よって、ハンドル回動部の回動位置を元の回動位置へ調整する際に、その調整操作を正確かつ迅速に行うことができる。
【０４４０】
遊技機１７において、前記連動軸方向移動部は複数が並設されると共に、それら複数の連動軸方向移動部の内の少なくとも１の連動軸方向移動部は、前記ハンドル回動部の回動に連動して前記ハンドル回動部の軸心方向に沿って移動されることを前記連動解除手段により解除可能に形成されることを特徴とする遊技機１８。
【０４４１】
遊技機１８によれば、遊技機１７の奏する効果に加え、連動軸方向移動部は、複数が並設されるので、遊技球の発射強度が所望の発射強度となる回動位置にハンドル回動部の回動位置が設定された状態において、複数の連動軸方向移動部の内の１の連動軸方向移動部に対し、連動解除手段による連動の解除を行うことで、ハンドル回動部の回動位置を元の回動位置へ調整する際には、連動が解除された１の連動軸方向移動部と連動が解除されていない他の連動軸方向移動部との間の相対位置に基づいて、ハンドル回動部の調整操作を行うことができる。よって、その分、ハンドル回動部の元の回動位置への調整操作を正確かつ迅速に行うことができる。
【０４４２】
なお、複数の連動軸方向移動部にそれらの間の相対位置を示す目印をそれぞれに配設することが好ましい。ハンドル回動部の回動位置を元の回動位置へ調整する際には、ハンドル回動部との連動が解除された（即ち、ハンドル回動部から切り離され所定の移動位置に留まる）連動軸方向移動部の目印と、ハンドル回動部との連動が解除されていない他の連動軸方向移動部の目印とを一致させれば良いので、元の回動位置への調整操作を正確かつ迅速に行うことができる。
【０４４３】
遊技機１７又は１８において、前記連動解除手段は、前記連動軸方向移動部が前記ハンドル回動部の回動に連動して前記ハンドル回動部の軸心に沿って移動することを解除するために遊技者により操作されるボタン部材を備え、そのボタン部材が前記連動軸方向移動部に配設されることを特徴とする遊技機１９。
【０４４４】
遊技機１９によれば、遊技機１７又は１８の奏する効果に加え、連動軸方向移動部にボタン部材が配設されるので、ハンドル回動部を回動操作する手とは異なる手によってボタン部材を操作することができる。よって、遊技球の発射強度が所望の発射強度となる回動位置にハンドル回動部の回動位置が調整された際には、そのハンドル回動部の回動操作量を維持しつつ（即ち、回動位置がずれることを抑制しつつ）、ボタン部材を操作できるので、適正な回動位置において、連動軸方向移動部をハンドル回動部から切り離すことができる。
【０４４５】
ここで、連動軸方向移動部はハンドル回動部の軸心に沿った方向に移動する（即ち、直進運動する）ので、かかる直進運動する連動軸方向移動部と回動運動するハンドル回動部との連動を解除するために操作されるボタン部材を、例えば、前カバーに配設する構造では、ボタン部材の操作により連動軸方向移動部をハンドル回動部から切り離す構造を連動軸方向移動部およびハンドル回動部の両者との関係で構成する必要があり、構造が複雑化する。これに対し、遊技機１９では、ボタン部材が連動軸方向移動部に配設されるので、かかるボタン部材の操作により連動軸方向移動部をハンドル回動部から切り離す構造を連動軸方向移動部のみとの関係で構成すれば良いので、構造を簡素化できる。
【０４４６】
遊技機１９において、前記連動軸方向移動部は複数が並設され、それら複数の連動軸方向移動部の内の１の連動軸方向移動部には前記ボタン部材が配設されないことを特徴とする遊技機２０。
【０４４７】
遊技機２０によれば、遊技機１９の奏する効果に加え、複数の連動軸方向移動部が複数並設される場合に、１の連動軸方向移動部にはボタン部材が配設されない（即ち、ハンドル回動部の回動に連動してハンドル回動部の軸心方向に沿って移動することを解除不能とされる）ので、かかるボタン部材が配設されない１の連動軸方向移動部をハンドル回動部に常時連動させることができる。よって、複数の連動軸方向移動部の全てに対し、ハンドル回動部の回動と連動することを、遊技者が不用意に解除してしまい、ハンドル回動部の回動位置を元の回動位置へ調整することが不能となることを抑制できる。また、ボタン部材が不要となる分、部品点数を削減でき、製品コストの低減を図ることができる。
【０４４８】
遊技機１６から２０のいずれかにおいて、前記ハンドル回動部に配設されると共に前記ハンドル回動部の回動軸と同心の外周面を有する外殻部材と、その外殻部材の外周面に沿って螺旋状に形成される螺旋部と、を備えると共に、前記連動軸方向移動部は、前記螺旋部に係合される係合部を備え、前記ハンドル回動部の回動に伴う外殻部材の回動が、前記螺旋部および係合部の係合を介して、前記連動軸方向移動部に伝達されることで、前記連動軸方向移動部が前記ハンドル回動部の軸心に沿って移動されることを特徴とする遊技機２１。
【０４４９】
遊技機２１によれば、遊技機１６から２０のいずれかの奏する効果に加え、外殻部材の外周面に沿って形成された螺旋部に、連動軸方向移動部の係合部を係合させることで、連動軸方向移動部が、ハンドル回動部の回動に連動してハンドル回動部の軸心に沿って移動する構造であるので、ハンドル回動部の回動（回転運動）を連動軸方向移動部の移動（直進運動）に変換する構造を簡素な構造で達成できる。即ち、例えば、ラック・ピニオンなどの歯車機構を設ける必要がなく、外殻部材の外周面に螺旋部を螺旋状に形成すれば良いので、構造の簡素化を図ることができる。また、このように、螺旋部および係合部の係合を利用する構造とすることで、連動軸方向移動部を複数並設するのに必要なスペースを抑制することができる。
【０４５０】
遊技機２１において、前記螺旋部が前記外殻部材の外周面に凹設される断面凹状の溝として形成され、かつ、前記係合部が前記溝に受け入れられる突起として形成されるか、又は、前記螺旋部が前記外殻部材の外周面から突設される断面凸状の突条として形成され、かつ、前記係合部が前記突条を受け入れる凹状の凹部として形成されることを特徴とする遊技機２２。
【０４５１】
遊技機２２によれば、遊技機２１の奏する効果に加え、螺旋部および係合部が、溝および突起または突条および凹部の組み合わせとして形成されるので、外殻部材の回動を、螺旋部および係合部を介して、連動軸方向移動部へ伝達可能とするための構造（即ち、螺旋部および係合部の係合構造）の簡素化を図ることができる。
【０４５２】
遊技機２２において、前記連動解除手段は、前記連動軸方向移動部が前記ハンドル回動部の回動に連動して前記ハンドル回動部の軸心に沿って移動することを解除するために遊技者により操作されるボタン部材を備え、そのボタン部材が前記連動軸方向移動部に配設されると共に、前記ボタン部材の操作により前記係合部の突起または凹部が前記螺旋部の溝または突条から離間されることを特徴とする遊技機２３。
【０４５３】
遊技機２３によれば、遊技機２２の奏する効果に加え、連動軸方向移動部がハンドル回動部の回動に連動してハンドル回動部の軸心に沿って移動されることを解除するための構造を簡素化できる。即ち、螺旋部および係合部が、溝および突起または突条および凹部の組み合わせとして形成され、ボタン部材の操作により係合部の突起または凹部が螺旋部の溝または突条から離間されることで、螺旋部と係合部との係合を解除する構造なので、係合部の突起または凹部を直線状に変位可能とすれば足りる。
【０４５４】
遊技機２１から２３のいずれかにおいて、前記螺旋部は前記外殻部材の外周面に沿って１条が形成され、前記連動軸方向移動部は複数が並設されると共にそれら複数の連動軸方向移動部が前記係合部を介して前記１条の螺旋部にそれぞれ係合されることを特徴とする遊技機２４。
【０４５５】
遊技機２４によれば、複数の連動軸方向移動部が係合部を介して１条の螺旋部にそれぞれ係合されるので、螺旋部を複数の連動軸方向移動部で共用する分、螺旋部の形成数を少なくして、部品コストを削減できる。また、螺旋部の配設に必要なスペースを低減して、小型化を図ることができる。
【０４５６】
遊技機１において、前記ハンドル回動部が回動可能に配設されると共に遊技機本体に取着されるハンドル取付台と、前記ハンドル回動部から延設され前記ハンドル取付台の外周面に対向されると共に延設方向先端の端面が前記ハンドル回動部の回動軸に対して傾斜して形成される外殻部材と、その外殻部材の前記端面に対応する前記ハンドル取付台の外周面において前記ハンドル回動部の回動軸に沿って表示される目盛りと、を備えることを特徴とする遊技機２５。
【０４５７】
遊技機２５によれば、遊技機１の奏する効果に加え、外殻部材の端面がハンドル回動部の回動軸に対して傾斜して形成されると共に、ハンドル回動部の回動軸に沿って目盛りが表示されるので、ハンドル回動部の回動位置（回動操作量）に応じて、外殻部材の端面と目盛りとの位置関係を変化させることができる。これにより、ハンドル回動部の回動位置を、外殻部材の端面と目盛りとの位置関係を基準として遊技者に認識させることができる。よって、遊技者は、外殻部材の端面と目盛りとの位置関係に基づいて、ハンドル回動部の回動位置を元の回動位置（例えば、遊技を中断する前や右打ちする前の回動位置）に調整できる。よって、ハンドル回動部の回動位置を元の回動位置へ調整する操作を、正確かつ迅速に行うことができる。
【０４５８】
この場合、目盛りがハンドル回動部の回動軸に沿って表示されるので、ハンドル回動部の回動位置（外殻部材の端面と目盛りとの位置関係）を容易に認識することができる。即ち、ハンドル回動部の回動に連動して移動する部材が、周方向（ハンドル回動部の回動方向）に沿って移動するものであると、その移動する部材の移動位置を認識するためには、遊技者の視線方向の移動量が大きくなる。これに対し、遊技機２５によれば、目盛りがハンドル回動部の回動軸に沿って表示されるので、ハンドル回動部の回動操作量（位相）に関わらず、外殻部材の端面と目盛りとの位置関係を認識するための遊技者の視線方向を一定（一方向）とすることができる。その結果、ハンドル回動部の回動位置の認識を容易として、遊技者の負担を軽減できる。
【０４５９】
なお、ハンドル回動部は、ハンドル取付台に直接配設されていても良く、或いは、ハンドル取付台に変位可能に配設されたハンドルベースを介して、ハンドル回動部がハンドル取付台に間接的に配設されていても良い。
【０４６０】
遊技機２５において、前記外殻部材の前記端面における前記ハンドル回動部の回動軸に対する傾斜角度は、一部分の前記傾斜角度が他の部分の前記傾斜角度よりも小さくされることを特徴とする遊技機２６。
【０４６１】
遊技機２６によれば、遊技機２５の奏する効果に加え、外殻部材の端面は、ハンドル回動部の回動軸に対する傾斜角度が、一部分において小さくされているので、かかる一部分が目盛り上を移動するハンドル回動部の回動範囲では、ハンドル回動部の単位回動量あたりに一部分が目盛りに対して移動する量を小さくすることができる。よって、例えば、ハンドル回動部を元の回動位置に調整する（即ち、目標位置としての目盛り位置に外殻部材の端面（一部分）が位置するように、ハンドル回動部の回動操作量を調整する）際には、微調整をしやすくすることができる。なお、一部分は他の部分よりも遊技球の発射強度が強くするためのハンドル回動部の回動位置に対応することが好ましい。ハンドル回動部を元の回動位置に調整する頻度が高く、ハンドル回動部を回動操作する際の微調整のしやすさが有効となるからである。
【０４６２】
遊技機２５又は２６において、前記目盛りの位置に関する情報であって前記目盛りに沿って一又は複数が前記外殻部材の外周面に表示される識別記号を備え、その識別記号は、前記目盛りに対して、前記外殻部材の端面が前記ハンドル回動部へ向けて傾斜する側に表示されることを特徴とする遊技機２７。
【０４６３】
遊技機２７によれば、遊技機２５又は２６において、外殻部材によって識別記号が遮蔽される面積を少なくして、かかる識別記号の視認性を確保することができる。即ち、目盛りに対して、外殻部材の端面がハンドル回動部へ向けて傾斜する側の領域は、外殻部材によって遮蔽される面積が少ない側の領域なので、かかる領域に識別記号を表示することで、その視認性を確保することができる。
【０４６４】
遊技機１において、前記ハンドル回動部が回動可能に配設されると共に遊技機本体に取着されるハンドル取付台と、そのハンドル取付台に回動可能に配設される回動体と、を備え、その回動体が、前記ハンドル回動部に対し前記遊技機本体側において並設されることを特徴とする遊技機２８。
【０４６５】
遊技機２８によれば、遊技機１の奏する効果に加え、回動体が、ハンドル回動部に対して遊技機本体側において並設されるので、遊技者は、ハンドル回動部を回動操作する際には、ハンドル回動部と共に回動体も手指により把持することができる。即ち、遊技球の発射強度が所望の発射強度となるまでは、回動体も手指で把持し、かかる回動体をハンドル回動部と共に回動操作しつつ、遊技球の発射強度が所望の発射強度に調整された際には、回動体から手指を離してその把持を解除する。これにより、回動体を、ハンドル回動部の回動から切り離して、その切り離された際の回動位置に留まらせることができ、ハンドル回動部を元の回動位置（例えば、遊技を中断する前や右打ちする前の回動位置）へ調整する際の基準とすることができる。よって、ハンドル回動部の回動位置を元の回動位置へ調整する際に、その調整操作を正確かつ迅速に行うことができる。
【０４６６】
このように、遊技機２８では、遊技者の手指が、ハンドル回動部と回動体とを連結する機構およびその連結を解除する機構として利用される。即ち、これらハンドル回動部と回動体との連結およびその解除のための構造体を設ける必要がなく、その分、構造の大幅な簡素化を図ることができる。
【０４６７】
なお、ハンドル回動部は、ハンドル取付台に直接配設されていても良く、或いは、ハンドル取付台に変位可能に配設されたハンドルベースを介して、ハンドル回動部がハンドル取付台に間接的に配設されていても良い。
【０４６８】
遊技機２８において、前記ハンドル回動部から前記回動体へ向けて延設され、前記ハンドル回動部を把持する遊技者の手指により操作されことで前記ハンドル回動部と回動体とを連結する連結片を備えることを特徴とする遊技機２９。
【０４６９】
遊技機２９によれば、遊技機２８の奏する効果に加え、ハンドル回動部と回動体とを連結する連結片を備えるので、回動体を遊技者の手指により直接把持することで、回動体をハンドル回動部と共に回動させる場合と比較して、ハンドル回動部に対する回動体の連動を正確に行う（同期精度を高める）ことができる。
【０４７０】
遊技機２９において、前記連結片は、前記回動体の外周面との間に所定間隔を隔てつつ対向配置されると共に前記回動体の外周面に対して近接離間する方向へ弾性変形可能な板ばねとして形成されることを特徴とする遊技機３０。
【０４７１】
遊技機３０によれば、遊技機２９の奏する効果に加え、連結片は、回動体の外周面に対して近接離間する方向へ弾性変形可能な板ばねとして形成されるので、連結片を手指で把持することで、かかる連結片を弾性変形させて、回動体の外周面に容易に当接させる（即ち、回動体とハンドル回動部とを連結する）ことができる。一方、連結片を把持する手指の力を緩めることで、板ばねとしての連結片の弾性回復力により、かかる連結片を回動体の外周面から離間させ、回動体とハンドル回動部との連結を容易に解除することができる。このように、連結片が板ばねとして形成されることで、回動体とハンドル回動部との連結動作およびその連結を解除する解除動作を容易に達成可能としつつ、構造を簡素化して、製品コストの低減を図ることができる。
【０４７２】
遊技機３０において、前記回動体の外周面またはその回動体の外周面に対面する前記連結片の対向面の少なくとも一方には、弾性体が配設されることを特徴とする遊技機３１。
【０４７３】
遊技機３１によれば、遊技機３０の奏する効果に加え、回動体の外周面または連結片の対向面の少なくとも一方には、弾性体が配設されるので、摩擦係数を高くして、回動体に対する連結片の滑りを抑制することができる。その結果、回動体の外周面を連結片の対向面で直接当接させる場合と比較して、ハンドル回動部に対する回動体の連動を正確に行う（同期精度を高める）ことができる。また、弾性体であるので、連結片に配設される場合であっても、その連結片の変形性を確保できる。
【０４７４】
遊技機３０又は３１において、前記回動体の外周面またはその回動体の外周面に対面する前記連結片の対向面の一方には突起が突設されると共に他方には前記突起を受け入れ可能な凹部が凹設されることを特徴とする遊技機３２。
【０４７５】
遊技機３２によれば、遊技機３０又は３１の奏する効果に加え、回動体の外周面または連結片の対向面の少なくとも一方には突起が突設されると共に他方には突起を受け入れる凹部が凹設されるので、これら突起が凹部に受け入れられることで、回動体に対する連結片の滑りを抑制することができる。即ち、回動体の外周面と連結片の対向面とを面当たりさせる場合と比較して、ハンドル回動部に対する回動体の連動をより正確に行う（同期精度をより高める）ことができる。
【０４７６】
なお、ハンドル回転部および回動体の回動位置が初期位置にある状態において、上記突起および凹部の配設位置（周方向位置）が一致する（突起を受入可能な位置に凹部が配設される）ことが好ましい。初期位置において、回動体をハンドル回動部に連結する必要があるからである。
【０４７７】
遊技機２９から３２のいずれかにおいて、前記ハンドル回動部には、その外周面から径方向外方へ向けて指掛け部が少なくとも周方向３ヶ所から突設され、前記連結片は、前記隣り合う指掛け部の間となる少なくとも２ヶ所に配設されることを特徴とする遊技機３３。
【０４７８】
遊技機３３によれば、遊技機２９から３２のいずれかの奏する効果に加え、連結片が周方向の少なくとも２ヶ所に配設されるので、回動部の複数箇所を連結片により連結できる。よって、連結箇所を確保して、その分、滑りを抑制できると共に、連結箇所を周方向に分散させ、その分、回動体を安定して回動させることができる。また、隣り合う指掛け部の間に連結片が配設されることで、かかる連結片に手指を掛けつつハンドル回動部を回動させる回動操作を容易とできる。
【０４７９】
遊技機１から３３のいずれかにおいて、前記遊技機はスロットマシンであることを特徴とする遊技機Ａ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０４８０】
遊技機１から３３のいずれかにおいて、前記遊技機はパチンコ遊技機であることを特徴とする遊技機Ａ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０４８１】
遊技機１から３３のいずれかにおいて、前記遊技機はパチンコ遊技機とスロットマシンとを融合させたものであることを特徴とする遊技機Ａ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【符号の説明】
【０４８２】
１０                                  パチンコ機（遊技機）
１５                                  下皿ユニット（遊技機本体）
６５３１                              目盛り
６５３２                              識別記号
５３３ａ〜５３３ｃ                    ガイド支柱（支持棒）
５４０，２５４０                      ハンドル回動部
５４０ａ〜５４０ｃ                  指掛け部
５４０ｄ                              目印
２５４０ｄ                            目印兼用凹部（目印、凹部、結合部材の一部）
５４５ａ，５４５ｂ                    ガイド孔（開口）
５５０，２５５０                      前カバー
５５０ａ                              開口
５７０，２５７０                      ボタン部材
３５７０ａ〜３５７０ｃ                進退部材（連動軸方向移動部）
３５７１                              目印
３５７２                              係合針部材（係合部）
３５７３                              操作ボタン部材（ボタン部材の一部）
３５８０，４５８０，６５８０          外殻部材
６５８０ａ                            端面
３５８１                              案内溝（螺旋部）
６００，２６００，５６００            連動回動部
７６００                              連動回動体（回動体）
６００ｃ，５６００ｃ，７６００ｃ      目印
２６００ｄ                            目印兼用突部（目印、突部、結合部材の一部）
７００，５７００                      ハンドル規制部材（スライド部材）
８１０                                切替支持軸（結合部材）
２８２０                              伝達部材
７８７０                              板ばね部材（連結片）
７８７１                              係合突部（突起）
７６００ａ１                          係合溝（凹部）
【図１】
2014104223.tif 000003
【図２】
2014104223.tif 000004
【図３】
2014104223.tif 000005
【図４】
2014104223.tif 000006
【図５】
2014104223.tif 000007
【図６】
2014104223.tif 000008
【図７】
2014104223.tif 000009
【図８】
2014104223.tif 000010
【図９】
2014104223.tif 000011
【図１０】
2014104223.tif 000012
【図１１】
2014104223.tif 000013
【図１２】
2014104223.tif 000014
【図１３】
2014104223.tif 000015
【図１４】
2014104223.tif 000016
【図１５】
2014104223.tif 000017
【図１６】
2014104223.tif 000018
【図１７】
2014104223.tif 000019
【図１８】
2014104223.tif 000020
【図１９】
2014104223.tif 000021
【図２０】
2014104223.tif 000022
【図２１】
2014104223.tif 000023
【図２２】
2014104223.tif 000024
【図２３】
2014104223.tif 000025
【図２４】
2014104223.tif 000026
【図２５】
2014104223.tif 000027
【図２６】
2014104223.tif 000028
【図２７】
2014104223.tif 000029
【図２８】
2014104223.tif 000030
【図２９】
2014104223.tif 000031
【図３０】
2014104223.tif 000032
【図３１】
2014104223.tif 000033
【図３２】
2014104223.tif 000034
【図３３】
2014104223.tif 000035
【図３４】
2014104223.tif 000036
【図３５】
2014104223.tif 000037
【図３６】
2014104223.tif 000038
【図３７】
2014104223.tif 000039
【図３８】
2014104223.tif 000040
【図３９】
2014104223.tif 000041
【図４０】
2014104223.tif 000042
【図４１】
2014104223.tif 000043
【図４２】
2014104223.tif 000044
【図４３】
2014104223.tif 000045
【図４４】
2014104223.tif 000046
【図４５】
2014104223.tif 000047
【図４６】
2014104223.tif 000048
【図４７】
2014104223.tif 000049
【図４８】
2014104223.tif 000050
【図４９】
2014104223.tif 000051
【図５０】
2014104223.tif 000052
【図５１】
2014104223.tif 000053
【図５２】
2014104223.tif 000054
【図５３】
2014104223.tif 000055
【図５４】
2014104223.tif 000056
【図５５】
2014104223.tif 000057
【図５６】
2014104223.tif 000058
【図５７】
2014104223.tif 000059
【図５８】
2014104223.tif 000060
【図５９】
2014104223.tif 000061
【図６０】
2014104223.tif 000062